(57)【要約】【課題】従来の視野計は、検査時間が長いにもかかわらず、検出される暗点や盲点の形状は非常に大雑把であり検査精度は高くない。【解決手段】視野輪郭抽出画面生成手段と、視野輪郭記録画面生成手段と、固視標表示制御手段と、視標走査線設定手段と、視標表示制御手段と、視標表示位置記憶手段と、第一指示受付手段と、視標第一表示制御手段と、第二指示受付手段と、視標第二表示制御手段と、第三指示受付手段と、視標第三表示制御手段と、視野輪郭位置確定指示受付手段と、視野輪郭位置記録手段と、走査続行手段と、を備えることを特徴とするので、視野検査の高速度化を実現しながら、同時に、検査精度を著しく高めることができる本発明、視野輪郭抽出装置。【選択図】図１
2010057775.tif 000002
【特許請求の範囲】
【請求項１】
視野における視標視覚認識変化点から構成される視野輪郭を抽出するための視野輪郭抽出画面を出力装置に生成する視野輪郭抽出画面生成手段と、
該視野輪郭抽出画面において抽出される前記視野輪郭を記録するための視野輪郭記録画面を出力装置に生成する視野輪郭記録画面生成手段と、
前記視野輪郭抽出画面生成手段により生成される視野輪郭抽出画面に、視野輪郭抽出の際被験者に凝視される固視標を表示する固視標表示制御手段と、
前記視野輪郭を抽出するために利用される視標がたどる経路としての視標走査線を、前記視野輪郭抽出画面に、複数本、互いに平行となるように設定する視標走査線設定手段と、
該視標走査線設定手段により設定される視標走査線上に一つの視標を表示する視標表示制御手段と、
該視標表示制御手段により表示されている前記視標の表示位置を記憶装置に記憶する視標表示位置記憶手段と、
前記視野輪郭抽出画面における前記視標の走査方向を所定の第一方向に設定し、且つ該視標の走査速度を所定の第一速度に設定するためになされる第一指示を入力装置を経て受け付ける第一指示受付手段と、
前記視標表示制御手段は、
前記第一指示受付手段により前記第一指示が受け付けられている間は、前記視野輪郭抽出画面において、
前記視標の走査方向を前記第一方向にし、且つ
前記視標の走査速度を前記第一速度にする
視標第一表示制御手段
をさらに備えるが、該視標第一表示制御手段と、
前記視野輪郭抽出画面における前記視標の走査方向を前記第一方向とは逆方向である第二方向に設定し、且つ前記視標の走査速度を前記第一速度以下の所定の第二速度に設定するためになされる第二指示を入力装置を経て受け付ける第二指示受付手段と、
前記視標表示制御手段は、
前記第二指示受付手段により前記第二指示が受け付けられた時には、前記視野輪郭抽出画面において、
前記視標の走査方向を前記第二方向にし、且つ
前記視標の走査速度を前記第二速度にする
視標第二表示制御手段
をさらに備えるが、該視標第二表示制御手段と、
前記視野輪郭抽出画面における前記視標の走査方向を前記第一方向に設定し、且つ前記視標の走査速度を前記第一速度以下の所定の第三速度に設定するためになされる第三指示を入力装置を経て受け付ける第三指示受付手段と、
前記視標表示制御手段は、
前記第三指示受付手段により前記第三指示が受け付けられた時には、
前記視野輪郭抽出画面において、
前記視標の走査方向を前記第一方向にし、且つ
前記視標の走査速度を前記第三速度にする
視標第三表示制御手段
をさらに備えるが、該視標第三表示制御手段と、
前記視野輪郭を構成する前記視標視覚認識変化点の位置を確定するためになされる視野輪郭位置確定指示を入力装置を経て受け付ける視野輪郭位置確定指示受付手段と、
該視野輪郭位置確定指示受付手段により前記視野輪郭位置確定指示が受け付けられた時には、
前記視標表示位置記憶手段により記憶装置に記憶された前記視標の表示位置を読み出し、
該表示位置に基づき、
前記視野輪郭記録画面に、前記視標視覚認識変化点の位置を記録する視野輪郭位置記録手段と、
前記視標走査線に対する走査を終えると、
走査線換えを行い同上の走査を続行する走査続行手段と、
を、
備えることを特徴とする
視野輪郭抽出装置。
【請求項２】
コンピュータを、
視野における視標視覚認識変化点から構成される視野輪郭を抽出するための視野輪郭抽出画面を出力装置に生成する視野輪郭抽出画面生成手段と、
該視野輪郭抽出画面において抽出される前記視野輪郭を記録するための視野輪郭記録画面を出力装置に生成する視野輪郭記録画面生成手段と、
前記視野輪郭抽出画面生成手段により生成される視野輪郭抽出画面に、視野輪郭抽出の際被験者に凝視される固視標を表示する固視標表示制御手段と、
前記視野輪郭を抽出するために利用される視標がたどる経路としての視標走査線を、前記視野輪郭抽出画面に、複数本、互いに平行となるように設定する視標走査線設定手段と、
該視標走査線設定手段により設定される視標走査線上に一つの視標を表示する視標表示制御手段と、
該視標表示制御手段により表示されている前記視標の表示位置を記憶装置に記憶する視標表示位置記憶手段と、
前記視野輪郭抽出画面における前記視標の走査方向を所定の第一方向に設定し、且つ該視標の走査速度を所定の第一速度に設定するためになされる第一指示を入力装置を経て受け付ける第一指示受付手段と、
前記視標表示制御手段は、
前記第一指示受付手段により前記第一指示が受け付けられている間は、前記視野輪郭抽出画面において、
前記視標の走査方向を前記第一方向にし、且つ
前記視標の走査速度を前記第一速度にする
視標第一表示制御手段
をさらに備えるが、該視標第一表示制御手段と、
前記視野輪郭抽出画面における前記視標の走査方向を前記第一方向とは逆方向である第二方向に設定し、且つ前記視標の走査速度を前記第一速度以下の所定の第二速度に設定するためになされる第二指示を入力装置を経て受け付ける第二指示受付手段と、
前記視標表示制御手段は、
前記第二指示受付手段により前記第二指示が受け付けられた時には、前記視野輪郭抽出画面において、
前記視標の走査方向を前記第二方向にし、且つ
前記視標の走査速度を前記第二速度にする
視標第二表示制御手段
をさらに備えるが、該視標第二表示制御手段と、
前記視野輪郭抽出画面における前記視標の走査方向を前記第一方向に設定し、且つ前記視標の走査速度を前記第一速度以下の所定の第三速度に設定するためになされる第三指示を入力装置を経て受け付ける第三指示受付手段と、
前記視標表示制御手段は、
前記第三指示受付手段により前記第三指示が受け付けられた時には、
前記視野輪郭抽出画面において、
前記視標の走査方向を前記第一方向にし、且つ
前記視標の走査速度を前記第三速度にする
視標第三表示制御手段
をさらに備えるが、該視標第三表示制御手段と、
前記視野輪郭を構成する前記視標視覚認識変化点の位置を確定するためになされる視野輪郭位置確定指示を入力装置を経て受け付ける視野輪郭位置確定指示受付手段と、
該視野輪郭位置確定指示受付手段により前記視野輪郭位置確定指示が受け付けられた時には、
前記視標表示位置記憶手段により記憶装置に記憶された前記視標の表示位置を読み出し、
該表示位置に基づき、
前記視野輪郭記録画面に、前記視標視覚認識変化点の位置を記録する視野輪郭位置記録手段と、
前記視標走査線に対する走査を終えると、
走査線換えを行い同上の走査を続行する走査続行手段、
として機能させることを特徴とするプログラム。
【請求項３】
視野における視標視覚認識変化点から構成される視野輪郭を抽出するための視野輪郭抽出画面を出力装置に生成する視野輪郭抽出画面生成手段と、
該視野輪郭抽出画面において抽出される前記視野輪郭を記録するための視野輪郭記録画面を出力装置に生成する視野輪郭記録画面生成手段と、
前記視野輪郭抽出画面生成手段により生成される視野輪郭抽出画面に、視野輪郭抽出の際被験者に凝視される固視標を表示する固視標表示制御手段と、
前記視野輪郭を抽出するために利用される視標がたどる経路としての視標走査線を、前記視野輪郭抽出画面に、複数本、互いに平行となるように設定する視標走査線設定手段と、
該視標走査線設定手段により設定される視標走査線上に一つの視標を表示する視標表示制御手段と、
該視標表示制御手段により表示されている前記視標の表示位置を記憶装置に記憶する視標表示位置記憶手段と、
前記視野輪郭抽出画面における前記視標の走査方向を所定の第一方向に設定し、且つ該視標の走査速度を所定の第一速度に設定するためになされる第一指示を入力装置を経て受け付ける第一指示受付手段と、
前記視標表示制御手段は、
前記第一指示受付手段により前記第一指示が受け付けられている間は、前記視野輪郭抽出画面において、
前記視標の走査方向を前記第一方向にし、且つ
前記視標の走査速度を前記第一速度にする
視標第一表示制御手段
をさらに備えるが、該視標第一表示制御手段と、
前記視野輪郭抽出画面における前記視標の走査方向を前記第一方向とは逆方向である第二方向に設定し、且つ前記視標の走査速度を前記第一速度以下の所定の第二速度に設定するためになされる第二指示を入力装置を経て受け付ける第二指示受付手段と、
前記視標表示制御手段は、
前記第二指示受付手段により前記第二指示が受け付けられた時には、
前記視野輪郭抽出画面において、
前記視標の走査方向を前記第二方向にし、且つ
前記視標の走査速度を前記第二速度にする
視標第二表示制御手段
をさらに備えるが、該視標第二表示制御手段と、
前記視野輪郭抽出画面における前記視標の走査方向を前記第一方向に設定し、且つ前記視標の走査速度を前記第一速度以下の所定の第三速度に設定するためになされる第三指示を入力装置を経て受け付ける第三指示受付手段と、
前記視標表示制御手段は、
前記第三指示受付手段により前記第三指示が受け付けられた時には、
前記視野輪郭抽出画面において、
前記視標の走査方向を前記第一方向にし、且つ
前記視標の走査速度を前記第三速度にする
視標第三表示制御手段
をさらに備えるが、該視標第三表示制御手段と、
前記視野輪郭を構成する前記視標視覚認識変化点の位置を確定するためになされる視野輪郭位置確定指示を入力装置を経て受け付ける視野輪郭位置確定指示受付手段と、
該視野輪郭位置確定指示受付手段により前記視野輪郭位置確定指示が受け付けられた時には、
前記視標表示位置記憶手段により記憶装置に記憶された前記視標の表示位置を読み出し、
該表示位置に基づき、
前記視野輪郭記録画面に
前記視標視覚認識変化点の位置を記録する視野輪郭位置記録手段と、
前記視標走査線に対する走査を終えると
走査線換えを行い同上の走査を続行する走査続行手段とを備えることを特徴とする
請求項１に記載の視野輪郭抽出装置
であって、
前記視標走査線設定手段は、
該視標走査線設定手段が設定する前記視標走査線に直交して視標を走査させるための経路である直交視標走査線を、前記視野輪郭抽出画面に、複数本、前記直交視標走査線同士が互いに平行となるように設定する直交視標走査線設定手段をさらに備え、
前記走査続行手段が、
前記視標走査線設定手段により設定された前記視標走査線に対する走査を終えると、
前記直交視標走査線設定手段により設定される前記直交視標走査線上に一つの視標を、直交視標として、表示する直交視標表示制御手段と、
該直交視標表示制御手段により表示されている前記直交視標の表示位置を記憶装置に記憶する直交視標表示位置記憶手段と、
前記視野輪郭抽出画面における前記直交視標の走査方向を所定の第四方向に設定し、且つ該直交視標の走査速度を所定の第四速度に設定するためになされる第四指示を入力装置を経て受け付ける第四指示受付手段と、
前記直交視標表示制御手段は、
前記第四指示受付手段により前記第四指示が受け付けられている間は、前記視野輪郭抽出画面において、
前記直交視標の走査方向を前記第四方向にし、且つ
前記直交視標の走査速度を前記第四速度にする
直交視標第四表示制御手段
をさらに備えるが、該直交視標第四表示制御手段と、
前記視野輪郭抽出画面における前記直交視標の走査方向を前記第四方向とは逆方向である第五方向に設定し、且つ前記直交視標の走査速度を前記第四速度以下の所定の第五速度に設定するためになされる第五指示を入力装置を経て受け付ける第五指示受付手段と、
前記直交視標表示制御手段は、
前記第五指示受付手段により前記第五指示が受け付けられた時には、
前記視野輪郭抽出画面において、
前記直交視標の走査方向を前記第五方向にし、且つ
前記直交視標の走査速度を前記第五速度にする
直交視標第五表示制御手段
をさらに備えるが、該直交視標第五表示制御手段と、
前記視野輪郭抽出画面における前記直交視標の走査方向を前記第四方向に設定し、且つ前記直交視標の走査速度を前記第四速度以下の所定の第六速度に設定するためになされる第六指示を入力装置を経て受け付ける第六指示受付手段と、
前記直交視標表示制御手段は、
前記第六指示受付手段により前記第六指示が受け付けられた時には、
前記視野輪郭抽出画面において、
前記直交視標の走査方向を前記第四方向にし、且つ
前記直交視標の走査速度を前記第六速度にする
直交視標第六表示制御手段
をさらに備えるが、該直交視標第六表示制御手段と、
前記視野輪郭位置確定指示受付手段により前記視野輪郭位置確定指示が受け付けられた時には、
前記直交視標表示位置記憶手段により記憶装置に記憶された前記直交視標の表示位置を読み出し、
該表示位置に基づき、
前記視野輪郭記録画面に
前記視標視覚認識変化点の位置を記録する直交視標視野輪郭位置記録手段と、
前記直交視標走査線に対する走査を終えると、
走査線換えを行い、次の直交視標走査線に対して同上の走査を続行する直交走査続行手段と、
を備えることを特徴とする
視野輪郭抽出装置。
【請求項４】
コンピュータを、
視野における視標視覚認識変化点から構成される視野輪郭を抽出するための視野輪郭抽出画面を出力装置に生成する視野輪郭抽出画面生成手段と、
該視野輪郭抽出画面において抽出される前記視野輪郭を記録するための視野輪郭記録画面を出力装置に生成する視野輪郭記録画面生成手段と、
前記視野輪郭抽出画面生成手段により生成される視野輪郭抽出画面に、視野輪郭抽出の際被験者に凝視される固視標を表示する固視標表示制御手段と、
前記視野輪郭を抽出するために利用される視標がたどる経路としての視標走査線を、前記視野輪郭抽出画面に、複数本、互いに平行となるように設定する視標走査線設定手段と、
該視標走査線設定手段により設定される視標走査線上に一つの視標を表示する視標表示制御手段と、
該視標表示制御手段により表示されている前記視標の表示位置を記憶装置に記憶する視標表示位置記憶手段と、
前記視野輪郭抽出画面における前記視標の走査方向を所定の第一方向に設定し、且つ該視標の走査速度を所定の第一速度に設定するためになされる第一指示を入力装置を経て受け付ける第一指示受付手段と、
前記視標表示制御手段は、
前記第一指示受付手段により前記第一指示が受け付けられている間は、前記視野輪郭抽出画面において、
前記視標の走査方向を前記第一方向にし、且つ
前記視標の走査速度を前記第一速度にする
視標第一表示制御手段
をさらに備えるが、該視標第一表示制御手段と、
前記視野輪郭抽出画面における前記視標の走査方向を前記第一方向とは逆方向である第二方向に設定し、且つ前記視標の走査速度を前記第一速度以下の所定の第二速度に設定するためになされる第二指示を入力装置を経て受け付ける第二指示受付手段と、
前記視標表示制御手段は、
前記第二指示受付手段により前記第二指示が受け付けられた時には、
前記視野輪郭抽出画面において、
前記視標の走査方向を前記第二方向にし、且つ
前記視標の走査速度を前記第二速度にする
視標第二表示制御手段
をさらに備えるが、該視標第二表示制御手段と、
前記視野輪郭抽出画面における前記視標の走査方向を前記第一方向に設定し、且つ前記視標の走査速度を前記第一速度以下の所定の第三速度に設定するためになされる第三指示を入力装置を経て受け付ける第三指示受付手段と、
前記視標表示制御手段は、
前記第三指示受付手段により前記第三指示が受け付けられた時には、
前記視野輪郭抽出画面において、
前記視標の走査方向を前記第一方向にし、且つ
前記視標の走査速度を前記第三速度にする
視標第三表示制御手段
をさらに備えるが、該視標第三表示制御手段と、
前記視野輪郭を構成する前記視標視覚認識変化点の位置を確定するためになされる視野輪郭位置確定指示を入力装置を経て受け付ける視野輪郭位置確定指示受付手段と、
該視野輪郭位置確定指示受付手段により前記視野輪郭位置確定指示が受け付けられた時には、
前記視標表示位置記憶手段により記憶装置に記憶された前記視標の表示位置を読み出し、
該表示位置に基づき、
前記視野輪郭記録画面に
前記視標視覚認識変化点の位置を記録する視野輪郭位置記録手段と、
前記視標走査線に対する走査を終えると
走査線換えを行い同上の走査を続行する走査続行手段、
として機能させることを特徴とする
請求項２に記載のプログラム
であって、
前記視標走査線設定手段は、
該視標走査線設定手段が設定する前記視標走査線に直交して視標を走査させるための経路である直交視標走査線を、前記視野輪郭抽出画面に、複数本、前記直交視標走査線同士が互いに平行となるように設定する直交視標走査線設定手段をさらに備え、
前記走査続行手段が、
前記視標走査線設定手段により設定された前記視標走査線に対する走査を終えると、
前記直交視標走査線設定手段により設定される前記直交視標走査線上に一つの視標を、直交視標として、表示する直交視標表示制御手段と、
該直交視標表示制御手段により表示されている前記直交視標の表示位置を記憶装置に記憶する直交視標表示位置記憶手段と、
前記視野輪郭抽出画面における前記直交視標の走査方向を所定の第四方向に設定し、且つ該直交視標の走査速度を所定の第四速度に設定するためになされる第四指示を入力装置を経て受け付ける第四指示受付手段と、
前記直交視標表示制御手段は、
前記第四指示受付手段により前記第四指示が受け付けられている間は、前記視野輪郭抽出画面において、
前記直交視標の走査方向を前記第四方向にし、且つ
前記直交視標の走査速度を前記第四速度にする
直交視標第四表示制御手段
をさらに備えるが、該直交視標第四表示制御手段と、
前記視野輪郭抽出画面における前記直交視標の走査方向を前記第四方向とは逆方向である第五方向に設定し、且つ前記直交視標の走査速度を前記第四速度以下の所定の第五速度に設定するためになされる第五指示を入力装置を経て受け付ける第五指示受付手段と、
前記直交視標表示制御手段は、
前記第五指示受付手段により前記第五指示が受け付けられた時には、
前記視野輪郭抽出画面において、
前記直交視標の走査方向を前記第五方向にし、且つ
前記直交視標の走査速度を前記第五速度にする
直交視標第五表示制御手段
をさらに備えるが、該直交視標第五表示制御手段と、
前記視野輪郭抽出画面における前記直交視標の走査方向を前記第四方向に設定し、且つ前記直交視標の走査速度を前記第四速度以下の所定の第六速度に設定するためになされる第六指示を入力装置を経て受け付ける第六指示受付手段と、
前記直交視標表示制御手段は、
前記第六指示受付手段により前記第六指示が受け付けられた時には、
前記視野輪郭抽出画面において、
前記直交視標の走査方向を前記第四方向にし、且つ
前記直交視標の走査速度を前記第六速度にする
直交視標第六表示制御手段
をさらに備えるが、該直交視標第六表示制御手段と、
前記視野輪郭位置確定指示受付手段により前記視野輪郭位置確定指示が受け付けられた時には、
前記直交視標表示位置記憶手段により記憶装置に記憶された前記直交視標の表示位置を読み出し、
該表示位置に基づき、
前記視野輪郭記録画面に
前記視標視覚認識変化点の位置を記録する直交視標視野輪郭位置記録手段と、
前記直交視標走査線に対する走査を終えると、
走査線換えを行い、次の直交視標走査線に対して同上の走査を続行する直交走査続行手段、として、コンピュータを機能させることを特徴とするプログラム。
【請求項５】
請求項１に記載の視野輪郭抽出装置において、
前記第一指示受付手段、前記第二指示受付手段、前記第三指示受付手段、に代えて、
走査速度可変指示受付手段を備え、
前記視標第一表示制御手段、前記視標第二表示制御手段、前記視標第三表示制御手段、に代えて、
走査速度可変手段を備えること、
を特徴とする視野輪郭抽出装置であって、
前記走査速度可変指示受付手段は、
前記視野輪郭抽出画面における前記視標の走査速度を可変させて設定するためになされる指示を入力装置を経て受け付け、
前記視標表示制御手段は、
前記走査速度可変指示受付手段により走査速度可変の指示が受け付けられると、前記視野輪郭抽出画面において、
前記視標の走査速度を
可変させて設定する
前記走査速度可変手段
をさらに備えることを特徴とする視野輪郭抽出装置。
【請求項６】
請求項２に記載のプログラムにおいて、
コンピュータを、
前記第一指示受付手段、前記第二指示受付手段、前記第三指示受付手段、として機能させることに代えて、
コンピュータを、
走査速度可変指示受付手段、として機能させ、
コンピュータを、
前記視標第一表示制御手段、前記視標第二表示制御手段、前記視標第三表示制御手段、として機能させることに代えて、
コンピュータを、
走査速度可変手段、として機能させること、
を特徴とするプログラムであって、
前記走査速度可変指示受付手段は、
前記視野輪郭抽出画面における前記視標の走査速度を可変させて設定するためになされる指示を入力装置を経て受け付け、
前記視標表示制御手段は、
前記走査速度可変指示受付手段により走査速度可変の指示が受け付けられると、前記視野輪郭抽出画面において、
前記視標の走査速度を
可変させて設定する
前記走査速度可変手段
をさらに備えることを特徴とする。
【請求項７】
請求項３に記載の視野輪郭抽出装置において、
前記第一指示受付手段、前記第二指示受付手段、前記第三指示受付手段、に代えて、
走査速度可変指示受付手段を備え、
前記視標第一表示制御手段、前記視標第二表示制御手段、前記視標第三表示制御手段、に代えて、
走査速度可変手段を備え、
前記第四指示受付手段、前記第五指示受付手段、前記第六指示受付手段、に代えて、
直交走査速度可変指示受付手段を備え、
前記直交視標第四表示制御手段、前記直交視標第五表示制御手段、前記直交視標第六表示制御手段、に代えて、
直交走査速度可変手段を備えること、
を特徴とする視野輪郭抽出装置であって、
前記走査速度可変指示受付手段は、
前記視野輪郭抽出画面における前記視標の走査速度を可変させて設定するためになされる指示を入力装置を経て受け付け、
前記視標表示制御手段は、
前記走査速度可変指示受付手段により走査速度可変の指示が受け付けられると、前記視野輪郭抽出画面において、
前記視標の走査速度を
可変させて設定する
前記走査速度可変手段
をさらに備え、
前記直交走査速度可変指示受付手段は、
前記視野輪郭抽出画面における前記直交視標の走査速度を可変させて設定するためになされる指示を入力装置を経て受け付け、
前記直交視標表示制御手段は、
前記直交走査速度可変指示受付手段により走査速度可変の指示が受け付けられると、前記視野輪郭抽出画面において、
前記直交視標の走査速度を
可変させて設定する
前記直交走査速度可変手段
をさらに備えることを特徴とする視野輪郭抽出装置。
【請求項８】
請求項４に記載のプログラムにおいて、
コンピュータを、
前記第一指示受付手段、前記第二指示受付手段、前記第三指示受付手段、として機能させることに代えて、
コンピュータを、
走査速度可変指示受付手段として機能させ、
コンピュータを、
前記視標第一表示制御手段、前記視標第二表示制御手段、前記視標第三表示制御手段、として機能させることに代えて、
コンピュータを、
走査速度可変手段として機能させ、
コンピュータを、
前記第四指示受付手段、前記第五指示受付手段、前記第六指示受付手段、として機能させることに代えて、
コンピュータを、
直交走査速度可変指示受付手段として機能させ、
コンピュータを、
前記直交視標第四表示制御手段、前記直交視標第五表示制御手段、前記直交視標第六表示制御手段、として機能させることに代えて、
コンピュータを、
直交走査速度可変手段として機能させること、
を特徴とするプログラムであって、
前記走査速度可変指示受付手段は、
前記視野輪郭抽出画面における前記視標の走査速度を可変させて設定するためになされる指示を入力装置を経て受け付け、
前記視標表示制御手段は、
前記走査速度可変指示受付手段により走査速度可変の指示が受け付けられると、前記視野輪郭抽出画面において、
前記視標の走査速度を
可変させて設定する
前記走査速度可変手段
をさらに備え、
前記直交走査速度可変指示受付手段は、
前記視野輪郭抽出画面における前記直交視標の走査速度を可変させて設定するためになされる指示を入力装置を経て受け付け、
前記直交視標表示制御手段は、
前記直交走査速度可変指示受付手段により走査速度可変の指示が受け付けられると、前記視野輪郭抽出画面において、
前記直交視標の走査速度を
可変させて設定する
前記直交走査速度可変手段
をさらに備えることを特徴とする。
【発明の詳細な説明】
【技術分野】
【０００１】
本発明は、視野輪郭抽出装置、視野輪郭抽出装置作動方法、視野輪郭抽出装置を実現させるプログラム、及びコンピュータに読み取り可能な記録媒体に関する。
【背景技術】
【０００２】
従来の視野計には次のような物がある。
Goldmann perimeter、５１０型（１９４５年）、９４０型（１９６７年）、Tubinger perimeter（１９５７年）、Octopus perimeter（１９７６年）。（例えば、非特許文献１参照。）。
【０００３】
従来の視野計を説明する。Goldmann perimeterは最初の明度視野計、手動同時記録式であり、視標輝度は4から60種、視標視角は6種、視角視野、背景輝度の調整が可能。欠点は5°以内の中心部測定が不可能であること。Tubinger perimeter（１９５７年）は最初の実用的静視野計である。動的視野、色視野、フリッカー視野など測定できる。手動同時記録式。視標輝度80種、固視標輝度100種、色5種、背景輝度6種。中心視力、中心外視力測定。欠点は視標移動の操作が難しいこと、視標、固視標、背景照明灯の調整が難しいこと。Octopus perimeter（１９７６年）は世界最初の全自動静視野計。
【０００４】
【非特許文献１】最新医学大辞典（１９８７、１９９０年）、医歯薬出版株式会社。
【発明の開示】
【発明が解決しようとする課題】
【０００５】
従来の視野計によって検出される暗点や盲点の形状は非常に大雑把であり、検査結果の図は被験者にとっての暗点や盲点の実際の形状から相当かけはなれている。
従来の視野計は、検査時間が長い。
従来の視野計には冗長性がある。
従来の視野計では、初期段階にある視野障害を検出できていない。
検査が非常に単調な繰り返しであるため、慣れなどにより被験者が誤り応答を行う可能性が高い。
【０００６】
そこで、本発明の目的は、視野検査の高速度化を実現しながら、同時に、検査精度を著しく高めることができる本発明、視野輪郭抽出装置を提供することにある。
また、本発明の目的は、被験者の暗点や盲点の形状をより詳しく検査結果の図に反映させることが可能な視野輪郭抽出装置を提供することにある。
また、本発明の目的は、従来の視野検査の単調性を低減する本発明、視野輪郭抽出装置を提供することにある。
【課題を解決するための手段】
【０００７】
上記の目的を達成するために、
請求項１に記載の発明は、
視野における視標視覚認識変化点から構成される視野輪郭を抽出するための視野輪郭抽出画面を出力装置に生成する視野輪郭抽出画面生成手段と、
該視野輪郭抽出画面において抽出される前記視野輪郭を記録するための視野輪郭記録画面を出力装置に生成する視野輪郭記録画面生成手段と、
前記視野輪郭抽出画面生成手段により生成される視野輪郭抽出画面に、視野輪郭抽出の際被験者に凝視される固視標を表示する固視標表示制御手段と、
前記視野輪郭を抽出するために利用される視標がたどる経路としての視標走査線を、前記視野輪郭抽出画面に、複数本、互いに平行となるように設定する視標走査線設定手段と、
該視標走査線設定手段により設定される視標走査線上に一つの視標を表示する視標表示制御手段と、
該視標表示制御手段により表示されている前記視標の表示位置を記憶装置に記憶する視標表示位置記憶手段と、
前記視野輪郭抽出画面における前記視標の走査方向を所定の第一方向に設定し、且つ該視標の走査速度を所定の第一速度に設定するためになされる第一指示を入力装置を経て受け付ける第一指示受付手段と、
前記視標表示制御手段は、
前記第一指示受付手段により前記第一指示が受け付けられている間は、前記視野輪郭抽出画面において、
前記視標の走査方向を前記第一方向にし、且つ
前記視標の走査速度を前記第一速度にする
視標第一表示制御手段
をさらに備えるが、該視標第一表示制御手段と、
前記視野輪郭抽出画面における前記視標の走査方向を前記第一方向とは逆方向である第二方向に設定し、且つ前記視標の走査速度を前記第一速度以下の所定の第二速度に設定するためになされる第二指示を入力装置を経て受け付ける第二指示受付手段と、
前記視標表示制御手段は、
前記第二指示受付手段により前記第二指示が受け付けられた時には、前記視野輪郭抽出画面において、
前記視標の走査方向を前記第二方向にし、且つ
前記視標の走査速度を前記第二速度にする
視標第二表示制御手段
をさらに備えるが、該視標第二表示制御手段と、
前記視野輪郭抽出画面における前記視標の走査方向を前記第一方向に設定し、且つ前記視標の走査速度を前記第一速度以下の所定の第三速度に設定するためになされる第三指示を入力装置を経て受け付ける第三指示受付手段と、
前記視標表示制御手段は、
前記第三指示受付手段により前記第三指示が受け付けられた時には、
前記視野輪郭抽出画面において、
前記視標の走査方向を前記第一方向にし、且つ
前記視標の走査速度を前記第三速度にする
視標第三表示制御手段
をさらに備えるが、該視標第三表示制御手段と、
前記視野輪郭を構成する前記視標視覚認識変化点の位置を確定するためになされる視野輪郭位置確定指示を入力装置を経て受け付ける視野輪郭位置確定指示受付手段と、
該視野輪郭位置確定指示受付手段により前記視野輪郭位置確定指示が受け付けられた時には、
前記視標表示位置記憶手段により記憶装置に記憶された前記視標の表示位置を読み出し、
該表示位置に基づき、
前記視野輪郭記録画面に、前記視標視覚認識変化点の位置を記録する視野輪郭位置記録手段と、
前記視標走査線に対する走査を終えると、
走査線換えを行い同上の走査を続行する走査続行手段と、
を、
備えることを特徴とする
視野輪郭抽出装置。
【０００８】
請求項２に記載の発明は、
コンピュータを、
視野における視標視覚認識変化点から構成される視野輪郭を抽出するための視野輪郭抽出画面を出力装置に生成する視野輪郭抽出画面生成手段と、
該視野輪郭抽出画面において抽出される前記視野輪郭を記録するための視野輪郭記録画面を出力装置に生成する視野輪郭記録画面生成手段と、
前記視野輪郭抽出画面生成手段により生成される視野輪郭抽出画面に、視野輪郭抽出の際被験者に凝視される固視標を表示する固視標表示制御手段と、
前記視野輪郭を抽出するために利用される視標がたどる経路としての視標走査線を、前記視野輪郭抽出画面に、複数本、互いに平行となるように設定する視標走査線設定手段と、
該視標走査線設定手段により設定される視標走査線上に一つの視標を表示する視標表示制御手段と、
該視標表示制御手段により表示されている前記視標の表示位置を記憶装置に記憶する視標表示位置記憶手段と、
前記視野輪郭抽出画面における前記視標の走査方向を所定の第一方向に設定し、且つ該視標の走査速度を所定の第一速度に設定するためになされる第一指示を入力装置を経て受け付ける第一指示受付手段と、
前記視標表示制御手段は、
前記第一指示受付手段により前記第一指示が受け付けられている間は、前記視野輪郭抽出画面において、
前記視標の走査方向を前記第一方向にし、且つ
前記視標の走査速度を前記第一速度にする
視標第一表示制御手段
をさらに備えるが、該視標第一表示制御手段と、
前記視野輪郭抽出画面における前記視標の走査方向を前記第一方向とは逆方向である第二方向に設定し、且つ前記視標の走査速度を前記第一速度以下の所定の第二速度に設定するためになされる第二指示を入力装置を経て受け付ける第二指示受付手段と、
前記視標表示制御手段は、
前記第二指示受付手段により前記第二指示が受け付けられた時には、前記視野輪郭抽出画面において、
前記視標の走査方向を前記第二方向にし、且つ
前記視標の走査速度を前記第二速度にする
視標第二表示制御手段
をさらに備えるが、該視標第二表示制御手段と、
前記視野輪郭抽出画面における前記視標の走査方向を前記第一方向に設定し、且つ前記視標の走査速度を前記第一速度以下の所定の第三速度に設定するためになされる第三指示を入力装置を経て受け付ける第三指示受付手段と、
前記視標表示制御手段は、
前記第三指示受付手段により前記第三指示が受け付けられた時には、
前記視野輪郭抽出画面において、
前記視標の走査方向を前記第一方向にし、且つ
前記視標の走査速度を前記第三速度にする
視標第三表示制御手段
をさらに備えるが、該視標第三表示制御手段と、
前記視野輪郭を構成する前記視標視覚認識変化点の位置を確定するためになされる視野輪郭位置確定指示を入力装置を経て受け付ける視野輪郭位置確定指示受付手段と、
該視野輪郭位置確定指示受付手段により前記視野輪郭位置確定指示が受け付けられた時には、
前記視標表示位置記憶手段により記憶装置に記憶された前記視標の表示位置を読み出し、
該表示位置に基づき、
前記視野輪郭記録画面に、前記視標視覚認識変化点の位置を記録する視野輪郭位置記録手段と、
前記視標走査線に対する走査を終えると、
走査線換えを行い同上の走査を続行する走査続行手段、
として機能させることを特徴とするプログラム。
【０００９】
請求項３に記載の発明は、
視野における視標視覚認識変化点から構成される視野輪郭を抽出するための視野輪郭抽出画面を出力装置に生成する視野輪郭抽出画面生成手段と、
該視野輪郭抽出画面において抽出される前記視野輪郭を記録するための視野輪郭記録画面を出力装置に生成する視野輪郭記録画面生成手段と、
前記視野輪郭抽出画面生成手段により生成される視野輪郭抽出画面に、視野輪郭抽出の際被験者に凝視される固視標を表示する固視標表示制御手段と、
前記視野輪郭を抽出するために利用される視標がたどる経路としての視標走査線を、前記視野輪郭抽出画面に、複数本、互いに平行となるように設定する視標走査線設定手段と、
該視標走査線設定手段により設定される視標走査線上に一つの視標を表示する視標表示制御手段と、
該視標表示制御手段により表示されている前記視標の表示位置を記憶装置に記憶する視標表示位置記憶手段と、
前記視野輪郭抽出画面における前記視標の走査方向を所定の第一方向に設定し、且つ該視標の走査速度を所定の第一速度に設定するためになされる第一指示を入力装置を経て受け付ける第一指示受付手段と、
前記視標表示制御手段は、
前記第一指示受付手段により前記第一指示が受け付けられている間は、前記視野輪郭抽出画面において、
前記視標の走査方向を前記第一方向にし、且つ
前記視標の走査速度を前記第一速度にする
視標第一表示制御手段
をさらに備えるが、該視標第一表示制御手段と、
前記視野輪郭抽出画面における前記視標の走査方向を前記第一方向とは逆方向である第二方向に設定し、且つ前記視標の走査速度を前記第一速度以下の所定の第二速度に設定するためになされる第二指示を入力装置を経て受け付ける第二指示受付手段と、
前記視標表示制御手段は、
前記第二指示受付手段により前記第二指示が受け付けられた時には、
前記視野輪郭抽出画面において、
前記視標の走査方向を前記第二方向にし、且つ
前記視標の走査速度を前記第二速度にする
視標第二表示制御手段
をさらに備えるが、該視標第二表示制御手段と、
前記視野輪郭抽出画面における前記視標の走査方向を前記第一方向に設定し、且つ前記視標の走査速度を前記第一速度以下の所定の第三速度に設定するためになされる第三指示を入力装置を経て受け付ける第三指示受付手段と、
前記視標表示制御手段は、
前記第三指示受付手段により前記第三指示が受け付けられた時には、
前記視野輪郭抽出画面において、
前記視標の走査方向を前記第一方向にし、且つ
前記視標の走査速度を前記第三速度にする
視標第三表示制御手段
をさらに備えるが、該視標第三表示制御手段と、
前記視野輪郭を構成する前記視標視覚認識変化点の位置を確定するためになされる視野輪郭位置確定指示を入力装置を経て受け付ける視野輪郭位置確定指示受付手段と、
該視野輪郭位置確定指示受付手段により前記視野輪郭位置確定指示が受け付けられた時には、
前記視標表示位置記憶手段により記憶装置に記憶された前記視標の表示位置を読み出し、
該表示位置に基づき、
前記視野輪郭記録画面に
前記視標視覚認識変化点の位置を記録する視野輪郭位置記録手段と、
前記視標走査線に対する走査を終えると
走査線換えを行い同上の走査を続行する走査続行手段とを備えることを特徴とする
請求項１に記載の視野輪郭抽出装置
であって、
前記視標走査線設定手段は、
該視標走査線設定手段が設定する前記視標走査線に直交して視標を走査させるための経路である直交視標走査線を、前記視野輪郭抽出画面に、複数本、前記直交視標走査線同士が互いに平行となるように設定する直交視標走査線設定手段をさらに備え、
前記走査続行手段が、
前記視標走査線設定手段により設定された前記視標走査線に対する走査を終えると、
前記直交視標走査線設定手段により設定される前記直交視標走査線上に一つの視標を、直交視標として、表示する直交視標表示制御手段と、
該直交視標表示制御手段により表示されている前記直交視標の表示位置を記憶装置に記憶する直交視標表示位置記憶手段と、
前記視野輪郭抽出画面における前記直交視標の走査方向を所定の第四方向に設定し、且つ該直交視標の走査速度を所定の第四速度に設定するためになされる第四指示を入力装置を経て受け付ける第四指示受付手段と、
前記直交視標表示制御手段は、
前記第四指示受付手段により前記第四指示が受け付けられている間は、前記視野輪郭抽出画面において、
前記直交視標の走査方向を前記第四方向にし、且つ
前記直交視標の走査速度を前記第四速度にする
直交視標第四表示制御手段
をさらに備えるが、該直交視標第四表示制御手段と、
前記視野輪郭抽出画面における前記直交視標の走査方向を前記第四方向とは逆方向である第五方向に設定し、且つ前記直交視標の走査速度を前記第四速度以下の所定の第五速度に設定するためになされる第五指示を入力装置を経て受け付ける第五指示受付手段と、
前記直交視標表示制御手段は、
前記第五指示受付手段により前記第五指示が受け付けられた時には、
前記視野輪郭抽出画面において、
前記直交視標の走査方向を前記第五方向にし、且つ
前記直交視標の走査速度を前記第五速度にする
直交視標第五表示制御手段
をさらに備えるが、該直交視標第五表示制御手段と、
前記視野輪郭抽出画面における前記直交視標の走査方向を前記第四方向に設定し、且つ前記直交視標の走査速度を前記第四速度以下の所定の第六速度に設定するためになされる第六指示を入力装置を経て受け付ける第六指示受付手段と、
前記直交視標表示制御手段は、
前記第六指示受付手段により前記第六指示が受け付けられた時には、
前記視野輪郭抽出画面において、
前記直交視標の走査方向を前記第四方向にし、且つ
前記直交視標の走査速度を前記第六速度にする
直交視標第六表示制御手段
をさらに備えるが、該直交視標第六表示制御手段と、
前記視野輪郭位置確定指示受付手段により前記視野輪郭位置確定指示が受け付けられた時には、
前記直交視標表示位置記憶手段により記憶装置に記憶された前記直交視標の表示位置を読み出し、
該表示位置に基づき、
前記視野輪郭記録画面に
前記視標視覚認識変化点の位置を記録する直交視標視野輪郭位置記録手段と、
前記直交視標走査線に対する走査を終えると、
走査線換えを行い、次の直交視標走査線に対して同上の走査を続行する直交走査続行手段と、
を備えることを特徴とする
視野輪郭抽出装置。
【００１０】
請求項４に記載の発明は、
コンピュータを、
視野における視標視覚認識変化点から構成される視野輪郭を抽出するための視野輪郭抽出画面を出力装置に生成する視野輪郭抽出画面生成手段と、
該視野輪郭抽出画面において抽出される前記視野輪郭を記録するための視野輪郭記録画面を出力装置に生成する視野輪郭記録画面生成手段と、
前記視野輪郭抽出画面生成手段により生成される視野輪郭抽出画面に、視野輪郭抽出の際被験者に凝視される固視標を表示する固視標表示制御手段と、
前記視野輪郭を抽出するために利用される視標がたどる経路としての視標走査線を、前記視野輪郭抽出画面に、複数本、互いに平行となるように設定する視標走査線設定手段と、
該視標走査線設定手段により設定される視標走査線上に一つの視標を表示する視標表示制御手段と、
該視標表示制御手段により表示されている前記視標の表示位置を記憶装置に記憶する視標表示位置記憶手段と、
前記視野輪郭抽出画面における前記視標の走査方向を所定の第一方向に設定し、且つ該視標の走査速度を所定の第一速度に設定するためになされる第一指示を入力装置を経て受け付ける第一指示受付手段と、
前記視標表示制御手段は、
前記第一指示受付手段により前記第一指示が受け付けられている間は、前記視野輪郭抽出画面において、
前記視標の走査方向を前記第一方向にし、且つ
前記視標の走査速度を前記第一速度にする
視標第一表示制御手段
をさらに備えるが、該視標第一表示制御手段と、
前記視野輪郭抽出画面における前記視標の走査方向を前記第一方向とは逆方向である第二方向に設定し、且つ前記視標の走査速度を前記第一速度以下の所定の第二速度に設定するためになされる第二指示を入力装置を経て受け付ける第二指示受付手段と、
前記視標表示制御手段は、
前記第二指示受付手段により前記第二指示が受け付けられた時には、
前記視野輪郭抽出画面において、
前記視標の走査方向を前記第二方向にし、且つ
前記視標の走査速度を前記第二速度にする
視標第二表示制御手段
をさらに備えるが、該視標第二表示制御手段と、
前記視野輪郭抽出画面における前記視標の走査方向を前記第一方向に設定し、且つ前記視標の走査速度を前記第一速度以下の所定の第三速度に設定するためになされる第三指示を入力装置を経て受け付ける第三指示受付手段と、
前記視標表示制御手段は、
前記第三指示受付手段により前記第三指示が受け付けられた時には、
前記視野輪郭抽出画面において、
前記視標の走査方向を前記第一方向にし、且つ
前記視標の走査速度を前記第三速度にする
視標第三表示制御手段
をさらに備えるが、該視標第三表示制御手段と、
前記視野輪郭を構成する前記視標視覚認識変化点の位置を確定するためになされる視野輪郭位置確定指示を入力装置を経て受け付ける視野輪郭位置確定指示受付手段と、
該視野輪郭位置確定指示受付手段により前記視野輪郭位置確定指示が受け付けられた時には、
前記視標表示位置記憶手段により記憶装置に記憶された前記視標の表示位置を読み出し、
該表示位置に基づき、
前記視野輪郭記録画面に
前記視標視覚認識変化点の位置を記録する視野輪郭位置記録手段と、
前記視標走査線に対する走査を終えると
走査線換えを行い同上の走査を続行する走査続行手段、
として機能させることを特徴とする
請求項２に記載のプログラム
であって、
前記視標走査線設定手段は、
該視標走査線設定手段が設定する前記視標走査線に直交して視標を走査させるための経路である直交視標走査線を、前記視野輪郭抽出画面に、複数本、前記直交視標走査線同士が互いに平行となるように設定する直交視標走査線設定手段をさらに備え、
前記走査続行手段が、
前記視標走査線設定手段により設定された前記視標走査線に対する走査を終えると、
前記直交視標走査線設定手段により設定される前記直交視標走査線上に一つの視標を、直交視標として、表示する直交視標表示制御手段と、
該直交視標表示制御手段により表示されている前記直交視標の表示位置を記憶装置に記憶する直交視標表示位置記憶手段と、
前記視野輪郭抽出画面における前記直交視標の走査方向を所定の第四方向に設定し、且つ該直交視標の走査速度を所定の第四速度に設定するためになされる第四指示を入力装置を経て受け付ける第四指示受付手段と、
前記直交視標表示制御手段は、
前記第四指示受付手段により前記第四指示が受け付けられている間は、前記視野輪郭抽出画面において、
前記直交視標の走査方向を前記第四方向にし、且つ
前記直交視標の走査速度を前記第四速度にする
直交視標第四表示制御手段
をさらに備えるが、該直交視標第四表示制御手段と、
前記視野輪郭抽出画面における前記直交視標の走査方向を前記第四方向とは逆方向である第五方向に設定し、且つ前記直交視標の走査速度を前記第四速度以下の所定の第五速度に設定するためになされる第五指示を入力装置を経て受け付ける第五指示受付手段と、
前記直交視標表示制御手段は、
前記第五指示受付手段により前記第五指示が受け付けられた時には、
前記視野輪郭抽出画面において、
前記直交視標の走査方向を前記第五方向にし、且つ
前記直交視標の走査速度を前記第五速度にする
直交視標第五表示制御手段
をさらに備えるが、該直交視標第五表示制御手段と、
前記視野輪郭抽出画面における前記直交視標の走査方向を前記第四方向に設定し、且つ前記直交視標の走査速度を前記第四速度以下の所定の第六速度に設定するためになされる第六指示を入力装置を経て受け付ける第六指示受付手段と、
前記直交視標表示制御手段は、
前記第六指示受付手段により前記第六指示が受け付けられた時には、
前記視野輪郭抽出画面において、
前記直交視標の走査方向を前記第四方向にし、且つ
前記直交視標の走査速度を前記第六速度にする
直交視標第六表示制御手段
をさらに備えるが、該直交視標第六表示制御手段と、
前記視野輪郭位置確定指示受付手段により前記視野輪郭位置確定指示が受け付けられた時には、
前記直交視標表示位置記憶手段により記憶装置に記憶された前記直交視標の表示位置を読み出し、
該表示位置に基づき、
前記視野輪郭記録画面に
前記視標視覚認識変化点の位置を記録する直交視標視野輪郭位置記録手段と、
前記直交視標走査線に対する走査を終えると、
走査線換えを行い、次の直交視標走査線に対して同上の走査を続行する直交走査続行手段、として、コンピュータを機能させることを特徴とするプログラム。
【００１１】
請求項５に記載の発明は、
請求項１に記載の視野輪郭抽出装置において、
前記第一指示受付手段、前記第二指示受付手段、前記第三指示受付手段、に代えて、
走査速度可変指示受付手段を備え、
前記視標第一表示制御手段、前記視標第二表示制御手段、前記視標第三表示制御手段、に代えて、
走査速度可変手段を備えること、
を特徴とする視野輪郭抽出装置であって、
前記走査速度可変指示受付手段は、
前記視野輪郭抽出画面における前記視標の走査速度を可変させて設定するためになされる指示を入力装置を経て受け付け、
前記視標表示制御手段は、
前記走査速度可変指示受付手段により走査速度可変の指示が受け付けられると、前記視野輪郭抽出画面において、
前記視標の走査速度を
可変させて設定する
前記走査速度可変手段
をさらに備えることを特徴とする視野輪郭抽出装置。
【００１２】
請求項６に記載の発明は、
請求項２に記載のプログラムにおいて、
コンピュータを、
前記第一指示受付手段、前記第二指示受付手段、前記第三指示受付手段、として機能させることに代えて、
コンピュータを、
走査速度可変指示受付手段、として機能させ、
コンピュータを、
前記視標第一表示制御手段、前記視標第二表示制御手段、前記視標第三表示制御手段、として機能させることに代えて、
コンピュータを、
走査速度可変手段、として機能させること、
を特徴とするプログラムであって、
前記走査速度可変指示受付手段は、
前記視野輪郭抽出画面における前記視標の走査速度を可変させて設定するためになされる指示を入力装置を経て受け付け、
前記視標表示制御手段は、
前記走査速度可変指示受付手段により走査速度可変の指示が受け付けられると、前記視野輪郭抽出画面において、
前記視標の走査速度を
可変させて設定する
前記走査速度可変手段
をさらに備えることを特徴とする。
【００１３】
請求項７に記載の発明は、
請求項３に記載の視野輪郭抽出装置において、
前記第一指示受付手段、前記第二指示受付手段、前記第三指示受付手段、に代えて、
走査速度可変指示受付手段を備え、
前記視標第一表示制御手段、前記視標第二表示制御手段、前記視標第三表示制御手段、に代えて、
走査速度可変手段を備え、
前記第四指示受付手段、前記第五指示受付手段、前記第六指示受付手段、に代えて、
直交走査速度可変指示受付手段を備え、
前記直交視標第四表示制御手段、前記直交視標第五表示制御手段、前記直交視標第六表示制御手段、に代えて、
直交走査速度可変手段を備えること、
を特徴とする視野輪郭抽出装置であって、
前記走査速度可変指示受付手段は、
前記視野輪郭抽出画面における前記視標の走査速度を可変させて設定するためになされる指示を入力装置を経て受け付け、
前記視標表示制御手段は、
前記走査速度可変指示受付手段により走査速度可変の指示が受け付けられると、前記視野輪郭抽出画面において、
前記視標の走査速度を
可変させて設定する
前記走査速度可変手段
をさらに備え、
前記直交走査速度可変指示受付手段は、
前記視野輪郭抽出画面における前記直交視標の走査速度を可変させて設定するためになされる指示を入力装置を経て受け付け、
前記直交視標表示制御手段は、
前記直交走査速度可変指示受付手段により走査速度可変の指示が受け付けられると、前記視野輪郭抽出画面において、
前記直交視標の走査速度を
可変させて設定する
前記直交走査速度可変手段
をさらに備えることを特徴とする視野輪郭抽出装置。
【００１４】
請求項８に記載の発明は、
請求項４に記載のプログラムにおいて、
コンピュータを、
前記第一指示受付手段、前記第二指示受付手段、前記第三指示受付手段、として機能させることに代えて、
コンピュータを、
走査速度可変指示受付手段として機能させ、
コンピュータを、
前記視標第一表示制御手段、前記視標第二表示制御手段、前記視標第三表示制御手段、として機能させることに代えて、
コンピュータを、
走査速度可変手段として機能させ、
コンピュータを、
前記第四指示受付手段、前記第五指示受付手段、前記第六指示受付手段、として機能させることに代えて、
コンピュータを、
直交走査速度可変指示受付手段として機能させ、
コンピュータを、
前記直交視標第四表示制御手段、前記直交視標第五表示制御手段、前記直交視標第六表示制御手段、として機能させることに代えて、
コンピュータを、
直交走査速度可変手段として機能させること、
を特徴とするプログラムであって、
前記走査速度可変指示受付手段は、
前記視野輪郭抽出画面における前記視標の走査速度を可変させて設定するためになされる指示を入力装置を経て受け付け、
前記視標表示制御手段は、
前記走査速度可変指示受付手段により走査速度可変の指示が受け付けられると、前記視野輪郭抽出画面において、
前記視標の走査速度を
可変させて設定する
前記走査速度可変手段
をさらに備え、
前記直交走査速度可変指示受付手段は、
前記視野輪郭抽出画面における前記直交視標の走査速度を可変させて設定するためになされる指示を入力装置を経て受け付け、
前記直交視標表示制御手段は、
前記直交走査速度可変指示受付手段により走査速度可変の指示が受け付けられると、前記視野輪郭抽出画面において、
前記直交視標の走査速度を
可変させて設定する
前記直交走査速度可変手段
をさらに備えることを特徴とする。
【発明の効果】
【００１５】
第一の発明である視野輪郭抽出装置によれば、
視野における視標視覚認識変化点から構成される視野輪郭を抽出するための視野輪郭抽出画面を出力装置に生成する視野輪郭抽出画面生成手段と、
該視野輪郭抽出画面において抽出される前記視野輪郭を記録するための視野輪郭記録画面を出力装置に生成する視野輪郭記録画面生成手段と、
前記視野輪郭抽出画面生成手段により生成される視野輪郭抽出画面に、視野輪郭抽出の際被験者に凝視される固視標を表示する固視標表示制御手段と、
前記視野輪郭を抽出するために利用される視標がたどる経路としての視標走査線を、前記視野輪郭抽出画面に、複数本、互いに平行となるように設定する視標走査線設定手段と、
該視標走査線設定手段により設定される視標走査線上に一つの視標を表示する視標表示制御手段と、
該視標表示制御手段により表示されている前記視標の表示位置を記憶装置に記憶する視標表示位置記憶手段と、
前記視野輪郭抽出画面における前記視標の走査方向を所定の第一方向に設定し、且つ該視標の走査速度を所定の第一速度に設定するためになされる第一指示を入力装置を経て受け付ける第一指示受付手段と、
前記視標表示制御手段は、
前記第一指示受付手段により前記第一指示が受け付けられている間は、前記視野輪郭抽出画面において、
前記視標の走査方向を前記第一方向にし、且つ
前記視標の走査速度を前記第一速度にする
視標第一表示制御手段
をさらに備えるが、該視標第一表示制御手段と、
前記視野輪郭抽出画面における前記視標の走査方向を前記第一方向とは逆方向である第二方向に設定し、且つ前記視標の走査速度を前記第一速度以下の所定の第二速度に設定するためになされる第二指示を入力装置を経て受け付ける第二指示受付手段と、
前記視標表示制御手段は、
前記第二指示受付手段により前記第二指示が受け付けられた時には、前記視野輪郭抽出画面において、
前記視標の走査方向を前記第二方向にし、且つ
前記視標の走査速度を前記第二速度にする
視標第二表示制御手段
をさらに備えるが、該視標第二表示制御手段と、
前記視野輪郭抽出画面における前記視標の走査方向を前記第一方向に設定し、且つ前記視標の走査速度を前記第一速度以下の所定の第三速度に設定するためになされる第三指示を入力装置を経て受け付ける第三指示受付手段と、
前記視標表示制御手段は、
前記第三指示受付手段により前記第三指示が受け付けられた時には、
前記視野輪郭抽出画面において、
前記視標の走査方向を前記第一方向にし、且つ
前記視標の走査速度を前記第三速度にする
視標第三表示制御手段
をさらに備えるが、該視標第三表示制御手段と、
前記視野輪郭を構成する前記視標視覚認識変化点の位置を確定するためになされる視野輪郭位置確定指示を入力装置を経て受け付ける視野輪郭位置確定指示受付手段と、
該視野輪郭位置確定指示受付手段により前記視野輪郭位置確定指示が受け付けられた時には、
前記視標表示位置記憶手段により記憶装置に記憶された前記視標の表示位置を読み出し、
該表示位置に基づき、
前記視野輪郭記録画面に、前記視標視覚認識変化点の位置を記録する視野輪郭位置記録手段と、
前記視標走査線に対する走査を終えると、
走査線換えを行い同上の走査を続行する走査続行手段と、
を、
備えるので、
本発明、視野輪郭抽出装置により、視野輪郭の抽出を行うと、図１、図５、図６に示すような視野輪郭画像を得ることができる。
【００１６】
第二の発明である視野輪郭抽出装置を実現させるプログラムによれば、
コンピュータを、
視野における視標視覚認識変化点から構成される視野輪郭を抽出するための視野輪郭抽出画面を出力装置に生成する視野輪郭抽出画面生成手段と、
該視野輪郭抽出画面において抽出される前記視野輪郭を記録するための視野輪郭記録画面を出力装置に生成する視野輪郭記録画面生成手段と、
前記視野輪郭抽出画面生成手段により生成される視野輪郭抽出画面に、視野輪郭抽出の際被験者に凝視される固視標を表示する固視標表示制御手段と、
前記視野輪郭を抽出するために利用される視標がたどる経路としての視標走査線を、前記視野輪郭抽出画面に、複数本、互いに平行となるように設定する視標走査線設定手段と、
該視標走査線設定手段により設定される視標走査線上に一つの視標を表示する視標表示制御手段と、
該視標表示制御手段により表示されている前記視標の表示位置を記憶装置に記憶する視標表示位置記憶手段と、
前記視野輪郭抽出画面における前記視標の走査方向を所定の第一方向に設定し、且つ該視標の走査速度を所定の第一速度に設定するためになされる第一指示を入力装置を経て受け付ける第一指示受付手段と、
前記視標表示制御手段は、
前記第一指示受付手段により前記第一指示が受け付けられている間は、前記視野輪郭抽出画面において、
前記視標の走査方向を前記第一方向にし、且つ
前記視標の走査速度を前記第一速度にする
視標第一表示制御手段
をさらに備えるが、該視標第一表示制御手段と、
前記視野輪郭抽出画面における前記視標の走査方向を前記第一方向とは逆方向である第二方向に設定し、且つ前記視標の走査速度を前記第一速度以下の所定の第二速度に設定するためになされる第二指示を入力装置を経て受け付ける第二指示受付手段と、
前記視標表示制御手段は、
前記第二指示受付手段により前記第二指示が受け付けられた時には、前記視野輪郭抽出画面において、
前記視標の走査方向を前記第二方向にし、且つ
前記視標の走査速度を前記第二速度にする
視標第二表示制御手段
をさらに備えるが、該視標第二表示制御手段と、
前記視野輪郭抽出画面における前記視標の走査方向を前記第一方向に設定し、且つ前記視標の走査速度を前記第一速度以下の所定の第三速度に設定するためになされる第三指示を入力装置を経て受け付ける第三指示受付手段と、
前記視標表示制御手段は、
前記第三指示受付手段により前記第三指示が受け付けられた時には、
前記視野輪郭抽出画面において、
前記視標の走査方向を前記第一方向にし、且つ
前記視標の走査速度を前記第三速度にする
視標第三表示制御手段
をさらに備えるが、該視標第三表示制御手段と、
前記視野輪郭を構成する前記視標視覚認識変化点の位置を確定するためになされる視野輪郭位置確定指示を入力装置を経て受け付ける視野輪郭位置確定指示受付手段と、
該視野輪郭位置確定指示受付手段により前記視野輪郭位置確定指示が受け付けられた時には、
前記視標表示位置記憶手段により記憶装置に記憶された前記視標の表示位置を読み出し、
該表示位置に基づき、
前記視野輪郭記録画面に、前記視標視覚認識変化点の位置を記録する視野輪郭位置記録手段と、
前記視標走査線に対する走査を終えると、
走査線換えを行い同上の走査を続行する走査続行手段、
として機能させるので、
本発明、視野輪郭抽出装置を実現させるプログラムにより、視野輪郭の抽出を行うと、図１、図５、図６に示すような視野輪郭画像を得ることができる。
【００１７】
第三の発明である視野輪郭抽出装置によれば、
視野における視標視覚認識変化点から構成される視野輪郭を抽出するための視野輪郭抽出画面を出力装置に生成する視野輪郭抽出画面生成手段と、
該視野輪郭抽出画面において抽出される前記視野輪郭を記録するための視野輪郭記録画面を出力装置に生成する視野輪郭記録画面生成手段と、
前記視野輪郭抽出画面生成手段により生成される視野輪郭抽出画面に、視野輪郭抽出の際被験者に凝視される固視標を表示する固視標表示制御手段と、
前記視野輪郭を抽出するために利用される視標がたどる経路としての視標走査線を、前記視野輪郭抽出画面に、複数本、互いに平行となるように設定する視標走査線設定手段と、
該視標走査線設定手段により設定される視標走査線上に一つの視標を表示する視標表示制御手段と、
該視標表示制御手段により表示されている前記視標の表示位置を記憶装置に記憶する視標表示位置記憶手段と、
前記視野輪郭抽出画面における前記視標の走査方向を所定の第一方向に設定し、且つ該視標の走査速度を所定の第一速度に設定するためになされる第一指示を入力装置を経て受け付ける第一指示受付手段と、
前記視標表示制御手段は、
前記第一指示受付手段により前記第一指示が受け付けられている間は、前記視野輪郭抽出画面において、
前記視標の走査方向を前記第一方向にし、且つ
前記視標の走査速度を前記第一速度にする
視標第一表示制御手段
をさらに備えるが、該視標第一表示制御手段と、
前記視野輪郭抽出画面における前記視標の走査方向を前記第一方向とは逆方向である第二方向に設定し、且つ前記視標の走査速度を前記第一速度以下の所定の第二速度に設定するためになされる第二指示を入力装置を経て受け付ける第二指示受付手段と、
前記視標表示制御手段は、
前記第二指示受付手段により前記第二指示が受け付けられた時には、
前記視野輪郭抽出画面において、
前記視標の走査方向を前記第二方向にし、且つ
前記視標の走査速度を前記第二速度にする
視標第二表示制御手段
をさらに備えるが、該視標第二表示制御手段と、
前記視野輪郭抽出画面における前記視標の走査方向を前記第一方向に設定し、且つ前記視標の走査速度を前記第一速度以下の所定の第三速度に設定するためになされる第三指示を入力装置を経て受け付ける第三指示受付手段と、
前記視標表示制御手段は、
前記第三指示受付手段により前記第三指示が受け付けられた時には、
前記視野輪郭抽出画面において、
前記視標の走査方向を前記第一方向にし、且つ
前記視標の走査速度を前記第三速度にする
視標第三表示制御手段
をさらに備えるが、該視標第三表示制御手段と、
前記視野輪郭を構成する前記視標視覚認識変化点の位置を確定するためになされる視野輪郭位置確定指示を入力装置を経て受け付ける視野輪郭位置確定指示受付手段と、
該視野輪郭位置確定指示受付手段により前記視野輪郭位置確定指示が受け付けられた時には、
前記視標表示位置記憶手段により記憶装置に記憶された前記視標の表示位置を読み出し、
該表示位置に基づき、
前記視野輪郭記録画面に
前記視標視覚認識変化点の位置を記録する視野輪郭位置記録手段と、
前記視標走査線に対する走査を終えると
走査線換えを行い同上の走査を続行する走査続行手段とを備えることを特徴とする
請求項１に記載の視野輪郭抽出装置
であって、
前記視標走査線設定手段は、
該視標走査線設定手段が設定する前記視標走査線に直交して視標を走査させるための経路である直交視標走査線を、前記視野輪郭抽出画面に、複数本、前記直交視標走査線同士が互いに平行となるように設定する直交視標走査線設定手段をさらに備え、
前記走査続行手段が、
前記視標走査線設定手段により設定された前記視標走査線に対する走査を終えると、
前記直交視標走査線設定手段により設定される前記直交視標走査線上に一つの視標を、直交視標として、表示する直交視標表示制御手段と、
該直交視標表示制御手段により表示されている前記直交視標の表示位置を記憶装置に記憶する直交視標表示位置記憶手段と、
前記視野輪郭抽出画面における前記直交視標の走査方向を所定の第四方向に設定し、且つ該直交視標の走査速度を所定の第四速度に設定するためになされる第四指示を入力装置を経て受け付ける第四指示受付手段と、
前記直交視標表示制御手段は、
前記第四指示受付手段により前記第四指示が受け付けられている間は、前記視野輪郭抽出画面において、
前記直交視標の走査方向を前記第四方向にし、且つ
前記直交視標の走査速度を前記第四速度にする
直交視標第四表示制御手段
をさらに備えるが、該直交視標第四表示制御手段と、
前記視野輪郭抽出画面における前記直交視標の走査方向を前記第四方向とは逆方向である第五方向に設定し、且つ前記直交視標の走査速度を前記第四速度以下の所定の第五速度に設定するためになされる第五指示を入力装置を経て受け付ける第五指示受付手段と、
前記直交視標表示制御手段は、
前記第五指示受付手段により前記第五指示が受け付けられた時には、
前記視野輪郭抽出画面において、
前記直交視標の走査方向を前記第五方向にし、且つ
前記直交視標の走査速度を前記第五速度にする
直交視標第五表示制御手段
をさらに備えるが、該直交視標第五表示制御手段と、
前記視野輪郭抽出画面における前記直交視標の走査方向を前記第四方向に設定し、且つ前記直交視標の走査速度を前記第四速度以下の所定の第六速度に設定するためになされる第六指示を入力装置を経て受け付ける第六指示受付手段と、
前記直交視標表示制御手段は、
前記第六指示受付手段により前記第六指示が受け付けられた時には、
前記視野輪郭抽出画面において、
前記直交視標の走査方向を前記第四方向にし、且つ
前記直交視標の走査速度を前記第六速度にする
直交視標第六表示制御手段
をさらに備えるが、該直交視標第六表示制御手段と、
前記視野輪郭位置確定指示受付手段により前記視野輪郭位置確定指示が受け付けられた時には、
前記直交視標表示位置記憶手段により記憶装置に記憶された前記直交視標の表示位置を読み出し、
該表示位置に基づき、
前記視野輪郭記録画面に
前記視標視覚認識変化点の位置を記録する直交視標視野輪郭位置記録手段と、
前記直交視標走査線に対する走査を終えると、
走査線換えを行い、次の直交視標走査線に対して同上の走査を続行する直交走査続行手段と、
を、
備えるので、
本発明、視野輪郭抽出装置により、視野輪郭の抽出を行うと、図１及び図２、図３、図４に示すような視野輪郭画像を得ることができる。
【００１８】
第四の発明である視野輪郭抽出装置を実現させるプログラムによれば、
コンピュータを、
視野における視標視覚認識変化点から構成される視野輪郭を抽出するための視野輪郭抽出画面を出力装置に生成する視野輪郭抽出画面生成手段と、
該視野輪郭抽出画面において抽出される前記視野輪郭を記録するための視野輪郭記録画面を出力装置に生成する視野輪郭記録画面生成手段と、
前記視野輪郭抽出画面生成手段により生成される視野輪郭抽出画面に、視野輪郭抽出の際被験者に凝視される固視標を表示する固視標表示制御手段と、
前記視野輪郭を抽出するために利用される視標がたどる経路としての視標走査線を、前記視野輪郭抽出画面に、複数本、互いに平行となるように設定する視標走査線設定手段と、
該視標走査線設定手段により設定される視標走査線上に一つの視標を表示する視標表示制御手段と、
該視標表示制御手段により表示されている前記視標の表示位置を記憶装置に記憶する視標表示位置記憶手段と、
前記視野輪郭抽出画面における前記視標の走査方向を所定の第一方向に設定し、且つ該視標の走査速度を所定の第一速度に設定するためになされる第一指示を入力装置を経て受け付ける第一指示受付手段と、
前記視標表示制御手段は、
前記第一指示受付手段により前記第一指示が受け付けられている間は、前記視野輪郭抽出画面において、
前記視標の走査方向を前記第一方向にし、且つ
前記視標の走査速度を前記第一速度にする
視標第一表示制御手段
をさらに備えるが、該視標第一表示制御手段と、
前記視野輪郭抽出画面における前記視標の走査方向を前記第一方向とは逆方向である第二方向に設定し、且つ前記視標の走査速度を前記第一速度以下の所定の第二速度に設定するためになされる第二指示を入力装置を経て受け付ける第二指示受付手段と、
前記視標表示制御手段は、
前記第二指示受付手段により前記第二指示が受け付けられた時には、
前記視野輪郭抽出画面において、
前記視標の走査方向を前記第二方向にし、且つ
前記視標の走査速度を前記第二速度にする
視標第二表示制御手段
をさらに備えるが、該視標第二表示制御手段と、
前記視野輪郭抽出画面における前記視標の走査方向を前記第一方向に設定し、且つ前記視標の走査速度を前記第一速度以下の所定の第三速度に設定するためになされる第三指示を入力装置を経て受け付ける第三指示受付手段と、
前記視標表示制御手段は、
前記第三指示受付手段により前記第三指示が受け付けられた時には、
前記視野輪郭抽出画面において、
前記視標の走査方向を前記第一方向にし、且つ
前記視標の走査速度を前記第三速度にする
視標第三表示制御手段
をさらに備えるが、該視標第三表示制御手段と、
前記視野輪郭を構成する前記視標視覚認識変化点の位置を確定するためになされる視野輪郭位置確定指示を入力装置を経て受け付ける視野輪郭位置確定指示受付手段と、
該視野輪郭位置確定指示受付手段により前記視野輪郭位置確定指示が受け付けられた時には、
前記視標表示位置記憶手段により記憶装置に記憶された前記視標の表示位置を読み出し、
該表示位置に基づき、
前記視野輪郭記録画面に
前記視標視覚認識変化点の位置を記録する視野輪郭位置記録手段と、
前記視標走査線に対する走査を終えると
走査線換えを行い同上の走査を続行する走査続行手段、
として機能させることを特徴とする
請求項２に記載のプログラム
であって、
前記視標走査線設定手段は、
該視標走査線設定手段が設定する前記視標走査線に直交して視標を走査させるための経路である直交視標走査線を、前記視野輪郭抽出画面に、複数本、前記直交視標走査線同士が互いに平行となるように設定する直交視標走査線設定手段をさらに備え、
前記走査続行手段が、
前記視標走査線設定手段により設定された前記視標走査線に対する走査を終えると、
前記直交視標走査線設定手段により設定される前記直交視標走査線上に一つの視標を、直交視標として、表示する直交視標表示制御手段と、
該直交視標表示制御手段により表示されている前記直交視標の表示位置を記憶装置に記憶する直交視標表示位置記憶手段と、
前記視野輪郭抽出画面における前記直交視標の走査方向を所定の第四方向に設定し、且つ該直交視標の走査速度を所定の第四速度に設定するためになされる第四指示を入力装置を経て受け付ける第四指示受付手段と、
前記直交視標表示制御手段は、
前記第四指示受付手段により前記第四指示が受け付けられている間は、前記視野輪郭抽出画面において、
前記直交視標の走査方向を前記第四方向にし、且つ
前記直交視標の走査速度を前記第四速度にする
直交視標第四表示制御手段
をさらに備えるが、該直交視標第四表示制御手段と、
前記視野輪郭抽出画面における前記直交視標の走査方向を前記第四方向とは逆方向である第五方向に設定し、且つ前記直交視標の走査速度を前記第四速度以下の所定の第五速度に設定するためになされる第五指示を入力装置を経て受け付ける第五指示受付手段と、
前記直交視標表示制御手段は、
前記第五指示受付手段により前記第五指示が受け付けられた時には、
前記視野輪郭抽出画面において、
前記直交視標の走査方向を前記第五方向にし、且つ
前記直交視標の走査速度を前記第五速度にする
直交視標第五表示制御手段
をさらに備えるが、該直交視標第五表示制御手段と、
前記視野輪郭抽出画面における前記直交視標の走査方向を前記第四方向に設定し、且つ前記直交視標の走査速度を前記第四速度以下の所定の第六速度に設定するためになされる第六指示を入力装置を経て受け付ける第六指示受付手段と、
前記直交視標表示制御手段は、
前記第六指示受付手段により前記第六指示が受け付けられた時には、
前記視野輪郭抽出画面において、
前記直交視標の走査方向を前記第四方向にし、且つ
前記直交視標の走査速度を前記第六速度にする
直交視標第六表示制御手段
をさらに備えるが、該直交視標第六表示制御手段と、
前記視野輪郭位置確定指示受付手段により前記視野輪郭位置確定指示が受け付けられた時には、
前記直交視標表示位置記憶手段により記憶装置に記憶された前記直交視標の表示位置を読み出し、
該表示位置に基づき、
前記視野輪郭記録画面に
前記視標視覚認識変化点の位置を記録する直交視標視野輪郭位置記録手段と、
前記直交視標走査線に対する走査を終えると、
走査線換えを行い、次の直交視標走査線に対して同上の走査を続行する直交走査続行手段、として、コンピュータを機能させるので、
本発明、視野輪郭抽出装置を実現させるプログラムにより、視野輪郭の抽出を行うと、図１及び図２、図３、図４に示すような視野輪郭画像を得ることができる。
【００１９】
第五の発明である視野輪郭抽出装置によれば、
請求項１に記載の視野輪郭抽出装置において、
前記第一指示受付手段、前記第二指示受付手段、前記第三指示受付手段、に代えて、
走査速度可変指示受付手段を備え、
前記視標第一表示制御手段、前記視標第二表示制御手段、前記視標第三表示制御手段、に代えて、
走査速度可変手段を備えること、
を特徴とする視野輪郭抽出装置であって、
前記走査速度可変指示受付手段は、
前記視野輪郭抽出画面における前記視標の走査速度を可変させて設定するためになされる指示を入力装置を経て受け付け、
前記視標表示制御手段は、
前記走査速度可変指示受付手段により走査速度可変の指示が受け付けられると、前記視野輪郭抽出画面において、
前記視標の走査速度を
可変させて設定する
前記走査速度可変手段
をさらに備えるので、
本発明、視野輪郭抽出装置により、視野輪郭の抽出を行うと、図１に示すような視野輪郭画像を得ることができる。
【００２０】
第六の発明である視野輪郭抽出装置を実現させるプログラムによれば、
請求項２に記載のプログラムにおいて、
コンピュータを、
前記第一指示受付手段、前記第二指示受付手段、前記第三指示受付手段、として機能させることに代えて、
コンピュータを、
走査速度可変指示受付手段、として機能させ、
コンピュータを、
前記視標第一表示制御手段、前記視標第二表示制御手段、前記視標第三表示制御手段、として機能させることに代えて、
コンピュータを、
走査速度可変手段、として機能させること、
を特徴とするプログラムであって、
前記走査速度可変指示受付手段は、
前記視野輪郭抽出画面における前記視標の走査速度を可変させて設定するためになされる指示を入力装置を経て受け付け、
前記視標表示制御手段は、
前記走査速度可変指示受付手段により走査速度可変の指示が受け付けられると、前記視野輪郭抽出画面において、
前記視標の走査速度を
可変させて設定する
前記走査速度可変手段
をさらに備えることを特徴とするので、
本発明、視野輪郭抽出装置を実現させるプログラムにより、視野輪郭の抽出を行うと、図１に示すような視野輪郭画像を得ることができる。
【００２１】
第七の発明である視野輪郭抽出装置によれば、
請求項３に記載の視野輪郭抽出装置において、
前記第一指示受付手段、前記第二指示受付手段、前記第三指示受付手段、に代えて、
走査速度可変指示受付手段を備え、
前記視標第一表示制御手段、前記視標第二表示制御手段、前記視標第三表示制御手段、に代えて、
走査速度可変手段を備え、
前記第四指示受付手段、前記第五指示受付手段、前記第六指示受付手段、に代えて、
直交走査速度可変指示受付手段を備え、
前記直交視標第四表示制御手段、前記直交視標第五表示制御手段、前記直交視標第六表示制御手段、に代えて、
直交走査速度可変手段を備えること、
を特徴とする視野輪郭抽出装置であって、
前記走査速度可変指示受付手段は、
前記視野輪郭抽出画面における前記視標の走査速度を可変させて設定するためになされる指示を入力装置を経て受け付け、
前記視標表示制御手段は、
前記走査速度可変指示受付手段により走査速度可変の指示が受け付けられると、前記視野輪郭抽出画面において、
前記視標の走査速度を
可変させて設定する
前記走査速度可変手段
をさらに備え、
前記直交走査速度可変指示受付手段は、
前記視野輪郭抽出画面における前記直交視標の走査速度を可変させて設定するためになされる指示を入力装置を経て受け付け、
前記直交視標表示制御手段は、
前記直交走査速度可変指示受付手段により走査速度可変の指示が受け付けられると、前記視野輪郭抽出画面において、
前記直交視標の走査速度を
可変させて設定する
前記直交走査速度可変手段
をさらに備えるので、
本発明、視野輪郭抽出装置により、視野輪郭の抽出を行うと、図１及び図２、図３、図４に示すような視野輪郭画像を得ることができる。
【００２２】
第八の発明である視野輪郭抽出装置を実現させるプログラムによれば、
請求項４に記載のプログラムにおいて、
コンピュータを、
前記第一指示受付手段、前記第二指示受付手段、前記第三指示受付手段、として機能させることに代えて、
コンピュータを、
走査速度可変指示受付手段として機能させ、
コンピュータを、
前記視標第一表示制御手段、前記視標第二表示制御手段、前記視標第三表示制御手段、として機能させることに代えて、
コンピュータを、
走査速度可変手段として機能させ、
コンピュータを、
前記第四指示受付手段、前記第五指示受付手段、前記第六指示受付手段、として機能させることに代えて、
コンピュータを、
直交走査速度可変指示受付手段として機能させ、
コンピュータを、
前記直交視標第四表示制御手段、前記直交視標第五表示制御手段、前記直交視標第六表示制御手段、として機能させることに代えて、
コンピュータを、
直交走査速度可変手段として機能させること、
を特徴とするプログラムであって、
前記走査速度可変指示受付手段は、
前記視野輪郭抽出画面における前記視標の走査速度を可変させて設定するためになされる指示を入力装置を経て受け付け、
前記視標表示制御手段は、
前記走査速度可変指示受付手段により走査速度可変の指示が受け付けられると、前記視野輪郭抽出画面において、
前記視標の走査速度を
可変させて設定する
前記走査速度可変手段
をさらに備え、
前記直交走査速度可変指示受付手段は、
前記視野輪郭抽出画面における前記直交視標の走査速度を可変させて設定するためになされる指示を入力装置を経て受け付け、
前記直交視標表示制御手段は、
前記直交走査速度可変指示受付手段により走査速度可変の指示が受け付けられると、前記視野輪郭抽出画面において、
前記直交視標の走査速度を
可変させて設定する
前記直交走査速度可変手段
をさらに備えるので、
本発明、視野輪郭抽出装置を実現させるプログラムにより、視野輪郭の抽出を行うと、図１及び図２、図３、図４に示すような視野輪郭画像を得ることができる。
【００２３】
本発明、視野輪郭抽出装置は、視野検査の高速度化を実現しながら、同時に、検査精度を著しく高めることができる。
また、本発明、視野輪郭抽出装置は、被験者の暗点や盲点の位置、形状を正確に詳しく検査結果の図に反映させることが可能である。
また、本発明、視野輪郭抽出装置は、従来の視野検査の単調性を低減することができる。
本発明、視野輪郭抽出装置により生成された視野輪郭画像である図３〜図６においては、視野輪郭としての暗点２０１、視野輪郭としての盲点２０３が、正確に視野から抽出されている。また、視野視覚機能がわずかに低下している領域における視野輪郭２０４、視野輪郭としての暗点と盲点の接続部分２０２等も正確に判読可能となっている。
本発明、視野輪郭抽出装置は、ゴールドマン視野計のようなかさばる装置を必要とせず、簡単な構成で実現できる。
本発明、視野輪郭抽出装置は、５°以内の視野中心部の測定が可能である。
【発明を実施するための最良の形態】
【００２４】
本発明、視野輪郭抽出装置、視野輪郭抽出装置作動方法、視野輪郭抽出装置を実現させるプログラム、及びコンピュータに読み取り可能な記録媒体について、図面を参照しながら詳細に説明する。
【００２５】
まず、図１３及び図１４を参照して、本発明、視野輪郭抽出装置の構成について説明する。
図１３は、本発明、視野輪郭抽出装置の構成の一例を表している。
図１４は、本発明、視野輪郭抽出装置におけるＣＰＵ５０１のハードウェア構成の一例を表している。
【００２６】
図１３は、コンピュータシステム３０１の概略構成を示している。
本発明、視野輪郭抽出装置は、コンピュータシステム３０１により、本発明、視野輪郭抽出装置を実現させるプログラムを実行することで実現される。
本実施形態の視野輪郭抽出装置を実現するコンピュータシステム３０１は、図１３に示すように、後述するＣＰＵ（Ｃｅｎｔｒａｌ  Ｐｒｏｃｅｓｓｉｎｇ  Ｕｎｉｔ）５０１等を備える本体３０２と、キーボード３０３、（必要であればマウス３０６）、ディスプレイ３０４、プリンタ３０５、（必要であればスピーカ３０７）、（必要であれば走査速度調節つまみ３０８）、（必要であれば位置確定ボタン３０９）から構成されている。
【００２７】
次に、本発明、視野輪郭抽出装置におけるＣＰＵ５０１のハードウェア構成の一例を、図１４を参照しつつ説明する。
本発明、視野輪郭抽出装置におけるＣＰＵ５０１は、具体的には、ＣＰＵ５０１等のマイクロプロセッサ、ＲＡＭ（Ｒａｎｄｏｍ  Ａｃｃｅｓｓ  Ｍｅｍｏｒｙ）５０２、ＲＯＭ（Ｒｅａｄ  Ｏｎｌｙ  Ｍｅｍｏｒｙ）５０３、ＨＤＤ（Ｈａｒｄ  Ｄｉｓｃ  Ｄｒｉｖｅ）５０４、キーボード３０３、マウス３０６、ディスプレイ３０４、プリンタ３０５、スピーカ３０７、（必要であれば走査速度調節つまみ３０８）、（必要であれば位置確定ボタン３０９）及び通信インターフェースを含んで構成される。
以上の各部分は、バス５０５により接続されている。
（ＨＤＤ５０４は入出力インターフェースを経てバス５０５に接続されている。）
キーボード３０３は入出力インターフェースを経てバス５０５に接続されており、キーボード３０３からの入力をＣＰＵ５０１に出力することができる。
ディスプレイ３０４は入出力インターフェースを経てバス５０５に接続されており、ＣＰＵ５０１からのイメージデータの入力をディスプレイ３０４に出力することができる。
プリンタ３０５は入出力インターフェースを経てバス５０５に接続されており、ＣＰＵ５０１からの入力をプリンタ３０５により出力することができる。
（スピーカ３０７は入出力インターフェースを経てバス５０５に接続されており、ＣＰＵ５０１からの入力をスピーカ３０７により出力することができる。）
（マウス３０６は入出力インターフェースを経てバス５０５に接続されており、マウス３０６からの入力をＣＰＵ５０１に出力することができる。）
（必要であれば、走査速度調節つまみ３０８は入出力インターフェースを経てバス５０５に接続され、走査速度調節つまみ３０８からの入力をＣＰＵ５０１に出力することができる。）
（必要であれば、例えば、走査速度調節つまみ３０８からの回転操作角度等に関する情報がＣＰＵ５０１に供給される。）
（必要であれば、位置確定ボタン３０９は入出力インターフェースを経てバス５０５に接続され、位置確定ボタン３０９からの入力をＣＰＵ５０１に出力することができる。）
（必要であれば、位置確定ボタン３０９からの視野輪郭位置確定指示がなされた瞬間に関する情報がＣＰＵ５０１に供給される。）
【００２８】
ＣＰＵ５０１は、ＨＤＤ（Ｈａｒｄ  Ｄｉｓｃ  Ｄｒｉｖｅ）５０４に格納された本発明、視野輪郭抽出装置を実現させるプログラムを、ＲＡＭ５０２上に展開することにより、本実施形態に特徴的な動作を実行する。
【００２９】
ＣＰＵ５０１は、本発明、視野輪郭抽出装置を実現させるプログラムに従って、本発明、視野輪郭抽出装置の制御や、各種の演算処理などを実行する。
ＣＰＵ５０１は、ディスプレイ３０４（出力装置の一例）による表示処理の制御を行う。
（例えば、具体的には、固視標及び視標の表示制御や、本発明、視野輪郭抽出装置により得られたデータから視野輪郭画像の生成を行ったりする。）
ＣＰＵ５０１は、キーボード３０３（入力装置の一例）からの入力に応じて、本発明、視野輪郭抽出装置の制御を行う。
ＣＰＵ５０１は、視野輪郭抽出装置から得られたデータに基づいて生成した視野輪郭画像等の出力を、プリンタ３０５等から出力させるよう制御することができる。
（必要であれば、ＣＰＵ５０１は、（例えばキーボード３０３等入力装置からの入力に応じて、あるいは例えば、視野輪郭の抽出において走査線が換わる際に、あるいは例えば、視野輪郭の抽出において走査態様が換わる際に、あるいは例えば、視野輪郭画像が出力される際、等に）スピーカ３０７（出力装置の一例）から出力を生じさせるよう制御を行うようにしてもよい。）
（ＣＰＵ５０１は、マウス３０６（入力装置の一例）からの入力に応じて、本発明、視野輪郭抽出装置の制御を行うようにしてもよい。）
（ＣＰＵ５０１は、必要であれば、走査速度調節つまみ３０８（入力装置の一例）からの入力に応じて、本発明、視野輪郭抽出装置の制御を行うようにしてもよい。）
（必要であれば、例えば、ＣＰＵ５０１は、走査動作中に、走査速度調節つまみ３０８が、走査速度増大方向又は走査速度低下方向に回されたか否かを判断し、走査速度調節つまみ３０８が走査速度増大方向に回されていれば（例としては、視標視覚認識が不変である視野領域に対して冗長な走査が続いている場合等）、その回転操作角度に応じて（線形に応じるように設定するとしても、非線形に応じるように設定するとしてもよい）走査速度を所定レベル高速度に設定し、また走査速度調節つまみ３０８が、走査速度低下方向に回されていれば（例としては、視標視覚認識が変化する位置近傍に対して走査が行われている場合等）、その回転操作角度に応じて（線形に応じるように設定するとしても、非線形に応じるように設定するとしてもよい）走査速度を所定レベル低速度に設定するようにしてもよい。）
（走査速度調節つまみ３０８からの入力に応じて、ＣＰＵ５０１が、走査速度を、正の速度の範囲内においてのみではなく、負の速度（ＣＰＵ５０１が、視標を視標走査線に沿って一方向に走査させることを正の速度による走査と呼んだ場合、ＣＰＵ５０１が、その視標走査線に沿って逆方向に視標を走査させることを負の速度による走査と呼ぶことにする）の範囲内においても変速させ得るように構成及び設定するとしてもよい。また、走査速度調節つまみ３０８から、正の速度の範囲と負の速度の範囲の間における走査速度に関する入力がなされた場合には、ＣＰＵ５０１が、視標を静的に表示制御することを可能にするように構成及び設定するようにしてもよい。）
（しかし、走査速度を増大させると言う表現を行う場合における走査速度とは、（演算上の数的な走査速度ではなく、直感的視覚の観点からの、）絶対値における速度を意味していることにする。例えば負の速度の範囲内において走査が行われている場合に、走査速度を演算上、数的に増大させることとは、走査速度を正の速度により近づけることであり、視標走査線上の視標は（正の速度による走査が行われる場合の走査方向とは逆の方向に対してではあるが）より低速度に走査を行っていると視覚に認識されることとなり、負の走査速度を演算上、数的に増大させると言う場合の増大と、視覚に直感的に認識される走査速度の減少とが、同等の意味を有することになり紛らわしいためである。）
（走査速度調節つまみ３０８により、ＣＰＵ５０１による走査が連続的に変速されるように構成及び設定してもよいし、走査速度調節つまみ３０８により、ＣＰＵ５０１による走査が不連続的に変速されるように構成及び設定してもよい。）
（ＣＰＵ５０１は、必要であれば、位置確定ボタン３０９（入力装置の一例）からの入力に応じて、本発明、視野輪郭抽出装置の制御を行うようにしてもよい。）
【００３０】
キーボード３０３、（必要であればマウス３０６、）（必要であれば走査速度調節つまみ３０８）、（必要であれば位置確定ボタン３０９）及びディスプレイ３０４は、本発明、視野輪郭抽出装置のユーザインターフェースとして利用される。
キーボード３０３は、例えば入力を行うためのデバイス（入力装置）として利用される。
（必要であれば、マウス３０６は、ディスプレイ３０４の表示画面に、各種の入力を行うためのデバイスとして利用される。）
（入力装置の一例であるキーボード３０３（必要であればマウス３０６）に代え、あるいは、入力装置の一例であるキーボード３０３（必要であればマウス３０６）とともに、リアルタイムに走査速度の調節指示がなされるための走査速度調節つまみ３０８を、入力装置の一例として、利用されるように構成されるとしてもよい。）
（入力装置の一例であるキーボード３０３（必要であればマウス３０６）に代え、あるいは、入力装置の一例であるキーボード３０３（必要であればマウス３０６）とともに、視野輪郭位置確定指示がなされるための位置確定ボタン３０９を、入力装置の一例として、利用されるように構成されるとしてもよい。（位置確定ボタン３０９は、走査速度調節つまみ３０８に付属して構成されるとしてもよいし、走査速度調節つまみ３０８とは別個に構成されるようにしてもよい。））
【００３１】
ディスプレイ３０４は、例えば、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等からなる表示デバイス（出力装置）であり、本発明、視野輪郭抽出装置による視野輪郭の抽出を行ったり、視野輪郭抽出装置により生成された視野輪郭画像を表示したりする。
（必要であれば、ディスプレイ３０４に、各種の操作画面や、設定画面などを表示するようにしてもよい。）
（必要であれば、ディスプレイ３０４に代えて、ドームに対して投影式に視標の表示制御がなされるように構成されるとしてもよい。）
【００３２】
また、ＣＰＵ５０１がインターネットやＬＡＮ（Ｌｏｃａｌ  Ａｒｅａ  Ｎｅｔｗｏｒｋ）等のネットワークに接続されている場合には、通信インターフェースにＬＡＮカード等のネットワークアダプタやモデム等の通信機器を具備させて、ネットワークによりデータ通信を行えるように構成することができる。その場合、本発明、視野輪郭抽出装置を実現させるプログラムを格納するサーバを、ネットワークに設置し、ＣＰＵ５０１をサーバのクライアント端末として構成することにより、本発明における動作を、視野輪郭抽出装置に実行させることができる。
【００３３】
また、本発明、視野輪郭抽出装置を実現させるプログラムは、コンピュータに読み取り可能な記録媒体（記憶媒体）に記憶させることができる。
このような記録媒体（記憶媒体）として、例えば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）、半導体メモリ等がある。
【００３４】
次に、視野輪郭抽出装置、視野輪郭抽出装置作動方法、及び視野輪郭抽出装置を実現させるプログラムによる視野輪郭抽出装置の制御について、図１、図２、図７及び図８、図９〜図１２を参照しながら詳細に説明する。
【００３５】
図１は、本発明、視野輪郭抽出装置の走査及び作動態様、及び視野輪郭記録態様の一例を示している。
【００３６】
図２は、本発明、視野輪郭抽出装置の走査及び作動態様、及び視野輪郭記録態様の一例を示している。
【００３７】
図７及び図８は、本発明、視野輪郭抽出装置における視野輪郭抽出処理、及び視野輪郭記録処理の一例を表す流れ図である。
【００３８】
図９〜図１２は、本発明、視野輪郭抽出装置における視野輪郭抽出処理、及び視野輪郭記録処理の一例を表す流れ図である。
【００３９】
まず、図１を参照しながら、本発明、視野輪郭抽出装置の走査及び作動態様、及び視野輪郭記録態様について詳細に説明する。
【００４０】
ＣＰＵ５０１は、視野における視標視覚認識変化点から構成される視野輪郭を抽出するための視野輪郭抽出画面１を出力装置（例えばディスプレイ３０４）に生成する。
【００４１】
ＣＰＵ５０１は、本発明、視野輪郭抽出装置を実現させるプログラムに従い、視野輪郭抽出画面１において、設定された位置に、固視標２を表示する。
固視標２は、視野輪郭抽出の際、被験者の片側の目により凝視されるべき固視標である。
【００４２】
ＣＰＵ５０１は、視野輪郭抽出装置を実現させるプログラムに従い、視野輪郭抽出画面１において、例えば、画面の上側から視標走査線Ｒ１、視標走査線Ｒ２等を配し、以下同様に、例えば視標走査線Ｒ１０まで、あらかじめ設定された（例えば、ｙ軸方向に対する）間隔で、複数の視標走査線を、互いに平行となるように設定する。
それら走査線は、視野輪郭を抽出する際に視標にたどらせる経路として設定されるものであり、ＣＰＵ５０１はそれら走査線を、視野輪郭抽出画面１に表示しない。
（図１においては、水平方向の視標走査線が設定されているが、他の方向の視標走査線により視標走査線を設定してもよい。）
【００４３】
ＣＰＵ５０１は、本発明、視野輪郭抽出装置を実現させるプログラムに従い、例えば、まず視標走査線Ｒ１上の、視野輪郭抽出画面１左端である視標表示位置Ｒ１１に、視標を表示する。
【００４４】
例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を行う。
【００４５】
例えば、視標が視標表示位置Ｒ１２に至った時に、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ１２で静的に表示する。
【００４６】
しかし、例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合（そのように決めて本発明、視野輪郭抽出装置により抽出された視野輪郭の例は、図１、図２、図４である。視標が、被験者視野における視標視覚認識不可能領域３ａによりおよそ半分さえぎられるような視標表示位置（視標視覚認識変化点）により視野輪郭を抽出することとあらかじめ決めて本発明、視野輪郭抽出装置により抽出された視野輪郭の例は、図３、図５、図６である。）には、視標表示位置Ｒ１２は視標が全く視覚認識できなくなる視標表示位置（視標視覚認識変化点）ではないため視野輪郭としての抽出対象とはならず、
視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ１２から行う。
【００４７】
視標が、例えば、視標走査線Ｒ１上の、視野輪郭抽出画面１右端である位置ＲＥ１２を超えると、ＣＰＵ５０１は、走査線換えを行い、視標走査線Ｒ２に対して視標表示位置Ｒ２１から視野輪郭抽出のための視標による走査を続行する。
その際、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を行う。
【００４８】
（例えば、視標が、被験者視野における視標視覚認識不可能領域３ａ内に入り視覚認識不可能になったために、すなわち視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ２４で静的に表示する。
【００４９】
（例えば、視標が、被験者視野における視標視覚認識不可能領域３ａ内に入り視覚認識不可能になってから、すなわち視標視覚認識に変化を生じてから、それに対して（第一指示をやめる）応答がなされるまでに遅れが生じたような場合には、視野輪郭を正確に特定するために）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ２４から行う。
【００５０】
例えば、視標が視標表示位置Ｒ２２に至った時に、
（例えば、視標（の左側の一部分）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を左方向へ戻しすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ２２で静的に表示する。
【００５１】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合、視野輪郭を正確に特定するために）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられた時には、ＣＰＵ５０１は、視標の走査方向を第一方向（本発明実施の形態では、例えば右方向）にし、且つ視標の走査速度を第三速度にする視標第三表示制御を、視標表示位置Ｒ２２から行う。
【００５２】
例えば、視標が視標表示位置Ｒ２３に至った時に、
（例えば、視標表示位置Ｒ２２から視標表示位置Ｒ２３に至る走査に際しては、第三指示による第一速度以下の第三速度が適用されており、
視標が、被験者視野における視標視覚認識不可能領域３ａ内に入り視覚認識不可能になってから、すなわち視標視覚認識に変化を生じてから、ほとんど遅れを生じることなく、それに対する（第三指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ２３は、視野輪郭位置として確定されるにふさわしい視標表示位置であるため）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられなくなった場合には、ＣＰＵ５０１は、（視標の走査方向を第一方向（本発明実施の形態では、例えば右方向）にし、且つ視標の走査速度を第三速度にする）視標第三表示制御をやめ、視標を視標表示位置Ｒ２３で静的に表示する。
【００５３】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ２３は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ２３に基づき、視野輪郭記録画面４に、視野輪郭位置２３ｒを記録する。
【００５４】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ２３から行う。
【００５５】
（例えば、視標が、被験者視野における視標視覚認識不可能領域３ａの外に出、視覚認識可能になったために、すなわち視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ２６で静的に表示する。
【００５６】
例えば、視標が視標表示位置Ｒ２６に至った時に、
（例えば、視標（の右側）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を右方向へ走査させすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ２６から行う。
【００５７】
例えば、視標が視標表示位置Ｒ２５に至った時に、
（例えば、視標表示位置Ｒ２６から視標表示位置Ｒ２５に至る走査に際しては、第二指示による第一速度以下の第二速度が適用されており、
視標が、被験者視野における視標視覚認識不可能領域３ａ内に入り視覚認識不可能になってから、すなわち視標視覚認識に変化を生じてから、ほとんど遅れを生じることなく、それに対する（第二指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ２５は、視野輪郭位置として確定されるにふさわしい視標表示位置であるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ２５で静的に表示する。
【００５８】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ２５は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ２５に基づき、視野輪郭記録画面４に、視野輪郭位置２５ｒを記録する。
【００５９】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ２５から行う。
【００６０】
（例えば、視標が、被験者視野における視標視覚認識不可能領域３ａによりその視覚認識が一瞬さえぎられた後、被験者視野における視標視覚認識不可能領域３ａの外に出、視覚認識可能になるなどして、視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ２９で静的に表示する。
【００６１】
例えば、視標が視標表示位置Ｒ２９に至った時に、
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を右方向へ走査させすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ２９から行う。
【００６２】
例えば、視標が視標表示位置Ｒ２７に至った時に、
（例えば、第二指示が受け付けられたほぼ直後でありながら既に、例えば、視標（の左側の一部分）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を左方向へ戻しすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ２７で静的に表示する。
【００６３】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合、視野輪郭を正確に特定するために）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられた時には、ＣＰＵ５０１は、視標の走査方向を第一方向（本発明実施の形態では、例えば右方向）にし、且つ視標の走査速度を第三速度にする視標第三表示制御を、視標表示位置Ｒ２７から行う。
【００６４】
例えば、視標が視標表示位置Ｒ２８に至った時に、
（例えば、視標表示位置Ｒ２７から視標表示位置Ｒ２８に至る走査に際しては、第三指示による第一速度以下の第三速度が適用されており、
視標が、被験者視野における視標視覚認識不可能領域３ａ内に入り視覚認識不可能になってから、すなわち視標視覚認識に変化を生じてから、ほぼ、遅れを生じることなく、それに対する（第三指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ２８は、視野輪郭位置として確定されるにふさわしい視標表示位置であるため）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられなくなった場合には、ＣＰＵ５０１は、（視標の走査方向を第一方向（本発明実施の形態では、例えば右方向）にし、且つ視標の走査速度を第三速度にする）視標第三表示制御をやめ、視標を視標表示位置Ｒ２８で静的に表示する。
【００６５】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ２８は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ２８に基づき、視野輪郭記録画面４に、視野輪郭位置２８ｒを記録する。
【００６６】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ２８から行う。
【００６７】
視標が、例えば、視標走査線Ｒ２上の、視野輪郭抽出画面１右端である位置ＲＥ２９を超えると、ＣＰＵ５０１は、走査線換えを行い、視標走査線Ｒ３に対して視標表示位置Ｒ３１から視野輪郭抽出のための視標による走査を続行する。
その際、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を行う。
【００６８】
（例えば、視標が、被験者視野における視標視覚認識不可能領域３ａ内に入り視覚認識不可能になったために、すなわち視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ３４で静的に表示する。
【００６９】
（例えば、視標が、被験者視野における視標視覚認識不可能領域３ａ内に入り視覚認識不可能になってから、すなわち視標視覚認識に変化を生じてから、それに対して（第一指示をやめる）応答がなされるまでに遅れが生じたような場合には、視野輪郭を正確に特定するために）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ３４から行う。
【００７０】
例えば、視標が視標表示位置Ｒ３２に至った時に、
（例えば、視標（の左側の一部分）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を左方向へ戻しすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ３２で静的に表示する。
【００７１】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合、視野輪郭を正確に特定するために）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられた時には、ＣＰＵ５０１は、視標の走査方向を第一方向（本発明実施の形態では、例えば右方向）にし、且つ視標の走査速度を第三速度にする視標第三表示制御を、視標表示位置Ｒ３２から行う。
【００７２】
例えば、視標が視標表示位置Ｒ３３に至った時に、
（例えば、視標表示位置Ｒ３２から視標表示位置Ｒ３３に至る走査に際しては、第三指示による第一速度以下の第三速度が適用されており、
視標が、被験者視野における視標視覚認識不可能領域３ａ内に入り視覚認識不可能になってから、すなわち視標視覚認識に変化を生じてから、ほとんど遅れを生じることなく、それに対する（第三指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ３３は、視野輪郭位置として確定されるにふさわしい視標表示位置であるため）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられなくなった場合には、ＣＰＵ５０１は、（視標の走査方向を第一方向（本発明実施の形態では、例えば右方向）にし、且つ視標の走査速度を第三速度にする）視標第三表示制御をやめ、視標を視標表示位置Ｒ３３で静的に表示する。
【００７３】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ３３は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ３３に基づき、視野輪郭記録画面４に、視野輪郭位置３３ｒを記録する。
【００７４】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ３３から行う。
【００７５】
（例えば、視標が、被験者視野における視標視覚認識不可能領域３ａの外に出、視覚認識可能になったために、すなわち視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ３６で静的に表示する。
【００７６】
例えば、視標が視標表示位置Ｒ３６に至った時に、
（例えば、視標（の右側）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を右方向へ走査させすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ３６から行う。
【００７７】
例えば、視標が視標表示位置Ｒ３５に至った時に、
（例えば、視標表示位置Ｒ３６から視標表示位置Ｒ３５に至る走査に際しては、第二指示による第一速度以下の第二速度が適用されており、
視標が、被験者視野における視標視覚認識不可能領域３ａ内に入り視覚認識不可能になってから、すなわち視標視覚認識に変化を生じてから、ほとんど遅れを生じることなく、それに対する（第二指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ３５は、視野輪郭位置として確定されるにふさわしい視標表示位置であるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ３５で静的に表示する。
【００７８】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ３５は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ３５に基づき、視野輪郭記録画面４に、視野輪郭位置３５ｒを記録する。
【００７９】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ３５から行う。
【００８０】
（例えば、視標が、被験者視野における視標視覚認識不可能領域３ａによりその視覚認識が一瞬さえぎられた後、被験者視野における視標視覚認識不可能領域３ａの外に出、視覚認識可能になるなどして、視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ３９で静的に表示する。
【００８１】
例えば、視標が視標表示位置Ｒ３９に至った時に、
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を右方向へ走査させすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ３９から行う。
【００８２】
例えば、視標が視標表示位置Ｒ３７に至った時に、
（例えば、第二指示が受け付けられたほぼ直後でありながら既に、例えば、視標（の左側の一部分）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を左方向へ戻しすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ３７で静的に表示する。
【００８３】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合、視野輪郭を正確に特定するために）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられた時には、ＣＰＵ５０１は、視標の走査方向を第一方向（本発明実施の形態では、例えば右方向）にし、且つ視標の走査速度を第三速度にする視標第三表示制御を、視標表示位置Ｒ３７から行う。
【００８４】
例えば、視標が視標表示位置Ｒ３８に至った時に、
（例えば、視標表示位置Ｒ３７から視標表示位置Ｒ３８に至る走査に際しては、第三指示による第一速度以下の第三速度が適用されており、
視標が、被験者視野における視標視覚認識不可能領域３ａ内に入り視覚認識不可能になってから、すなわち視標視覚認識に変化を生じてから、ほぼ、遅れを生じることなく、それに対する（第三指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ３８は、視野輪郭位置として確定されるにふさわしい視標表示位置であるため）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられなくなった場合には、ＣＰＵ５０１は、（視標の走査方向を第一方向（本発明実施の形態では、例えば右方向）にし、且つ視標の走査速度を第三速度にする）視標第三表示制御をやめ、視標を視標表示位置Ｒ３８で静的に表示する。
【００８５】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ３８は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ３８に基づき、視野輪郭記録画面４に、視野輪郭位置３８ｒを記録する。
【００８６】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ３８から行う。
【００８７】
視標が、例えば、視標走査線Ｒ３上の、視野輪郭抽出画面１右端である位置ＲＥ３９を超えると、ＣＰＵ５０１は、走査線換えを行い、視標走査線Ｒ４に対して視標表示位置Ｒ４１から視野輪郭抽出のための視標による走査を続行する。
その際、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を行う。
【００８８】
（例えば、視標が、被験者視野における視標視覚認識不可能領域３ａによりその視覚認識が少しの間さえぎられた後、被験者視野における視標視覚認識不可能領域３ａの外に出、視覚認識可能になるなどして、視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ４５で静的に表示する。
【００８９】
例えば、視標が視標表示位置Ｒ４５に至った時に、
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を右方向へ走査させすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ４５から行う。
【００９０】
例えば、視標が視標表示位置Ｒ４２に至った時に、
（例えば、視標（の左側の一部分）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を左方向へ戻しすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ４２で静的に表示する。
【００９１】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合、視野輪郭を正確に特定するために）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられた時には、ＣＰＵ５０１は、視標の走査方向を第一方向（本発明実施の形態では、例えば右方向）にし、且つ視標の走査速度を第三速度にする視標第三表示制御を、視標表示位置Ｒ４２から行う。
【００９２】
例えば、視標が視標表示位置Ｒ４３に至った時に、
（例えば、視標表示位置Ｒ４２から視標表示位置Ｒ４３に至る走査に際しては、第三指示による第一速度以下の第三速度が適用されており、
視標が、被験者視野における視標視覚認識不可能領域３ａ内に入り視覚認識不可能になってから、すなわち視標視覚認識に変化を生じてから、ほとんど、遅れを生じることなく、それに対する（第三指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ４３は、視野輪郭位置として確定されるにふさわしい視標表示位置であるため）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられなくなった場合には、ＣＰＵ５０１は、（視標の走査方向を第一方向（本発明実施の形態では、例えば右方向）にし、且つ視標の走査速度を第三速度にする）視標第三表示制御をやめ、視標を視標表示位置Ｒ４３で静的に表示する。
【００９３】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ４３は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ４３に基づき、視野輪郭記録画面４に、視野輪郭位置４３ｒを記録する。
【００９４】
その後、例えば、
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられた時には、ＣＰＵ５０１は、視標の走査方向を第一方向（本発明実施の形態では、例えば右方向）にし、且つ視標の走査速度を第三速度にする視標第三表示制御を、視標表示位置Ｒ４３から行う。
【００９５】
（例えば、視標が、被験者視野における視標視覚認識不可能領域３ａの外に出、視覚認識可能になったために、すなわち視標視覚認識に変化を生じたために）視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられなくなった場合には、ＣＰＵ５０１は、（視標の走査方向を第一方向（本発明実施の形態では、例えば右方向）にし、且つ視標の走査速度を第三速度にする）視標第三表示制御をやめ、視標を視標表示位置Ｒ４５で静的に表示する。
【００９６】
例えば、視標が視標表示位置Ｒ４５に至った時に、
（例えば、視標（の右側）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を右方向へ走査させすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ４５から行う。
【００９７】
例えば、視標が視標表示位置Ｒ４４に至った時に、
（例えば、視標表示位置Ｒ４５から視標表示位置Ｒ４４に至る走査に際しては、第二指示による第一速度以下の第二速度が適用されており、
視標が、被験者視野における視標視覚認識不可能領域３ａ内に入り視覚認識不可能になってから、すなわち視標視覚認識に変化を生じてから、ほとんど遅れを生じることなく、それに対する（第二指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ４４は、視野輪郭位置として確定されるにふさわしい視標表示位置であるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ４４で静的に表示する。
【００９８】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ４４は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ４４に基づき、視野輪郭記録画面４に、視野輪郭位置４４ｒを記録する。
【００９９】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ４４から行う。
【０１００】
（例えば、視標が、被験者視野における視標視覚認識不可能領域３ａ内に入り視覚認識不可能になったために、すなわち視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ４８で静的に表示する。
【０１０１】
（例えば、視標が、被験者視野における視標視覚認識不可能領域３ａ内に入り視覚認識不可能になってから、すなわち視標視覚認識に変化を生じてから、それに対して（第一指示をやめる）応答がなされるまでに遅れが生じたような場合には、視野輪郭を正確に特定するために）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ４８から行う。
【０１０２】
例えば、視標が視標表示位置Ｒ４６に至った時に、
（例えば、視標（の左側の一部分）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を左方向へ戻しすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ４６で静的に表示する。
【０１０３】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合、視野輪郭を正確に特定するために）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられた時には、ＣＰＵ５０１は、視標の走査方向を第一方向（本発明実施の形態では、例えば右方向）にし、且つ視標の走査速度を第三速度にする視標第三表示制御を、視標表示位置Ｒ４６から行う。
【０１０４】
例えば、視標が視標表示位置Ｒ４７に至った時に、
（例えば、視標表示位置Ｒ４６から視標表示位置Ｒ４７に至る走査に際しては、第三指示による第一速度以下の第三速度が適用されており、
視標が、被験者視野における視標視覚認識不可能領域３ａ内に入り視覚認識不可能になってから、すなわち視標視覚認識に変化を生じてから、ほとんど遅れを生じることなく、それに対する（第三指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ４７は、視野輪郭位置として確定されるにふさわしい視標表示位置であるため）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられなくなった場合には、ＣＰＵ５０１は、（視標の走査方向を第一方向（本発明実施の形態では、例えば右方向）にし、且つ視標の走査速度を第三速度にする）視標第三表示制御をやめ、視標を視標表示位置Ｒ４７で静的に表示する。
【０１０５】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ４７は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ４７に基づき、視野輪郭記録画面４に、視野輪郭位置４７ｒを記録する。
【０１０６】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ４７から行う。
【０１０７】
（例えば、視標が、被験者視野における視標視覚認識不可能領域３ａの外に出、視覚認識可能になったために、すなわち視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ４１０で静的に表示する。
【０１０８】
例えば、視標が視標表示位置Ｒ４１０に至った時に、
（例えば、視標（の右側の一部分）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を右方向へ走査させすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ４１０から行う。
【０１０９】
例えば、視標が視標表示位置Ｒ４９に至った時に、
（例えば、視標表示位置Ｒ４１０から視標表示位置Ｒ４９に至る走査に際しては、第二指示による第一速度以下の第二速度が適用されており、
視標が、被験者視野における視標視覚認識不可能領域３ａ内に入り視覚認識不可能になってから、すなわち視標視覚認識に変化を生じてから、ほとんど遅れを生じることなく、それに対する（第二指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ４９は、視野輪郭位置として確定されるにふさわしい視標表示位置であるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ４９で静的に表示する。
【０１１０】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ４９は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ４９に基づき、視野輪郭記録画面４に、視野輪郭位置４９ｒを記録する。
【０１１１】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ４９から行う。
【０１１２】
（例えば、視標が、被験者視野における視標視覚認識不可能領域３ａ内に入り視覚認識不可能になったために、すなわち視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ４１３で静的に表示する。
【０１１３】
（例えば、視標が、被験者視野における視標視覚認識不可能領域３ａ内に入り視覚認識不可能になってから、すなわち視標視覚認識に変化を生じてから、それに対して（第一指示をやめる）応答がなされるまでに遅れが生じたような場合には、視野輪郭を正確に特定するために）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ４１３から行う。
【０１１４】
例えば、視標が視標表示位置Ｒ４１１に至った時に、
（例えば、視標（の左側の一部分）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を左方向へ戻しすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ４１１で静的に表示する。
【０１１５】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合、視野輪郭を正確に特定するために）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられた時には、ＣＰＵ５０１は、視標の走査方向を第一方向（本発明実施の形態では、例えば右方向）にし、且つ視標の走査速度を第三速度にする視標第三表示制御を、視標表示位置Ｒ４１１から行う。
【０１１６】
例えば、視標が視標表示位置Ｒ４１２に至った時に、
（例えば、視標表示位置Ｒ４１１から視標表示位置Ｒ４１２に至る走査に際しては、第三指示による第一速度以下の第三速度が適用されており、
視標が、被験者視野における視標視覚認識不可能領域３ａ内に入り視覚認識不可能になってから、すなわち視標視覚認識に変化を生じてから、ほとんど遅れを生じることなく、それに対する（第三指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ４１２は、視野輪郭位置として確定されるにふさわしい視標表示位置であるため）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられなくなった場合には、ＣＰＵ５０１は、（視標の走査方向を第一方向（本発明実施の形態では、例えば右方向）にし、且つ視標の走査速度を第三速度にする）視標第三表示制御をやめ、視標を視標表示位置Ｒ４１２で静的に表示する。
【０１１７】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ４１２は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ４１２に基づき、視野輪郭記録画面４に、視野輪郭位置４１２ｒを記録する。
【０１１８】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ４１２から行う。
【０１１９】
（例えば、視標が、被験者視野における視標視覚認識不可能領域３ａの外に出、視覚認識可能になったために、すなわち視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ４１５で静的に表示する。
【０１２０】
例えば、視標が視標表示位置Ｒ４１５に至った時に、
（例えば、視標（の右側）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を右方向へ走査させすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ４１５から行う。
【０１２１】
例えば、視標が視標表示位置Ｒ４１４に至った時に、
（例えば、視標表示位置Ｒ４１５から視標表示位置Ｒ４１４に至る走査に際しては、第二指示による第一速度以下の第二速度が適用されており、
視標が、被験者視野における視標視覚認識不可能領域３ａ内に入り視覚認識不可能になってから、すなわち視標視覚認識に変化を生じてから、ほとんど遅れを生じることなく、それに対する（第二指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ４１４は、視野輪郭位置として確定されるにふさわしい視標表示位置であるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ４１４で静的に表示する。
【０１２２】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ４１４は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ４１４に基づき、視野輪郭記録画面４に、視野輪郭位置４１４ｒを記録する。
【０１２３】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ４１４から行う。
【０１２４】
視標が、例えば、視標走査線Ｒ４上の、視野輪郭抽出画面１右端である位置ＲＥ４１５を超えると、ＣＰＵ５０１は、走査線換えを行い、視標走査線Ｒ５に対して視標表示位置Ｒ５１から視野輪郭抽出のための視標による走査を続行する。
その際、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を行う。
【０１２５】
例えば、視標が視標表示位置Ｒ５２に至った時に、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ５２で静的に表示する。
【０１２６】
しかし、例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ５２は視標が全く視覚認識できなくなる視標表示位置（視標視覚認識変化点）ではないため視野輪郭としての抽出対象とはならず、
視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ５２から行う。
【０１２７】
（例えば、視標が、被験者視野における視標視覚認識不可能領域３ａ内に入り視覚認識不可能になったために、すなわち視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ５５で静的に表示する。
【０１２８】
（例えば、視標が、被験者視野における視標視覚認識不可能領域３ａ内に入り視覚認識不可能になってから、すなわち視標視覚認識に変化を生じてから、それに対して（第一指示をやめる）応答がなされるまでに遅れが生じたような場合には、視野輪郭を正確に特定するために）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ５５から行う。
【０１２９】
例えば、視標が視標表示位置Ｒ５３に至った時に、
（例えば、視標（の左側の一部分）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を左方向へ戻しすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ５３で静的に表示する。
【０１３０】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合、視野輪郭を正確に特定するために）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられた時には、ＣＰＵ５０１は、視標の走査方向を第一方向（本発明実施の形態では、例えば右方向）にし、且つ視標の走査速度を第三速度にする視標第三表示制御を、視標表示位置Ｒ５３から行う。
【０１３１】
例えば、視標が視標表示位置Ｒ５４に至った時に、
（例えば、視標表示位置Ｒ５３から視標表示位置Ｒ５４に至る走査に際しては、第三指示による第一速度以下の第三速度が適用されており、
視標が、被験者視野における視標視覚認識不可能領域３ａ内に入り視覚認識不可能になってから、すなわち視標視覚認識に変化を生じてから、ほとんど遅れを生じることなく、それに対する（第三指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ５４は、視野輪郭位置として確定されるにふさわしい視標表示位置であるため）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられなくなった場合には、ＣＰＵ５０１は、（視標の走査方向を第一方向（本発明実施の形態では、例えば右方向）にし、且つ視標の走査速度を第三速度にする）視標第三表示制御をやめ、視標を視標表示位置Ｒ５４で静的に表示する。
【０１３２】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ５４は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ５４に基づき、視野輪郭記録画面４に、視野輪郭位置５４ｒを記録する。
【０１３３】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ５４から行う。
【０１３４】
（例えば、視標が、被験者視野における視標視覚認識不可能領域３ａの外に出、視覚認識可能になったために、すなわち視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ５７で静的に表示する。
【０１３５】
例えば、視標が視標表示位置Ｒ５７に至った時に、
（例えば、視標（の右側）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を右方向へ走査させすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ５７から行う。
【０１３６】
例えば、視標が視標表示位置Ｒ５６に至った時に、
（例えば、視標表示位置Ｒ５７から視標表示位置Ｒ５６に至る走査に際しては、第二指示による第一速度以下の第二速度が適用されており、
視標が、被験者視野における視標視覚認識不可能領域３ａ内に入り視覚認識不可能になってから、すなわち視標視覚認識に変化を生じてから、ほとんど遅れを生じることなく、それに対する（第二指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ５６は、視野輪郭位置として確定されるにふさわしい視標表示位置であるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ５６で静的に表示する。
【０１３７】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ５６は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ５６に基づき、視野輪郭記録画面４に、視野輪郭位置５６ｒを記録する。
【０１３８】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ５６から行う。
【０１３９】
視標が、例えば、視標走査線Ｒ５上の、視野輪郭抽出画面１右端である位置ＲＥ５７を超えると、ＣＰＵ５０１は、走査線換えを行い、後同様な走査を続行する。
【０１４０】
今、ＣＰＵ５０１は、走査線換えを行い、視標走査線Ｒ９に対して視標表示位置Ｒ９１から視野輪郭抽出のための視標による走査を続行しているとする。
その際、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を行う。
【０１４１】
例えば、視標が視標表示位置Ｒ９２に至った時に、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ９２で静的に表示する。
【０１４２】
その後、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ９２から行う。
【０１４３】
例えば、視標が視標表示位置Ｒ９３に至った時に、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ９３で静的に表示する。
【０１４４】
例えば、視標が視標表示位置Ｒ９３にある時に、
（例えば、視標（の左側の一部分）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標が左側に寄りすぎていると言うことであるため）
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合、視野輪郭を正確に特定するために）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられた時には、ＣＰＵ５０１は、視標の走査方向を第一方向（本発明実施の形態では、例えば右方向）にし、且つ視標の走査速度を第三速度にする視標第三表示制御を、視標表示位置Ｒ９３から行う。
【０１４５】
例えば、視標が視標表示位置Ｒ９４に至った時に、
（例えば、視標表示位置Ｒ９３から視標表示位置Ｒ９４に至る走査に際しては、第三指示による第一速度以下の第三速度が適用されており、
視標が、被験者視野における視標視覚認識不可能領域３ａ内に入り視覚認識不可能になってから、すなわち視標視覚認識に変化を生じてから、ほとんど遅れを生じることなく、それに対する（第三指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ９４は、視野輪郭位置として確定されるにふさわしい視標表示位置であるため）
視野輪郭抽出画面１における視標の走査方向を第一方向（本発明実施の形態では、例えば右方向）に設定し、且つ該視標の走査速度を第一速度以下の所定の第三速度に設定するためになされる第三指示（より具体的には、キーボード３０３の、例えばカーソルキー右（右方向矢印キー）が押されることによりなされる入力）が、入力装置（より具体的には、キーボード３０３の、例えばカーソルキー右（右方向矢印キー））を経て受け付けられなくなった場合には、ＣＰＵ５０１は、（視標の走査方向を第一方向（本発明実施の形態では、例えば右方向）にし、且つ視標の走査速度を第三速度にする）視標第三表示制御をやめ、視標を視標表示位置Ｒ９４で静的に表示する。
【０１４６】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ９４は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ９４に基づき、視野輪郭記録画面４に、視野輪郭位置９４ｒを記録する。
【０１４７】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ９４から行う。
【０１４８】
（例えば、視標が、被験者視野における視標視覚認識不可能領域３ａの外に出、視覚認識可能になったために、すなわち視標視覚認識に変化を生じたために）視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ９６で静的に表示する。
【０１４９】
例えば、視標が視標表示位置Ｒ９６に至った時に、
（例えば、視標（の右側）が、被験者視野における視標視覚認識不可能領域３ａの外に出、視覚認識可能になっており、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定しようとする観点からは、視標を右方向へ走査させすぎたと言うことであるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられた時には、ＣＰＵ５０１は、視標の走査方向を第二方向（本発明実施の形態では、例えば左方向）にし、且つ視標の走査速度を第二速度にする視標第二表示制御を、視標表示位置Ｒ９６から行う。
【０１５０】
例えば、視標が視標表示位置Ｒ９５に至った時に、
（例えば、視標表示位置Ｒ９６から視標表示位置Ｒ９５に至る走査に際しては、第二指示による第一速度以下の第二速度が適用されており、
視標が、被験者視野における視標視覚認識不可能領域３ａ内に入り視覚認識不可能になってから、すなわち視標視覚認識に変化を生じてから、ほとんど遅れを生じることなく、それに対する（第二指示をやめる）応答がなされ得るため、
例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合において、視野輪郭を正確に特定する観点から、視標表示位置Ｒ９５は、視野輪郭位置として確定されるにふさわしい視標表示位置であるため）
視野輪郭抽出画面１における視標の走査方向を第一方向（本発明実施の形態では、例えば右方向）とは逆方向である第二方向（本発明実施の形態では、例えば左方向）に設定し、且つ該視標の走査速度を第一速度以下の所定の第二速度に設定するためになされる第二指示（より具体的には、キーボード３０３の、例えばカーソルキー左（左方向矢印キー）が押されることによりなされる入力）が、入力装置（より具体的には、キーボード３０３の、例えばカーソルキー左（左方向矢印キー））を経て受け付けられなくなった場合には、ＣＰＵ５０１は、（視標の走査方向を第二方向（本発明実施の形態では、例えば左方向）にし、且つ視標の走査速度を第二速度にする）視標第二表示制御をやめ、視標を視標表示位置Ｒ９５で静的に表示する。
【０１５１】
（例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ９５は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
視標表示位置Ｒ９５に基づき、視野輪郭記録画面４に、視野輪郭位置９５ｒを記録する。
【０１５２】
その後、例えば、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ９５から行う。
【０１５３】
視標が、例えば、視標走査線Ｒ９上の、視野輪郭抽出画面１右端である位置ＲＥ９６を超えると、ＣＰＵ５０１は、走査線換えを行い、視標走査線Ｒ１０に対して視標表示位置Ｒ１０１から視野輪郭抽出のための視標による走査を続行する。
その際、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を行う。
【０１５４】
例えば、視標が視標表示位置Ｒ１０２に至った時に、視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（視標の走査方向を第一方向（本発明実施の形態では、例えば右方向）にし、且つ視標の走査速度を第一速度にする）視標第一表示制御をやめ、視標を視標表示位置Ｒ１０２で静的に表示する。
【０１５５】
しかし、例えば視野輪郭を、（視標視覚認識変化点の中でも）視標が（被験者視野における視標視覚認識不可能領域３ａ内に位置しているために）全く視覚認識できなくなるような視標表示位置（視標視覚認識変化点）により抽出するとあらかじめ決めている場合には、視標表示位置Ｒ１０２は視標が全く視覚認識できなくなる視標表示位置（視標視覚認識変化点）ではないため視野輪郭としての抽出対象とはならず、
視野輪郭抽出画面１における視標の走査方向を所定の第一方向（本発明実施の形態では、例えば右方向）に設定し、且つ該視標の走査速度を所定の第一速度に設定するためになされる第一指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、視標の走査方向を第一方向（本発明実施の形態では、例えば右方向）にし、且つ視標の走査速度を第一速度にする視標第一表示制御を、視標表示位置Ｒ１０２から行う。
【０１５６】
視野輪郭抽出装置において、  第一指示受付手段、第二指示受付手段、第三指示受付手段、に代えて、走査速度可変指示受付手段を備え、
視標第一表示制御手段、視標第二表示制御手段、視標第三表示制御手段、に代えて、走査速度可変手段を備える場合について説明する。
【０１５７】
走査速度可変指示受付手段は、
視標の走査速度を可変させて設定するためになされる指示を入力装置（例えば、走査速度調節つまみ３０８等であるが、キーボード３０３やマウス３０６により代替されるように構成及び設定するとしてもよい）を経て受け付け、
走査速度可変手段は、
走査速度可変指示受付手段により走査速度可変の指示が受け付けられると、
視標の走査速度を可変させて設定する。
（例えば、走査速度調節つまみ３０８が回されると、その回転操作角度に応じて、ＣＰＵ５０１により、視標の走査速度が可変されて設定される。）
【０１５８】
柔軟に走査速度を可変にするためになされる指示が、入力装置（例えば、走査速度調節つまみ３０８、あるいはキーボード３０３、マウス３０６等）を経て、受け付けられることができるように構成及び設定した本発明、視野輪郭抽出装置により、上述のような視野輪郭抽出処理を行うようにするとしてもよい。
すなわち、そのような構成及び設定における視野輪郭抽出装置は、視標を視標走査線に沿って一方向に対してだけでなくその逆方向に対しても、柔軟に走査速度を可変させながら自由に走査させ得るための指示を入力装置（例えば、走査速度調節つまみ３０８、あるいはキーボード３０３、マウス３０６等）を経て受け付けることができ、そのような指示に応じてＣＰＵ５０１が視野輪郭抽出画面１において視標を視標走査線に沿って一方向に対してだけでなくその逆方向に対しても、柔軟に走査速度を可変させながら自由に走査させる表示制御を行うことができ、従って、視標の表示位置は、視標走査線に沿って（左右いずれの方向であるかを問わずに）柔軟に位置調整されることが可能になり、そのような視野輪郭抽出装置においては、視標視覚認識に変化の無い視野領域に対する走査については、入力装置（例えば、走査速度調節つまみ３０８、あるいはキーボード３０３、マウス３０６等）を経て、走査速度が柔軟に可変され得るように操作され得ることにより、例えば高速度に走査が済まされるように操作されることができ、視標視覚認識変化点近傍、視野輪郭近傍等では、走査速度が柔軟に可変され得ることにより、例えば低速度に、視標をわずかの距離左右に走査させたりする等と言った視標表示位置微調整の操作がなされつつ、視標視覚認識変化点、視野輪郭位置が高精度に探索及び確認されるように操作されることができ、そのようにして探索された視野輪郭は、例えば、位置確定ボタン（キーボード３０３等により代替可能である）等が押されることにより、視野輪郭として位置確定され、視野輪郭記録画面４に記録されることができる。
【０１５９】
（走査速度調節つまみ３０８は入出力インターフェースを経てバス５０５に接続され、走査速度調節つまみ３０８からの入力をＣＰＵ５０１に出力することができる。）
（例えば、走査速度調節つまみ３０８からの回転操作角度等に関する情報がＣＰＵ５０１に供給される。）
（位置確定ボタン３０９は入出力インターフェースを経てバス５０５に接続され、位置確定ボタン３０９からの入力をＣＰＵ５０１に出力することができる。）
（例えば、位置確定ボタン３０９からの視野輪郭位置確定指示がなされた瞬間に関する情報がＣＰＵ５０１に供給される。）
【０１６０】
（必要であれば、例えば、ＣＰＵ５０１は、走査動作中に、走査速度調節つまみ３０８が、走査速度増大方向又は走査速度低下方向に回されたか否かを判断し、走査速度調節つまみ３０８が走査速度増大方向に回されていれば（例としては、視標視覚認識が不変である視野領域に対して冗長な走査が続いている場合等）、その回転操作角度に応じて（線形に応じるように設定するとしても、非線形に応じるように設定するとしてもよい）走査速度を所定レベル高速度に設定し、また走査速度調節つまみ３０８が、走査速度低下方向に回されていれば（例としては、視標視覚認識が変化する位置近傍に対して走査が行われている場合等）、その回転操作角度に応じて（線形に応じるように設定するとしても、非線形に応じるように設定するとしてもよい）走査速度を所定レベル低速度に設定するようにしてもよい。）
【０１６１】
（走査速度調節つまみ３０８からの入力に応じて、ＣＰＵ５０１が、走査速度を、正の速度の範囲内においてのみではなく、負の速度（ＣＰＵ５０１が、視標を視標走査線に沿って一方向に走査させることを正の速度による走査と呼んだ場合、ＣＰＵ５０１が、その視標走査線に沿って逆方向に視標を走査させることを負の速度による走査と呼ぶことにする）の範囲内においても変速させ得るように構成及び設定するとしてもよい。また、走査速度調節つまみ３０８から、正の速度の範囲と負の速度の範囲の間における走査速度に関する入力がなされた場合には、ＣＰＵ５０１が、視標を静的に表示制御することを可能にするように構成及び設定するようにしてもよい。）
【０１６２】
（走査速度調節つまみ３０８により、ＣＰＵ５０１による走査が連続的に変速されるように構成及び設定してもよいし、走査速度調節つまみ３０８により、ＣＰＵ５０１による走査が不連続的に変速されるように構成及び設定してもよい。）
【０１６３】
被験者視野における視標視覚認識不可能領域３ａは、被験者視野における視標視覚認識不可能領域の一例であり、視野輪郭抽出画面１における位置表現を正確に行う際の参考として図示したものである。
【０１６４】
次に、図２を参照しながら、本発明、視野輪郭抽出装置の走査及び作動態様、及び視野輪郭記録態様について詳細に説明する。
【０１６５】
ＣＰＵ５０１は、視野における視標視覚認識変化点から構成される視野輪郭を抽出するための視野輪郭抽出画面１を出力装置（例えばディスプレイ３０４）に生成する。
【０１６６】
ＣＰＵ５０１は、本発明、視野輪郭抽出装置を実現させるプログラムに従い、視野輪郭抽出画面１において、設定された位置に、固視標２を表示する。
固視標２は、視野輪郭抽出の際、被験者の片側の目により凝視されるべき固視標である。
【０１６７】
ＣＰＵ５０１は、視野輪郭抽出装置を実現させるプログラムに従い、視野輪郭抽出画面１において、例えば、画面の左側から直交視標走査線ＶＲ１、直交視標走査線ＶＲ２等を配し、以下同様に、例えば直交視標走査線ＶＲ２０まで、あらかじめ設定された（例えば、ｘ軸方向に対する）間隔で、複数の直交視標走査線を、互いに平行となるように設定する。
それら走査線は、視野輪郭を抽出する際に直交視標にたどらせる経路として設定されるものであり、ＣＰＵ５０１はそれら走査線を、視野輪郭抽出画面１に表示しない。
（図２においては、垂直方向の直交視標走査線が設定されているが、他の方向の直交視標走査線により視標走査線を設定してもよい。）
【０１６８】
ＣＰＵ５０１は、本発明、視野輪郭抽出装置を実現させるプログラムに従い、例えば、まず直交視標走査線ＶＲ１上の、視野輪郭抽出画面１下端である直交視標表示位置ＶＲ１１に、直交視標を表示する。
【０１６９】
例えば、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を行う。
【０１７０】
例えば、直交視標が直交視標表示位置ＶＲ１２に至った時に、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（直交視標の走査方向を第四方向（本発明実施の形態では、例えば上方向）にし、且つ直交視標の走査速度を第四速度にする）直交視標第四表示制御をやめ、直交視標を直交視標表示位置ＶＲ１２で静的に表示する。
【０１７１】
しかし、例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合には、直交視標表示位置ＶＲ１２は直交視標が全く視覚認識できなくなる直交視標表示位置（視標視覚認識変化点）ではないため視野輪郭としての抽出対象とはならず、
視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を、直交視標表示位置ＶＲ１２から行う。
【０１７２】
直交視標が、例えば、直交視標走査線ＶＲ１上の、視野輪郭抽出画面１上端である位置ＶＲＥ１２を超えると、ＣＰＵ５０１は、走査線換えを行い、直交視標走査線ＶＲ２に対して直交視標表示位置ＶＲ２１から視野輪郭抽出のための直交視標による走査を続行する。
その際、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を行う。
【０１７３】
（例えば、直交視標が、直交視標による視野輪郭抽出時における被験者視野の視標視覚認識不可能領域３ｂ内に入り視覚認識不可能になったために、すなわち視標視覚認識に変化を生じたために）視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（直交視標の走査方向を第四方向（本発明実施の形態では、例えば上方向）にし、且つ直交視標の走査速度を第四速度にする）直交視標第四表示制御をやめ、直交視標を直交視標表示位置ＶＲ２４で静的に表示する。
【０１７４】
（例えば、直交視標が、直交視標による視野輪郭抽出時における被験者視野の視標視覚認識不可能領域３ｂ内に入り視覚認識不可能になってから、すなわち視標視覚認識に変化を生じてから、それに対して（第四指示をやめる）応答がなされるまでに遅れが生じたような場合には、視野輪郭を正確に特定するために）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられた時には、ＣＰＵ５０１は、直交視標の走査方向を第五方向（本発明実施の形態では、例えば下方向）にし、且つ直交視標の走査速度を第五速度にする直交視標第五表示制御を、直交視標表示位置ＶＲ２４から行う。
【０１７５】
例えば、直交視標が直交視標表示位置ＶＲ２２に至った時に、
（例えば、直交視標（の下側の一部分）が、直交視標による視野輪郭抽出時における被験者視野の視標視覚認識不可能領域３ｂの外に出、視覚認識可能になっており、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定しようとする観点からは、直交視標を下方向へ戻しすぎたと言うことであるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられなくなった場合には、ＣＰＵ５０１は、（直交視標の走査方向を第五方向（本発明実施の形態では、例えば下方向）にし、且つ直交視標の走査速度を第五速度にする）直交視標第五表示制御をやめ、直交視標を直交視標表示位置ＶＲ２２で静的に表示する。
【０１７６】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合、視野輪郭を正確に特定するために）
視野輪郭抽出画面１における直交視標の走査方向を第四方向（本発明実施の形態では、例えば上方向）に設定し、且つ該直交視標の走査速度を第四速度以下の所定の第六速度に設定するためになされる第六指示（より具体的には、キーボード３０３の、例えばカーソルキー上（上方向矢印キー）が押されることによりなされる入力）が、入力装置（より具体的には、キーボード３０３の、例えばカーソルキー上（上方向矢印キー））を経て受け付けられた時には、ＣＰＵ５０１は、直交視標の走査方向を第四方向（本発明実施の形態では、例えば上方向）にし、且つ直交視標の走査速度を第六速度にする直交視標第六表示制御を、直交視標表示位置ＶＲ２２から行う。
【０１７７】
例えば、直交視標が直交視標表示位置ＶＲ２３に至った時に、
（例えば、直交視標表示位置ＶＲ２２から直交視標表示位置ＶＲ２３に至る走査に際しては、第六指示による第四速度以下の第六速度が適用されており、
直交視標が、直交視標による視野輪郭抽出時における被験者視野の視標視覚認識不可能領域３ｂ内に入り視覚認識不可能になってから、すなわち視標視覚認識に変化を生じてから、ほとんど遅れを生じることなく、それに対する（第六指示をやめる）応答がなされ得るため、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定する観点から、直交視標表示位置ＶＲ２３は、視野輪郭位置として確定されるにふさわしい直交視標表示位置であるため）
視野輪郭抽出画面１における直交視標の走査方向を第四方向（本発明実施の形態では、例えば上方向）に設定し、且つ該直交視標の走査速度を第四速度以下の所定の第六速度に設定するためになされる第六指示（より具体的には、キーボード３０３の、例えばカーソルキー上（上方向矢印キー）が押されることによりなされる入力）が、入力装置（より具体的には、キーボード３０３の、例えばカーソルキー上（上方向矢印キー））を経て受け付けられなくなった場合には、ＣＰＵ５０１は、（直交視標の走査方向を第四方向（本発明実施の形態では、例えば上方向）にし、且つ直交視標の走査速度を第六速度にする）直交視標第六表示制御をやめ、直交視標を直交視標表示位置ＶＲ２３で静的に表示する。
【０１７８】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合には、直交視標表示位置ＶＲ２３は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
直交視標表示位置ＶＲ２３に基づき、視野輪郭記録画面４に、視野輪郭位置２３ｖを記録する。
【０１７９】
その後、例えば、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を、直交視標表示位置ＶＲ２３から行う。
【０１８０】
（例えば、直交視標が、直交視標による視野輪郭抽出時における被験者視野の視標視覚認識不可能領域３ｂの外に出、視覚認識可能になったために、すなわち視標視覚認識に変化を生じたために）視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（直交視標の走査方向を第四方向（本発明実施の形態では、例えば上方向）にし、且つ直交視標の走査速度を第四速度にする）直交視標第四表示制御をやめ、直交視標を直交視標表示位置ＶＲ２６で静的に表示する。
【０１８１】
例えば、直交視標が直交視標表示位置ＶＲ２６に至った時に、
（例えば、直交視標（の上側）が、直交視標による視野輪郭抽出時における被験者視野の視標視覚認識不可能領域３ｂの外に出、視覚認識可能になっており、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定しようとする観点からは、直交視標を上方向へ走査させすぎたと言うことであるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられた時には、ＣＰＵ５０１は、直交視標の走査方向を第五方向（本発明実施の形態では、例えば下方向）にし、且つ直交視標の走査速度を第五速度にする直交視標第五表示制御を、直交視標表示位置ＶＲ２６から行う。
【０１８２】
例えば、直交視標が直交視標表示位置ＶＲ２５に至った時に、
（例えば、直交視標表示位置ＶＲ２６から直交視標表示位置ＶＲ２５に至る走査に際しては、第五指示による第四速度以下の第五速度が適用されており、
直交視標が、直交視標による視野輪郭抽出時における被験者視野の視標視覚認識不可能領域３ｂ内に入り視覚認識不可能になってから、すなわち視標視覚認識に変化を生じてから、ほとんど遅れを生じることなく、それに対する（第五指示をやめる）応答がなされ得るため、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定する観点から、直交視標表示位置ＶＲ２５は、視野輪郭位置として確定されるにふさわしい直交視標表示位置であるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられなくなった場合には、ＣＰＵ５０１は、（直交視標の走査方向を第五方向（本発明実施の形態では、例えば下方向）にし、且つ直交視標の走査速度を第五速度にする）直交視標第五表示制御をやめ、直交視標を直交視標表示位置ＶＲ２５で静的に表示する。
【０１８３】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合には、直交視標表示位置ＶＲ２５は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
直交視標表示位置ＶＲ２５に基づき、視野輪郭記録画面４に、視野輪郭位置２５ｖを記録する。
【０１８４】
その後、例えば、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を、直交視標表示位置ＶＲ２５から行う。
【０１８５】
直交視標が、例えば、直交視標走査線ＶＲ２上の、視野輪郭抽出画面１上端である位置ＶＲＥ２６を超えると、ＣＰＵ５０１は、走査線換えを行い、直交視標走査線Ｒ３に対して直交視標表示位置ＶＲ３１から視野輪郭抽出のための直交視標による走査を続行する。
その際、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を行う。
【０１８６】
（例えば、直交視標が、直交視標による視野輪郭抽出時における被験者視野の視標視覚認識不可能領域３ｂによりその視覚認識が少しの間さえぎられた後、直交視標による視野輪郭抽出時における被験者視野の視標視覚認識不可能領域３ｂの外に出、視覚認識可能になるなどして、視標視覚認識に変化を生じたために）視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（直交視標の走査方向を第四方向（本発明実施の形態では、例えば上方向）にし、且つ直交視標の走査速度を第四速度にする）直交視標第四表示制御をやめ、直交視標を直交視標表示位置ＶＲ３５で静的に表示する。
【０１８７】
例えば、直交視標が直交視標表示位置ＶＲ３５に至った時に、
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定しようとする観点からは、直交視標を上方向へ走査させすぎたと言うことであるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられた時には、ＣＰＵ５０１は、直交視標の走査方向を第五方向（本発明実施の形態では、例えば下方向）にし、且つ直交視標の走査速度を第五速度にする直交視標第五表示制御を、直交視標表示位置ＶＲ３５から行う。
【０１８８】
例えば、直交視標が直交視標表示位置ＶＲ３２に至った時に、
（例えば、直交視標（の下側のわずかの一部分）が、直交視標による視野輪郭抽出時における被験者視野の視標視覚認識不可能領域３ｂの外に出、視覚認識可能になっており、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定しようとする観点からは、直交視標を下方向へ戻しすぎたと言うことであるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられなくなった場合には、ＣＰＵ５０１は、（直交視標の走査方向を第五方向（本発明実施の形態では、例えば下方向）にし、且つ直交視標の走査速度を第五速度にする）直交視標第五表示制御をやめ、直交視標を直交視標表示位置ＶＲ３２で静的に表示する。
【０１８９】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合、視野輪郭を正確に特定するために）
視野輪郭抽出画面１における直交視標の走査方向を第四方向（本発明実施の形態では、例えば上方向）に設定し、且つ該直交視標の走査速度を第四速度以下の所定の第六速度に設定するためになされる第六指示（より具体的には、キーボード３０３の、例えばカーソルキー上（上方向矢印キー）が押されることによりなされる入力）が、入力装置（より具体的には、キーボード３０３の、例えばカーソルキー上（上方向矢印キー））を経て受け付けられた時には、ＣＰＵ５０１は、直交視標の走査方向を第四方向（本発明実施の形態では、例えば上方向）にし、且つ直交視標の走査速度を第六速度にする直交視標第六表示制御を、直交視標表示位置ＶＲ３２から行う。
【０１９０】
例えば、直交視標が直交視標表示位置ＶＲ３３に至った時に、
（例えば、直交視標表示位置ＶＲ３２から直交視標表示位置ＶＲ３３に至る走査に際しては、第六指示による第四速度以下の第六速度が適用されており、
直交視標が、直交視標による視野輪郭抽出時における被験者視野の視標視覚認識不可能領域３ｂ内に入り視覚認識不可能になってから、すなわち視標視覚認識に変化を生じてから、ほとんど、遅れを生じることなく、それに対する（第六指示をやめる）応答がなされ得るため、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定する観点から、直交視標表示位置ＶＲ３３は、視野輪郭位置として確定されるにふさわしい直交視標表示位置であるため）
視野輪郭抽出画面１における直交視標の走査方向を第四方向（本発明実施の形態では、例えば上方向）に設定し、且つ該直交視標の走査速度を第四速度以下の所定の第六速度に設定するためになされる第六指示（より具体的には、キーボード３０３の、例えばカーソルキー上（上方向矢印キー）が押されることによりなされる入力）が、入力装置（より具体的には、キーボード３０３の、例えばカーソルキー上（上方向矢印キー））を経て受け付けられなくなった場合には、ＣＰＵ５０１は、（直交視標の走査方向を第四方向（本発明実施の形態では、例えば上方向）にし、且つ直交視標の走査速度を第六速度にする）直交視標第六表示制御をやめ、直交視標を直交視標表示位置ＶＲ３３で静的に表示する。
【０１９１】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合には、直交視標表示位置ＶＲ３３は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
直交視標表示位置ＶＲ３３に基づき、視野輪郭記録画面４に、視野輪郭位置３３ｖを記録する。
【０１９２】
その後、例えば、
視野輪郭抽出画面１における直交視標の走査方向を第四方向（本発明実施の形態では、例えば上方向）に設定し、且つ該直交視標の走査速度を第四速度以下の所定の第六速度に設定するためになされる第六指示（より具体的には、キーボード３０３の、例えばカーソルキー上（上方向矢印キー）が押されることによりなされる入力）が、入力装置（より具体的には、キーボード３０３の、例えばカーソルキー上（上方向矢印キー））を経て受け付けられた時には、ＣＰＵ５０１は、直交視標の走査方向を第四方向（本発明実施の形態では、例えば上方向）にし、且つ直交視標の走査速度を第六速度にする直交視標第六表示制御を、直交視標表示位置ＶＲ３３から行う。
【０１９３】
（例えば、直交視標が、直交視標による視野輪郭抽出時における被験者視野の視標視覚認識不可能領域３ｂの外に出、視覚認識可能になったために、すなわち視標視覚認識に変化を生じたために）視野輪郭抽出画面１における直交視標の走査方向を第四方向（本発明実施の形態では、例えば上方向）に設定し、且つ該直交視標の走査速度を第四速度以下の所定の第六速度に設定するためになされる第六指示（より具体的には、キーボード３０３の、例えばカーソルキー上（上方向矢印キー）が押されることによりなされる入力）が、入力装置（より具体的には、キーボード３０３の、例えばカーソルキー上（上方向矢印キー））を経て受け付けられなくなった場合には、ＣＰＵ５０１は、（直交視標の走査方向を第四方向（本発明実施の形態では、例えば上方向）にし、且つ直交視標の走査速度を第六速度にする）直交視標第六表示制御をやめ、直交視標を直交視標表示位置ＶＲ３５で静的に表示する。
【０１９４】
例えば、直交視標が直交視標表示位置ＶＲ３５に至った時に、
（例えば、直交視標（の上側）が、直交視標による視野輪郭抽出時における被験者視野の視標視覚認識不可能領域３ｂの外に出、視覚認識可能になっており、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定しようとする観点からは、直交視標を上方向へ走査させすぎたと言うことであるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられた時には、ＣＰＵ５０１は、直交視標の走査方向を第五方向（本発明実施の形態では、例えば下方向）にし、且つ直交視標の走査速度を第五速度にする直交視標第五表示制御を、直交視標表示位置ＶＲ３５から行う。
【０１９５】
例えば、直交視標が直交視標表示位置ＶＲ３４に至った時に、
（例えば、直交視標表示位置ＶＲ３５から直交視標表示位置ＶＲ３４に至る走査に際しては、第五指示による第四速度以下の第五速度が適用されており、
直交視標が、直交視標による視野輪郭抽出時における被験者視野の視標視覚認識不可能領域３ｂ内に入り視覚認識不可能になってから、すなわち視標視覚認識に変化を生じてから、ほとんど遅れを生じることなく、それに対する（第五指示をやめる）応答がなされ得るため、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定する観点から、直交視標表示位置ＶＲ３４は、視野輪郭位置として確定されるにふさわしい直交視標表示位置であるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられなくなった場合には、ＣＰＵ５０１は、（直交視標の走査方向を第五方向（本発明実施の形態では、例えば下方向）にし、且つ直交視標の走査速度を第五速度にする）直交視標第五表示制御をやめ、直交視標を直交視標表示位置ＶＲ３４で静的に表示する。
【０１９６】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合には、直交視標表示位置ＶＲ３４は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
直交視標表示位置ＶＲ３４に基づき、視野輪郭記録画面４に、視野輪郭位置３４ｖを記録する。
【０１９７】
その後、例えば、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を、直交視標表示位置ＶＲ３４から行う。
【０１９８】
直交視標が、例えば、直交視標走査線ＶＲ３上の、視野輪郭抽出画面１上端である位置ＶＲＥ３５を超えると、ＣＰＵ５０１は、走査線換えを行い、直交視標走査線ＶＲ４に対して直交視標表示位置ＶＲ４１から視野輪郭抽出のための直交視標による走査を続行する。
その際、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を行う。
【０１９９】
（例えば、直交視標が、直交視標による視野輪郭抽出時における被験者視野の視標視覚認識不可能領域３ｂ内に入り視覚認識不可能になったために、すなわち視標視覚認識に変化を生じたために）視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（直交視標の走査方向を第四方向（本発明実施の形態では、例えば上方向）にし、且つ直交視標の走査速度を第四速度にする）直交視標第四表示制御をやめ、直交視標を直交視標表示位置ＶＲ４４で静的に表示する。
【０２００】
（例えば、直交視標が、直交視標による視野輪郭抽出時における被験者視野の視標視覚認識不可能領域３ｂ内に入り視覚認識不可能になってから、すなわち視標視覚認識に変化を生じてから、それに対して（第四指示をやめる）応答がなされるまでに遅れが生じたような場合には、視野輪郭を正確に特定するために）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられた時には、ＣＰＵ５０１は、直交視標の走査方向を第五方向（本発明実施の形態では、例えば下方向）にし、且つ直交視標の走査速度を第五速度にする直交視標第五表示制御を、直交視標表示位置ＶＲ４４から行う。
【０２０１】
例えば、直交視標が直交視標表示位置ＶＲ４２に至った時に、
（例えば、直交視標（の下側）が、直交視標による視野輪郭抽出時における被験者視野の視標視覚認識不可能領域３ｂの外に出、視覚認識可能になっており、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定しようとする観点からは、直交視標を下方向へ戻しすぎたと言うことであるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられなくなった場合には、ＣＰＵ５０１は、（直交視標の走査方向を第五方向（本発明実施の形態では、例えば下方向）にし、且つ直交視標の走査速度を第五速度にする）直交視標第五表示制御をやめ、直交視標を直交視標表示位置ＶＲ４２で静的に表示する。
【０２０２】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合、視野輪郭を正確に特定するために）
視野輪郭抽出画面１における直交視標の走査方向を第四方向（本発明実施の形態では、例えば上方向）に設定し、且つ該直交視標の走査速度を第四速度以下の所定の第六速度に設定するためになされる第六指示（より具体的には、キーボード３０３の、例えばカーソルキー上（上方向矢印キー）が押されることによりなされる入力）が、入力装置（より具体的には、キーボード３０３の、例えばカーソルキー上（上方向矢印キー））を経て受け付けられた時には、ＣＰＵ５０１は、直交視標の走査方向を第四方向（本発明実施の形態では、例えば上方向）にし、且つ直交視標の走査速度を第六速度にする直交視標第六表示制御を、直交視標表示位置ＶＲ４２から行う。
【０２０３】
例えば、直交視標が直交視標表示位置ＶＲ４３に至った時に、
（例えば、直交視標表示位置ＶＲ４２から直交視標表示位置ＶＲ４３に至る走査に際しては、第六指示による第四速度以下の第六速度が適用されており、
直交視標が、直交視標による視野輪郭抽出時における被験者視野の視標視覚認識不可能領域３ｂ内に入り視覚認識不可能になってから、すなわち視標視覚認識に変化を生じてから、ほとんど遅れを生じることなく、それに対する（第六指示をやめる）応答がなされ得るため、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定する観点から、直交視標表示位置ＶＲ４３は、視野輪郭位置として確定されるにふさわしい直交視標表示位置であるため）
視野輪郭抽出画面１における直交視標の走査方向を第四方向（本発明実施の形態では、例えば上方向）に設定し、且つ該直交視標の走査速度を第四速度以下の所定の第六速度に設定するためになされる第六指示（より具体的には、キーボード３０３の、例えばカーソルキー上（上方向矢印キー）が押されることによりなされる入力）が、入力装置（より具体的には、キーボード３０３の、例えばカーソルキー上（上方向矢印キー））を経て受け付けられなくなった場合には、ＣＰＵ５０１は、（直交視標の走査方向を第四方向（本発明実施の形態では、例えば上方向）にし、且つ直交視標の走査速度を第六速度にする）直交視標第六表示制御をやめ、直交視標を直交視標表示位置ＶＲ４３で静的に表示する。
【０２０４】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合には、直交視標表示位置ＶＲ４３は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
直交視標表示位置ＶＲ４３に基づき、視野輪郭記録画面４に、視野輪郭位置４３ｖを記録する。
【０２０５】
その後、例えば、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を、直交視標表示位置ＶＲ４３から行う。
【０２０６】
（例えば、直交視標が、直交視標による視野輪郭抽出時における被験者視野の視標視覚認識不可能領域３ｂの外に出、視覚認識可能になったために、すなわち視標視覚認識に変化を生じたために）視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（直交視標の走査方向を第四方向（本発明実施の形態では、例えば上方向）にし、且つ直交視標の走査速度を第四速度にする）直交視標第四表示制御をやめ、直交視標を直交視標表示位置ＶＲ４６で静的に表示する。
【０２０７】
例えば、直交視標が直交視標表示位置ＶＲ４６に至った時に、
（例えば、直交視標（の上側）が、直交視標による視野輪郭抽出時における被験者視野の視標視覚認識不可能領域３ｂの外に出、視覚認識可能になっており、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定しようとする観点からは、直交視標を上方向へ走査させすぎたと言うことであるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられた時には、ＣＰＵ５０１は、直交視標の走査方向を第五方向（本発明実施の形態では、例えば下方向）にし、且つ直交視標の走査速度を第五速度にする直交視標第五表示制御を、直交視標表示位置ＶＲ４６から行う。
【０２０８】
例えば、直交視標が直交視標表示位置ＶＲ４５に至った時に、
（例えば、直交視標表示位置ＶＲ４６から直交視標表示位置ＶＲ４５に至る走査に際しては、第五指示による第四速度以下の第五速度が適用されており、
直交視標が、直交視標による視野輪郭抽出時における被験者視野の視標視覚認識不可能領域３ｂ内に入り視覚認識不可能になってから、すなわち視標視覚認識に変化を生じてから、ほとんど遅れを生じることなく、それに対する（第五指示をやめる）応答がなされ得るため、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定する観点から、直交視標表示位置ＶＲ４５は、視野輪郭位置として確定されるにふさわしい直交視標表示位置であるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられなくなった場合には、ＣＰＵ５０１は、（直交視標の走査方向を第五方向（本発明実施の形態では、例えば下方向）にし、且つ直交視標の走査速度を第五速度にする）直交視標第五表示制御をやめ、直交視標を直交視標表示位置ＶＲ４５で静的に表示する。
【０２０９】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合には、直交視標表示位置ＶＲ４５は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
直交視標表示位置ＶＲ４５に基づき、視野輪郭記録画面４に、視野輪郭位置４５ｖを記録する。
【０２１０】
その後、例えば、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を、直交視標表示位置ＶＲ４５から行う。
【０２１１】
直交視標が、例えば、直交視標走査線ＶＲ４上の、視野輪郭抽出画面１上端である位置ＶＲＥ４６を超えると、ＣＰＵ５０１は、走査線換えを行い、直交視標走査線ＶＲ５に対して直交視標表示位置ＶＲ５１から視野輪郭抽出のための直交視標による走査を続行する。
その際、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を行う。
【０２１２】
例えば、直交視標が直交視標表示位置ＶＲ５２に至った時に、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（直交視標の走査方向を第四方向（本発明実施の形態では、例えば上方向）にし、且つ直交視標の走査速度を第四速度にする）直交視標第四表示制御をやめ、直交視標を直交視標表示位置ＶＲ５２で静的に表示する。
【０２１３】
その後、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を、直交視標表示位置ＶＲ５２から行う。
【０２１４】
例えば、直交視標が直交視標表示位置ＶＲ５３に至った時に、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（直交視標の走査方向を第四方向（本発明実施の形態では、例えば上方向）にし、且つ直交視標の走査速度を第四速度にする）直交視標第四表示制御をやめ、直交視標を直交視標表示位置ＶＲ５３で静的に表示する。
【０２１５】
例えば、直交視標が直交視標表示位置ＶＲ５３にある時に、
（例えば、直交視標（の下側）が、直交視標による視野輪郭抽出時における被験者視野の視標視覚認識不可能領域３ｂの外に出、視覚認識可能になっており、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定しようとする観点からは、直交視標が下側に寄りすぎていると言うことであるため）
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合、視野輪郭を正確に特定するために）
視野輪郭抽出画面１における直交視標の走査方向を第四方向（本発明実施の形態では、例えば上方向）に設定し、且つ該直交視標の走査速度を第四速度以下の所定の第六速度に設定するためになされる第六指示（より具体的には、キーボード３０３の、例えばカーソルキー上（上方向矢印キー）が押されることによりなされる入力）が、入力装置（より具体的には、キーボード３０３の、例えばカーソルキー上（上方向矢印キー））を経て受け付けられた時には、ＣＰＵ５０１は、直交視標の走査方向を第四方向（本発明実施の形態では、例えば上方向）にし、且つ直交視標の走査速度を第六速度にする直交視標第六表示制御を、直交視標表示位置ＶＲ５３から行う。
【０２１６】
例えば、直交視標が直交視標表示位置ＶＲ５４に至った時に、
（例えば、直交視標表示位置ＶＲ５３から直交視標表示位置ＶＲ５４に至る走査に際しては、第六指示による第四速度以下の第六速度が適用されており、
直交視標が、直交視標による視野輪郭抽出時における被験者視野の視標視覚認識不可能領域３ｂ内に入り視覚認識不可能になってから、すなわち視標視覚認識に変化を生じてから、ほとんど遅れを生じることなく、それに対する（第六指示をやめる）応答がなされ得るため、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定する観点から、直交視標表示位置ＶＲ５４は、視野輪郭位置として確定されるにふさわしい直交視標表示位置であるため）
視野輪郭抽出画面１における直交視標の走査方向を第四方向（本発明実施の形態では、例えば上方向）に設定し、且つ該直交視標の走査速度を第四速度以下の所定の第六速度に設定するためになされる第六指示（より具体的には、キーボード３０３の、例えばカーソルキー上（上方向矢印キー）が押されることによりなされる入力）が、入力装置（より具体的には、キーボード３０３の、例えばカーソルキー上（上方向矢印キー））を経て受け付けられなくなった場合には、ＣＰＵ５０１は、（直交視標の走査方向を第四方向（本発明実施の形態では、例えば上方向）にし、且つ直交視標の走査速度を第六速度にする）直交視標第六表示制御をやめ、直交視標を直交視標表示位置ＶＲ５４で静的に表示する。
【０２１７】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合には、直交視標表示位置ＶＲ５４は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
直交視標表示位置ＶＲ５４に基づき、視野輪郭記録画面４に、視野輪郭位置５４ｖを記録する。
【０２１８】
その後、例えば、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を、直交視標表示位置ＶＲ５４から行う。
【０２１９】
（例えば、直交視標が、直交視標による視野輪郭抽出時における被験者視野の視標視覚認識不可能領域３ｂの外に出、視覚認識可能になったために、すなわち視標視覚認識に変化を生じたために）視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（直交視標の走査方向を第四方向（本発明実施の形態では、例えば上方向）にし、且つ直交視標の走査速度を第四速度にする）直交視標第四表示制御をやめ、直交視標を直交視標表示位置ＶＲ５６で静的に表示する。
【０２２０】
例えば、直交視標が直交視標表示位置ＶＲ５６に至った時に、
（例えば、直交視標（の上側の一部分）が、直交視標による視野輪郭抽出時における被験者視野の視標視覚認識不可能領域３ｂの外に出、視覚認識可能になっており、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定しようとする観点からは、直交視標を上方向へ走査させすぎたと言うことであるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられた時には、ＣＰＵ５０１は、直交視標の走査方向を第五方向（本発明実施の形態では、例えば下方向）にし、且つ直交視標の走査速度を第五速度にする直交視標第五表示制御を、直交視標表示位置ＶＲ５６から行う。
【０２２１】
例えば、直交視標が直交視標表示位置ＶＲ５５に至った時に、
（例えば、直交視標表示位置ＶＲ５６から直交視標表示位置ＶＲ５５に至る走査に際しては、第五指示による第四速度以下の第五速度が適用されており、
直交視標が、直交視標による視野輪郭抽出時における被験者視野の視標視覚認識不可能領域３ｂ内に入り視覚認識不可能になってから、すなわち視標視覚認識に変化を生じてから、ほとんど遅れを生じることなく、それに対する（第五指示をやめる）応答がなされ得るため、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定する観点から、直交視標表示位置ＶＲ５５は、視野輪郭位置として確定されるにふさわしい直交視標表示位置であるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられなくなった場合には、ＣＰＵ５０１は、（直交視標の走査方向を第五方向（本発明実施の形態では、例えば下方向）にし、且つ直交視標の走査速度を第五速度にする）直交視標第五表示制御をやめ、直交視標を直交視標表示位置ＶＲ５５で静的に表示する。
【０２２２】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合には、直交視標表示位置ＶＲ５５は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
直交視標表示位置ＶＲ５５に基づき、視野輪郭記録画面４に、視野輪郭位置５５ｖを記録する。
【０２２３】
その後、例えば、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を、直交視標表示位置ＶＲ５５から行う。
【０２２４】
直交視標が、例えば、直交視標走査線ＶＲ５上の、視野輪郭抽出画面１上端である位置ＶＲＥ５６を超えると、ＣＰＵ５０１は、走査線換えを行い、後同様な走査を続行する。
【０２２５】
今、ＣＰＵ５０１は、走査線換えを行い、直交視標走査線ＶＲ１９に対して直交視標表示位置ＶＲ１９１から視野輪郭抽出のための直交視標による走査を続行しているとする。
その際、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を行う。
【０２２６】
（例えば、直交視標が、直交視標による視野輪郭抽出時における被験者視野の視標視覚認識不可能領域３ｂ内に入り視覚認識不可能になったために、すなわち視標視覚認識に変化を生じたために）視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（直交視標の走査方向を第四方向（本発明実施の形態では、例えば上方向）にし、且つ直交視標の走査速度を第四速度にする）直交視標第四表示制御をやめ、直交視標を直交視標表示位置ＶＲ１９４で静的に表示する。
【０２２７】
（例えば、直交視標が、直交視標による視野輪郭抽出時における被験者視野の視標視覚認識不可能領域３ｂ内に入り視覚認識不可能になってから、すなわち視標視覚認識に変化を生じてから、それに対して（第四指示をやめる）応答がなされるまでに遅れが生じたような場合には、視野輪郭を正確に特定するために）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられた時には、ＣＰＵ５０１は、直交視標の走査方向を第五方向（本発明実施の形態では、例えば下方向）にし、且つ直交視標の走査速度を第五速度にする直交視標第五表示制御を、直交視標表示位置ＶＲ１９４から行う。
【０２２８】
例えば、直交視標が直交視標表示位置ＶＲ１９２に至った時に、
（例えば、直交視標（の下側の一部分）が、直交視標による視野輪郭抽出時における被験者視野の視標視覚認識不可能領域３ｂの外に出、視覚認識可能になっており、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定しようとする観点からは、直交視標を下方向へ戻しすぎたと言うことであるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられなくなった場合には、ＣＰＵ５０１は、（直交視標の走査方向を第五方向（本発明実施の形態では、例えば下方向）にし、且つ直交視標の走査速度を第五速度にする）直交視標第五表示制御をやめ、直交視標を直交視標表示位置ＶＲ１９２で静的に表示する。
【０２２９】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合、視野輪郭を正確に特定するために）
視野輪郭抽出画面１における直交視標の走査方向を第四方向（本発明実施の形態では、例えば上方向）に設定し、且つ該直交視標の走査速度を第四速度以下の所定の第六速度に設定するためになされる第六指示（より具体的には、キーボード３０３の、例えばカーソルキー上（上方向矢印キー）が押されることによりなされる入力）が、入力装置（より具体的には、キーボード３０３の、例えばカーソルキー上（上方向矢印キー））を経て受け付けられた時には、ＣＰＵ５０１は、直交視標の走査方向を第四方向（本発明実施の形態では、例えば上方向）にし、且つ直交視標の走査速度を第六速度にする直交視標第六表示制御を、直交視標表示位置ＶＲ１９２から行う。
【０２３０】
例えば、直交視標が直交視標表示位置ＶＲ１９３に至った時に、
（例えば、直交視標表示位置ＶＲ１９２から直交視標表示位置ＶＲ１９３に至る走査に際しては、第六指示による第四速度以下の第六速度が適用されており、
直交視標が、直交視標による視野輪郭抽出時における被験者視野の視標視覚認識不可能領域３ｂ内に入り視覚認識不可能になってから、すなわち視標視覚認識に変化を生じてから、ほとんど遅れを生じることなく、それに対する（第六指示をやめる）応答がなされ得るため、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定する観点から、直交視標表示位置ＶＲ１９３は、視野輪郭位置として確定されるにふさわしい直交視標表示位置であるため）
視野輪郭抽出画面１における直交視標の走査方向を第四方向（本発明実施の形態では、例えば上方向）に設定し、且つ該直交視標の走査速度を第四速度以下の所定の第六速度に設定するためになされる第六指示（より具体的には、キーボード３０３の、例えばカーソルキー上（上方向矢印キー）が押されることによりなされる入力）が、入力装置（より具体的には、キーボード３０３の、例えばカーソルキー上（上方向矢印キー））を経て受け付けられなくなった場合には、ＣＰＵ５０１は、（直交視標の走査方向を第四方向（本発明実施の形態では、例えば上方向）にし、且つ直交視標の走査速度を第六速度にする）直交視標第六表示制御をやめ、直交視標を直交視標表示位置ＶＲ１９３で静的に表示する。
【０２３１】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合には、直交視標表示位置ＶＲ１９３は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
直交視標表示位置ＶＲ１９３に基づき、視野輪郭記録画面４に、視野輪郭位置１９３ｖを記録する。
【０２３２】
その後、例えば、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を、直交視標表示位置ＶＲ１９３から行う。
【０２３３】
（例えば、直交視標が、直交視標による視野輪郭抽出時における被験者視野の視標視覚認識不可能領域３ｂの外に出、視覚認識可能になったために、すなわち視標視覚認識に変化を生じたために）視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（直交視標の走査方向を第四方向（本発明実施の形態では、例えば上方向）にし、且つ直交視標の走査速度を第四速度にする）直交視標第四表示制御をやめ、直交視標を直交視標表示位置ＶＲ１９６で静的に表示する。
【０２３４】
例えば、直交視標が直交視標表示位置ＶＲ１９６に至った時に、
（例えば、直交視標（の上側）が、直交視標による視野輪郭抽出時における被験者視野の視標視覚認識不可能領域３ｂの外に出、視覚認識可能になっており、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定しようとする観点からは、直交視標を上方向へ走査させすぎたと言うことであるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられた時には、ＣＰＵ５０１は、直交視標の走査方向を第五方向（本発明実施の形態では、例えば下方向）にし、且つ直交視標の走査速度を第五速度にする直交視標第五表示制御を、直交視標表示位置ＶＲ１９６から行う。
【０２３５】
例えば、直交視標が直交視標表示位置ＶＲ１９５に至った時に、
（例えば、直交視標表示位置ＶＲ１９６から直交視標表示位置ＶＲ１９５に至る走査に際しては、第五指示による第四速度以下の第五速度が適用されており、
直交視標が、直交視標による視野輪郭抽出時における被験者視野の視標視覚認識不可能領域３ｂ内に入り視覚認識不可能になってから、すなわち視標視覚認識に変化を生じてから、ほとんど遅れを生じることなく、それに対する（第五指示をやめる）応答がなされ得るため、
例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合において、視野輪郭を正確に特定する観点から、直交視標表示位置ＶＲ１９５は、視野輪郭位置として確定されるにふさわしい直交視標表示位置であるため）
視野輪郭抽出画面１における直交視標の走査方向を第四方向（本発明実施の形態では、例えば上方向）とは逆方向である第五方向（本発明実施の形態では、例えば下方向）に設定し、且つ該直交視標の走査速度を第四速度以下の所定の第五速度に設定するためになされる第五指示（より具体的には、キーボード３０３の、例えばカーソルキー下（下方向矢印キー）が押されることによりなされる入力）が、入力装置（より具体的には、キーボード３０３の、例えばカーソルキー下（下方向矢印キー））を経て受け付けられなくなった場合には、ＣＰＵ５０１は、（直交視標の走査方向を第五方向（本発明実施の形態では、例えば下方向）にし、且つ直交視標の走査速度を第五速度にする）直交視標第五表示制御をやめ、直交視標を直交視標表示位置ＶＲ１９５で静的に表示する。
【０２３６】
（例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合には、直交視標表示位置ＶＲ１９５は視野輪郭としての抽出対象であるため）
視野輪郭を構成する視標視覚認識変化点の位置を確定するためになされる視野輪郭位置確定指示（より具体的には、キーボード３０３の、例えばスペースキーが押されることによりなされる入力）が、入力装置（より具体的には、キーボード３０３の、例えばスペースキー）を経て受け付けられた時には、ＣＰＵ５０１は、
直交視標表示位置ＶＲ１９５に基づき、視野輪郭記録画面４に、視野輪郭位置１９５ｖを記録する。
【０２３７】
その後、例えば、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を、直交視標表示位置ＶＲ１９５から行う。
【０２３８】
直交視標が、例えば、直交視標走査線ＶＲ１９上の、視野輪郭抽出画面１上端である位置ＶＲＥ１９６を超えると、ＣＰＵ５０１は、走査線換えを行い、直交視標走査線ＶＲ２０に対して直交視標表示位置ＶＲ２０１から視野輪郭抽出のための直交視標による走査を続行する。
その際、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を行う。
【０２３９】
例えば、直交視標が直交視標表示位置ＶＲ２０２に至った時に、視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられなくなった場合には、ＣＰＵ５０１は、（直交視標の走査方向を第四方向（本発明実施の形態では、例えば上方向）にし、且つ直交視標の走査速度を第四速度にする）直交視標第四表示制御をやめ、直交視標を直交視標表示位置ＶＲ２０２で静的に表示する。
【０２４０】
しかし、例えば視野輪郭を、（視標視覚認識変化点の中でも）直交視標が（直交視標による視野輪郭抽出時における被験者視野の視標視覚認識不可能領域３ｂ内に位置しているために）全く視覚認識できなくなるような直交視標表示位置（視標視覚認識変化点）により抽出するとあらかじめ決めている場合には、直交視標表示位置ＶＲ２０２は直交視標が全く視覚認識できなくなる直交視標表示位置（視標視覚認識変化点）ではないため視野輪郭としての抽出対象とはならず、
視野輪郭抽出画面１における直交視標の走査方向を所定の第四方向（本発明実施の形態では、例えば上方向）に設定し、且つ該直交視標の走査速度を所定の第四速度に設定するためになされる第四指示（より具体的には、キーボード３０３の、例えばＥｎｔｅｒキーが押されることによりなされる入力）が、入力装置（より具体的には、キーボード３０３の、例えばＥｎｔｅｒキー）を経て受け付けられている間は、ＣＰＵ５０１は、直交視標の走査方向を第四方向（本発明実施の形態では、例えば上方向）にし、且つ直交視標の走査速度を第四速度にする直交視標第四表示制御を、直交視標表示位置ＶＲ２０２から行う。
【０２４１】
視野輪郭抽出装置において、
第一指示受付手段、第二指示受付手段、第三指示受付手段、に代えて、走査速度可変指示受付手段を備え、
視標第一表示制御手段、視標第二表示制御手段、視標第三表示制御手段、に代えて、走査速度可変手段を備え、
第四指示受付手段、第五指示受付手段、第六指示受付手段、に代えて、直交走査速度可変指示受付手段を備え、
直交視標第四表示制御手段、直交視標第五表示制御手段、直交視標第六表示制御手段、に代えて、直交走査速度可変手段を備える
場合について説明する。
【０２４２】
走査速度可変指示受付手段は、
視標の走査速度を可変させて設定するためになされる指示を入力装置（例えば、走査速度調節つまみ３０８等であるが、キーボード３０３やマウス３０６により代替されるように構成及び設定するとしてもよい）を経て受け付け、
走査速度可変手段は、
走査速度可変指示受付手段により走査速度可変の指示が受け付けられると、
視標の走査速度を可変させて設定する。
（例えば、走査速度調節つまみ３０８が回されると、その回転操作角度に応じて、ＣＰＵ５０１により、視標の走査速度が可変されて設定される。）
【０２４３】
直交走査速度可変指示受付手段は、
直交視標の走査速度を可変させて設定するためになされる指示を入力装置（例えば、走査速度調節つまみ３０８等であるが、キーボード３０３やマウス３０６により代替されるように構成及び設定するとしてもよい）を経て受け付け、
直交走査速度可変手段は、
直交走査速度可変指示受付手段により直交走査速度可変の指示が受け付けられると、
直交視標の走査速度を可変させて設定する。
（例えば、走査速度調節つまみ３０８が回されると、その回転操作角度に応じて、ＣＰＵ５０１により、直交視標の走査速度が可変されて設定される。）
【０２４４】
柔軟に走査速度を可変にするためになされる指示が、入力装置（例えば、走査速度調節つまみ３０８、あるいはキーボード３０３、マウス３０６等）を経て、受け付けられることができるように構成及び設定した本発明、視野輪郭抽出装置により、上述のような視野輪郭抽出処理を行うようにするとしてもよい。
すなわち、そのような構成及び設定における視野輪郭抽出装置は、視標を視標走査線に沿って一方向に対してだけでなくその逆方向に対しても、柔軟に走査速度を可変させながら自由に走査させ得るための指示を入力装置（例えば、走査速度調節つまみ３０８、あるいはキーボード３０３、マウス３０６等）を経て受け付けることができ、そのような指示に応じてＣＰＵ５０１が視野輪郭抽出画面１において視標を視標走査線に沿って一方向に対してだけでなくその逆方向に対しても、柔軟に走査速度を可変させながら自由に走査させる表示制御を行うことができ、従って、視標の表示位置は、視標走査線に沿って（例えば左右いずれの方向であるかを問わずに）柔軟に位置調整されることが可能になり、そのような視野輪郭抽出装置においては、視標視覚認識に変化の無い視野領域に対する走査については、入力装置（例えば、走査速度調節つまみ３０８、あるいはキーボード３０３、マウス３０６等）を経て、走査速度が柔軟に可変され得るように操作され得ることにより、例えば高速度に走査が済まされるように操作されることができ、視標視覚認識変化点近傍、視野輪郭近傍等では、走査速度が柔軟に可変され得ることにより、例えば低速度に、視標をわずかの距離例えば左右に走査させたりする等と言った視標表示位置微調整の操作がなされつつ、視標視覚認識変化点、視野輪郭位置が高精度に探索及び確認されるように操作されることができ、そのようにして探索された視野輪郭は、例えば、位置確定ボタン（キーボード３０３等により代替可能である）等が押されることにより、視野輪郭として位置確定され、視野輪郭記録画面４に記録されることができる。
【０２４５】
柔軟に走査速度を可変にするためになされる指示が、入力装置（例えば、走査速度調節つまみ３０８、あるいはキーボード３０３、マウス３０６等）を経て、受け付けられることができるように構成及び設定した本発明、視野輪郭抽出装置により、上述のような視野輪郭抽出処理を行うようにするとしてもよい。
すなわち、そのような構成及び設定における視野輪郭抽出装置は、直交視標を直交視標走査線に沿って一方向に対してだけでなくその逆方向に対しても、柔軟に走査速度を可変させながら自由に走査させ得るための指示を入力装置（例えば、走査速度調節つまみ３０８、あるいはキーボード３０３、マウス３０６等）を経て受け付けることができ、そのような指示に応じてＣＰＵ５０１が視野輪郭抽出画面１において直交視標を直交視標走査線に沿って一方向に対してだけでなくその逆方向に対しても、柔軟に走査速度を可変させながら自由に走査させる表示制御を行うことができ、従って、直交視標の表示位置は、直交視標走査線に沿って（例えば上下いずれの方向であるかを問わずに）柔軟に位置調整されることが可能になり、そのような視野輪郭抽出装置においては、視標視覚認識に変化の無い視野領域に対する走査については、入力装置（例えば、走査速度調節つまみ３０８、あるいはキーボード３０３、マウス３０６等）を経て、走査速度が柔軟に可変され得るように操作され得ることにより、例えば高速度に走査が済まされるように操作されることができ、視標視覚認識変化点近傍、視野輪郭近傍等では、走査速度が柔軟に可変され得ることにより、例えば低速度に、直交視標をわずかの距離例えば上下に走査させたりする等と言った直交視標表示位置微調整の操作がなされつつ、視標視覚認識変化点、視野輪郭位置が高精度に探索及び確認されるように操作されることができ、そのようにして探索された視野輪郭は、例えば、位置確定ボタン（キーボード３０３等により代替可能である）等が押されることにより、視野輪郭として位置確定され、視野輪郭記録画面４に記録されることができる。
【０２４６】
（走査速度調節つまみ３０８は入出力インターフェースを経てバス５０５に接続され、走査速度調節つまみ３０８からの入力をＣＰＵ５０１に出力することができる。）
（例えば、走査速度調節つまみ３０８からの回転操作角度等に関する情報がＣＰＵ５０１に供給される。）
（位置確定ボタン３０９は入出力インターフェースを経てバス５０５に接続され、位置確定ボタン３０９からの入力をＣＰＵ５０１に出力することができる。）
（例えば、位置確定ボタン３０９からの視野輪郭位置確定指示がなされた瞬間に関する情報がＣＰＵ５０１に供給される。）
【０２４７】
（必要であれば、例えば、ＣＰＵ５０１は、走査動作中に、走査速度調節つまみ３０８が、走査速度増大方向又は走査速度低下方向に回されたか否かを判断し、走査速度調節つまみ３０８が走査速度増大方向に回されていれば（例としては、視標視覚認識が不変である視野領域に対して冗長な走査が続いている場合等）、その回転操作角度に応じて（線形に応じるように設定するとしても、非線形に応じるように設定するとしてもよい）走査速度を所定レベル高速度に設定し、また走査速度調節つまみ３０８が、走査速度低下方向に回されていれば（例としては、視標視覚認識が変化する位置近傍に対して走査が行われている場合等）、その回転操作角度に応じて（線形に応じるように設定するとしても、非線形に応じるように設定するとしてもよい）走査速度を所定レベル低速度に設定するようにしてもよい。）
【０２４８】
（走査速度調節つまみ３０８からの入力に応じて、ＣＰＵ５０１が、走査速度を、正の速度の範囲内においてのみではなく、負の速度（ＣＰＵ５０１が、視標を視標走査線に沿って一方向に走査させることを正の速度による走査と呼んだ場合、ＣＰＵ５０１が、その視標走査線に沿って逆方向に視標を走査させることを負の速度による走査と呼ぶことにする）の範囲内においても変速させ得るように構成及び設定するとしてもよい。また、走査速度調節つまみ３０８から、正の速度の範囲と負の速度の範囲の間における走査速度に関する入力がなされた場合には、ＣＰＵ５０１が、視標を静的に表示制御することを可能にするように構成及び設定するようにしてもよい。）
【０２４９】
（走査速度調節つまみ３０８により、ＣＰＵ５０１による走査が連続的に変速されるように構成及び設定してもよいし、走査速度調節つまみ３０８により、ＣＰＵ５０１による走査が不連続的に変速されるように構成及び設定してもよい。）
【０２５０】
直交視標による視野輪郭抽出時における被験者視野の視標視覚認識不可能領域３ｂは、直交視標による視野輪郭抽出時における被験者視野の視標視覚認識不可能領域の一例であり、視野輪郭抽出画面１における位置表現を正確に行う際の参考として図示したものである。
【０２５１】
ここで、本発明、視野輪郭抽出装置を実現させるプログラムに従い、ＣＰＵ５０１が行う視野輪郭抽出処理、及び視野輪郭記録処理について図７及び図８、図９〜図１２を参照して詳細に説明する。
【０２５２】
まず、本発明、視野輪郭抽出装置を実現させるプログラムに従い、ＣＰＵ５０１が行う視野輪郭抽出処理、及び視野輪郭記録処理について図７及び図８を参照して詳細に説明する。
【０２５３】
図７及び図８は、図１４に示したコンピュータにより実行される視野輪郭抽出装置における視野輪郭抽出処理、及び視野輪郭記録処理の一例を表す流れ図である。
【０２５４】
視野輪郭抽出処理、及び視野輪郭記録処理のステップＳ１では、ＣＰＵ５０１が、視野輪郭抽出画面１である（例えば）ウィンドウID２を出力装置（例えばディスプレイ３０４）に生成する。
ＣＰＵ５０１は、その大きさを、例えば、ｘ座標方向の幅、８００ドットに、ｙ座標方向の高さ、６００ドットに設定する。
以下、視野輪郭抽出画面１に対する説明では、視野輪郭抽出画面１の左上端の位置をｘ座標、０ドット、ｙ座標、０ドットの位置であるとし、ｘ座標軸は、視野輪郭抽出画面１の左上端から右方向に、また、ｙ座標軸は、視野輪郭抽出画面１の左上端から下方向に生成されるものとして、位置の説明を行う。
【０２５５】
ステップＳ２では、ＣＰＵ５０１が、視野輪郭記録画面４である（例えば）ウィンドウID１５を出力装置（例えばディスプレイ３０４）に生成する。
ＣＰＵ５０１は、その大きさを、例えば、ｘ座標方向の幅、８００ドットに、ｙ座標方向の高さ、６００ドットに設定する。
以下、視野輪郭記録画面４に対する説明では、視野輪郭記録画面４の左上端の位置をｘ座標、０ドット、ｙ座標、０ドットの位置であるとし、ｘ座標軸は、視野輪郭記録画面４の左上端から右方向に、また、ｙ座標軸は、視野輪郭記録画面４の左上端から下方向に生成されるものとして、位置の説明を行う。
【０２５６】
ステップＳ３では、ＣＰＵ５０１が、変数ycoordinateの値を１５に初期化する。
ステップＳ３では、ＣＰＵ５０１が、変数xcoordinateの値を０に初期化する。
（視標走査線設定手段の一環である。）
（視標表示制御手段の一環である。）
【０２５７】
ステップＳ４では、ＣＰＵ５０１が、グラフィック操作先を視野輪郭抽出画面１にする
【０２５８】
ステップＳ５では、ＣＰＵ５０１が、視野輪郭抽出画面１の背景色を設定する。
該背景色により視野輪郭抽出画面１を塗りつぶす。
（視標表示制御手段の一環である。）
【０２５９】
ステップＳ６では、ＣＰＵ５０１が、固視標色、固視標の大きさ、及び固視標の形、の設定を行い、視野輪郭抽出画面１において、例えば、ｘ座標が４００ドット、ｙ座標が２５０ドットの位置に、固視標２を表示する。
【０２６０】
ステップＳ７では、ＣＰＵ５０１が、（視標色、視標の大きさ、視標の形、の設定を行い、）視野輪郭抽出画面１におけるｘ座標がxcoordinate、ｙ座標がycoordinateである位置（ドット単位）に、視標を表示する。
ＣＰＵ５０１は、該位置を記憶装置（例えば、ＲＡＭ５０２やＨＤＤ５０４等）に記憶する。
（視標表示制御手段の一環である。）
（視標表示位置記憶手段の一環である。）
【０２６１】
ステップＳ８では、ＣＰＵ５０１が、キー入力情報を取得する。
【０２６２】
ステップＳ９では、スペースキーが押された瞬間が受け付けられた？に関する判断がＣＰＵ５０１により行われる。
（スペースキーは、視野輪郭位置確定指示を受け付ける入力装置の、本発明実施形態における一例である。）
スペースキーが押された瞬間が受け付けられたとの判断が、ＣＰＵ５０１により行われなかった場合には、ＣＰＵ５０１は、ステップＳ１３の処理に移行する。
【０２６３】
ステップＳ９において、ＣＰＵ５０１が、スペースキーが押された瞬間が受け付けられたとの判断を行った場合には、ＣＰＵ５０１は、ステップＳ１０の処理を行う。
【０２６４】
ステップＳ１０では、ＣＰＵ５０１が、グラフィック操作先を視野輪郭記録画面４に変更する。
【０２６５】
ステップＳ１１では、ＣＰＵ５０１が、ステップＳ７において記憶装置（例えば、ＲＡＭ５０２やＨＤＤ５０４等）に記憶された位置、すなわち視野輪郭抽出画面１におけるｘ座標がxcoordinate、ｙ座標がycoordinateである位置（ドット単位）、を読み出し、該位置に相当する視野輪郭記録画面４における位置に、視野輪郭位置を表す印を記録する。
（視野輪郭位置記録手段の一環である。）
【０２６６】
ステップＳ１２では、ＣＰＵ５０１が、グラフィック操作先を視野輪郭抽出画面１に変更する。
【０２６７】
ステップＳ１３では、Ｅｎｔｅｒキーが押されたことが受け付けられた？に関する判断がＣＰＵ５０１により行われる。
（Ｅｎｔｅｒキーは、第一指示を受け付ける入力装置の、本発明実施形態における一例である。）
Ｅｎｔｅｒキーが押されたことが受け付けられたとの判断が、ＣＰＵ５０１により行われなかった場合には、ＣＰＵ５０１は、ステップＳ１５の処理に移行する。
【０２６８】
ステップＳ１３において、ＣＰＵ５０１が、Ｅｎｔｅｒキーが押されたことが受け付けられたとの判断を行った場合には、ＣＰＵ５０１は、ステップＳ１４の処理を行う。
【０２６９】
ステップＳ１４では、ＣＰＵ５０１が、記憶装置（例えば、ＲＡＭ５０２やＨＤＤ５０４等）から変数xcoordinateの値を読み出し、ＣＰＵ５０１が演算装置により、（本発明実施形態においては、例えば）xcoordinate+6の演算を行い、その結果を変数xcoordinateに代入し、記憶装置（例えば、ＲＡＭ５０２やＨＤＤ５０４等）に記憶する。
（視標第一表示制御手段の一環である。）
【０２７０】
ステップＳ１５では、カーソルキー左が押された瞬間が受け付けられた？に関する判断がＣＰＵ５０１により行われる。
（カーソルキー左は、第二指示を受け付ける入力装置の、本発明実施形態における一例である。）
カーソルキー左が押された瞬間が受け付けられたとの判断が、ＣＰＵ５０１により行われなかった場合には、ＣＰＵ５０１は、ステップＳ１７の処理に移行する。
【０２７１】
ステップＳ１５において、ＣＰＵ５０１が、カーソルキー左が押された瞬間が受け付けられたとの判断を行った場合には、ＣＰＵ５０１は、ステップＳ１６の処理を行う。
【０２７２】
ステップＳ１６では、ＣＰＵ５０１が、記憶装置（例えば、ＲＡＭ５０２やＨＤＤ５０４等）から変数xcoordinateの値を読み出し、ＣＰＵ５０１が演算装置により、（本発明実施形態においては、例えば）xcoordinate-5の演算を行い、その結果を変数xcoordinateに代入し、記憶装置（例えば、ＲＡＭ５０２やＨＤＤ５０４等）に記憶する。
（視標第二表示制御手段の一環である。）
【０２７３】
ステップＳ１７では、カーソルキー右が押された瞬間が受け付けられた？に関する判断がＣＰＵ５０１により行われる。
（カーソルキー右は、第三指示を受け付ける入力装置の、本発明実施形態における一例である。）
カーソルキー右が押された瞬間が受け付けられたとの判断が、ＣＰＵ５０１により行われなかった場合には、ＣＰＵ５０１は、ステップＳ１９の処理に移行する。
【０２７４】
ステップＳ１７において、ＣＰＵ５０１が、カーソルキー右が押された瞬間が受け付けられたとの判断を行った場合には、ＣＰＵ５０１は、ステップＳ１８の処理を行う。
【０２７５】
ステップＳ１８では、ＣＰＵ５０１が、記憶装置（例えば、ＲＡＭ５０２やＨＤＤ５０４等）から変数xcoordinateの値を読み出し、ＣＰＵ５０１が演算装置により、（本発明実施形態においては、例えば）xcoordinate+5の演算を行い、その結果を変数xcoordinateに代入し、記憶装置（例えば、ＲＡＭ５０２やＨＤＤ５０４等）に記憶する。
（視標第三表示制御手段の一環である。）
【０２７６】
ステップＳ１９では、記憶装置（例えば、ＲＡＭ５０２やＨＤＤ５０４等）に記憶された変数xcoordinateの値をＣＰＵ５０１が読み出し、演算装置によりxcoordinate>800？に関する判断を、ＣＰＵ５０１が行う。
ステップＳ１９において、ＣＰＵ５０１が、xcoordinate>800でないと判断した場合には、ＣＰＵ５０１は、ステップＳ２１へ移行して処理を続ける。
【０２７７】
ステップＳ１９において、ＣＰＵ５０１が、xcoordinate>800であると判断した場合には、ＣＰＵ５０１はステップＳ２０の処理を行う。
（走査続行手段の一環である。）
【０２７８】
ステップＳ２０では、ＣＰＵ５０１が、記憶装置（例えば、ＲＡＭ５０２やＨＤＤ５０４等）から変数ycoordinateの値を読み出し、ＣＰＵ５０１が演算装置により、ycoordinate+15の演算を行い、その結果を変数ycoordinateに代入し、記憶装置（例えば、ＲＡＭ５０２やＨＤＤ５０４等）に記憶する。
ステップＳ２０では、ＣＰＵ５０１が、変数xcoordinateの値を０に更新し、記憶装置（例えば、ＲＡＭ５０２やＨＤＤ５０４等）に記憶する。
（走査続行手段の一環である。）
（視標走査線設定手段の一環である。）
【０２７９】
ステップＳ２１では、記憶装置（例えば、ＲＡＭ５０２やＨＤＤ５０４等）に記憶された変数xcoordinateの値をＣＰＵ５０１が読み出し、演算装置によりxcoordinate<0？に関する判断を、ＣＰＵ５０１が行う。
ステップＳ２１において、ＣＰＵ５０１が、xcoordinate<0でないと判断した場合には、ＣＰＵ５０１は、ステップＳ２３へ移行して処理を続ける。
【０２８０】
ステップＳ２１において、ＣＰＵ５０１が、xcoordinate<0であると判断した場合には、ＣＰＵ５０１はステップＳ２２の処理を行う。
【０２８１】
ステップＳ２２では、ＣＰＵ５０１が、記憶装置（例えば、ＲＡＭ５０２やＨＤＤ５０４等）から変数ycoordinateの値を読み出し、ＣＰＵ５０１が演算装置により、ycoordinate-15の演算を行い、その結果を変数ycoordinateに代入し、記憶装置（例えば、ＲＡＭ５０２やＨＤＤ５０４等）に記憶する。
ステップＳ２０では、ＣＰＵ５０１が、変数xcoordinateの値を800に更新し、記憶装置（例えば、ＲＡＭ５０２やＨＤＤ５０４等）に記憶する。
【０２８２】
ステップＳ２３では、ＣＰＵ５０１がプログラム処理上、2ミリ秒待つ。
その後、ＣＰＵ５０１は、ステップＳ４に戻って処理を続ける。
【０２８３】
次に、本発明、視野輪郭抽出装置を実現させるプログラムに従い、ＣＰＵ５０１が行う視野輪郭抽出処理、及び視野輪郭記録処理について図９〜図１２を参照して詳細に説明する。
【０２８４】
図９〜図１２は、図１４に示したコンピュータにより実行される視野輪郭抽出装置における視野輪郭抽出処理、及び視野輪郭記録処理の一例を表す流れ図である。
【０２８５】
視野輪郭抽出処理、及び視野輪郭記録処理のステップＳ２０１では、ＣＰＵ５０１が、視野輪郭抽出画面１である（例えば）ウィンドウID２を出力装置（例えばディスプレイ３０４）に生成する。
ＣＰＵ５０１は、その大きさを、例えば、ｘ座標方向の幅、８００ドットに、ｙ座標方向の高さ、６００ドットに設定する。
以下、視野輪郭抽出画面１に対する説明では、視野輪郭抽出画面１の左上端の位置をｘ座標、０ドット、ｙ座標、０ドットの位置であるとし、ｘ座標軸は、視野輪郭抽出画面１の左上端から右方向に、また、ｙ座標軸は、視野輪郭抽出画面１の左上端から下方向に生成されるものとして、位置の説明を行う。
【０２８６】
ステップＳ２０２では、ＣＰＵ５０１が、視野輪郭記録画面４である（例えば）ウィンドウID１５を出力装置（例えばディスプレイ３０４）に生成する。
ＣＰＵ５０１は、その大きさを、例えば、ｘ座標方向の幅、８００ドットに、ｙ座標方向の高さ、６００ドットに設定する。
以下、視野輪郭記録画面４に対する説明では、視野輪郭記録画面４の左上端の位置をｘ座標、０ドット、ｙ座標、０ドットの位置であるとし、ｘ座標軸は、視野輪郭記録画面４の左上端から右方向に、また、ｙ座標軸は、視野輪郭記録画面４の左上端から下方向に生成されるものとして、位置の説明を行う。
【０２８７】
ステップＳ２０３では、ＣＰＵ５０１が、変数coun22の値を０に初期化する。
【０２８８】
ステップＳ２０４では、ＣＰＵ５０１が、変数xcoordinateの値を０に初期化する。
ステップＳ２０４では、ＣＰＵ５０１が、変数ycoordinateの値を１５に初期化する。
（視標走査線設定手段の一環である。）
（視標表示制御手段の一環である。）
【０２８９】
ステップＳ２０５では、ＣＰＵ５０１が、グラフィック操作先を視野輪郭抽出画面１にする
【０２９０】
ステップＳ２０６では、ＣＰＵ５０１が、視野輪郭抽出画面１の背景色を設定する。
該背景色により視野輪郭抽出画面１を塗りつぶす。
（視標表示制御手段の一環である。）
【０２９１】
ステップＳ２０７では、ＣＰＵ５０１が、固視標色、固視標の大きさ、及び固視標の形、の設定を行い、視野輪郭抽出画面１において、例えば、ｘ座標が４００ドット、ｙ座標が２５０ドットの位置に、固視標２を表示する。
【０２９２】
ステップＳ２０８では、ＣＰＵ５０１が、（視標色、視標の大きさ、視標の形、の設定を行い、）視野輪郭抽出画面１におけるｘ座標がxcoordinate、ｙ座標がycoordinateである位置（ドット単位）に、視標を表示する。
ＣＰＵ５０１は、該位置を記憶装置（例えば、ＲＡＭ５０２やＨＤＤ５０４等）に記憶する。
（視標表示制御手段の一環である。）
（視標表示位置記憶手段の一環である。）
（直交視標表示制御手段の一環である。）
（直交視標表示位置記憶手段の一環である。）
【０２９３】
ステップＳ２０９では、ＣＰＵ５０１が、キー入力情報を取得する。
【０２９４】
ステップＳ２１０では、スペースキーが押された瞬間が受け付けられた？に関する判断がＣＰＵ５０１により行われる。
（スペースキーは、視野輪郭位置確定指示を受け付ける入力装置の、本発明実施形態における一例である。）
スペースキーが押された瞬間が受け付けられたとの判断が、ＣＰＵ５０１により行われなかった場合には、ＣＰＵ５０１は、ステップＳ２１４の処理に移行する。
【０２９５】
ステップＳ２１０において、ＣＰＵ５０１が、スペースキーが押された瞬間が受け付けられたとの判断を行った場合には、ＣＰＵ５０１は、ステップＳ２１１の処理を行う。
【０２９６】
ステップＳ２１１では、ＣＰＵ５０１が、グラフィック操作先を視野輪郭記録画面４に変更する。
【０２９７】
ステップＳ２１２では、ＣＰＵ５０１が、ステップＳ２０８において記憶装置（例えば、ＲＡＭ５０２やＨＤＤ５０４等）に記憶された位置、すなわち視野輪郭抽出画面１におけるｘ座標がxcoordinate、ｙ座標がycoordinateである位置（ドット単位）、を読み出し、該位置に相当する視野輪郭記録画面４における位置に、視野輪郭位置を表す印を記録する。
（視野輪郭位置記録手段の一環である。）
（直交視標視野輪郭位置記録手段の一環である。）
【０２９８】
ステップＳ２１３では、ＣＰＵ５０１が、グラフィック操作先を視野輪郭抽出画面１に変更する。
【０２９９】
ステップＳ２１４では、（記憶装置（例えば、ＲＡＭ５０２やＨＤＤ５０４等）に記憶された変数coun22の値をＣＰＵ５０１が読み出し、）coun22=0であり、且つＥｎｔｅｒキーが押されたことが受け付けられた？に関する判断がＣＰＵ５０１により行われる。
（coun22=0である場合におけるＥｎｔｅｒキーは、第一指示を受け付ける入力装置の、本発明実施形態における一例である。）
coun22=0であり、且つＥｎｔｅｒキーが押されたことが受け付けられたとの判断が、ＣＰＵ５０１により行われなかった場合には、ＣＰＵ５０１は、ステップＳ２１６の処理に移行する。
【０３００】
ステップＳ２１４において、ＣＰＵ５０１が、coun22=0であり、且つＥｎｔｅｒキーが押されたことが受け付けられたとの判断を行った場合には、ＣＰＵ５０１は、ステップＳ２１５の処理を行う。
【０３０１】
ステップＳ２１５では、ＣＰＵ５０１が、記憶装置（例えば、ＲＡＭ５０２やＨＤＤ５０４等）から変数xcoordinateの値を読み出し、ＣＰＵ５０１が演算装置により、（本発明実施形態においては、例えば）xcoordinate+6の演算を行い、その結果を変数xcoordinateに代入し、記憶装置（例えば、ＲＡＭ５０２やＨＤＤ５０４等）に記憶する。
（視標第一表示制御手段の一環である。）
（視標走査線設定手段の一環である。）
【０３０２】
ステップＳ２１６では、（記憶装置（例えば、ＲＡＭ５０２やＨＤＤ５０４等）に記憶された変数coun22の値をＣＰＵ５０１が読み出し、）coun22=1であり、且つＥｎｔｅｒキーが押されたことが受け付けられた？に関する判断がＣＰＵ５０１により行われる。
（coun22=1である場合におけるＥｎｔｅｒキーは、第四指示を受け付ける入力装置の、本発明実施形態における一例である。）
coun22=1であり、且つＥｎｔｅｒキーが押されたことが受け付けられたとの判断が、ＣＰＵ５０１により行われなかった場合には、ＣＰＵ５０１は、ステップＳ２１８の処理に移行する。
【０３０３】
ステップＳ２１６において、ＣＰＵ５０１が、coun22=1であり、且つＥｎｔｅｒキーが押されたことが受け付けられたとの判断を行った場合には、ＣＰＵ５０１は、ステップＳ２１７の処理を行う。
【０３０４】
ステップＳ２１７では、ＣＰＵ５０１が、記憶装置（例えば、ＲＡＭ５０２やＨＤＤ５０４等）から変数ycoordinateの値を読み出し、ＣＰＵ５０１が演算装置により、（本発明実施形態においては、例えば）ycoordinate-6の演算を行い、その結果を変数ycoordinateに代入し、記憶装置（例えば、ＲＡＭ５０２やＨＤＤ５０４等）に記憶する。
（直交視標第四表示制御手段の一環である。）
（直交視標走査線設定手段の一環である。）
【０３０５】
ステップＳ２１８では、（記憶装置（例えば、ＲＡＭ５０２やＨＤＤ５０４等）に記憶された変数coun22の値をＣＰＵ５０１が読み出し、）coun22=0であり、且つカーソルキー左が押された瞬間が受け付けられた？に関する判断がＣＰＵ５０１により行われる。
（coun22=0である場合におけるカーソルキー左は、第二指示を受け付ける入力装置の、本発明実施形態における一例である。）
coun22=0であり、且つカーソルキー左が押された瞬間が受け付けられたとの判断が、ＣＰＵ５０１により行われなかった場合には、ＣＰＵ５０１は、ステップＳ２２０の処理に移行する。
【０３０６】
ステップＳ２１８において、ＣＰＵ５０１が、coun22=0であり、且つカーソルキー左が押された瞬間が受け付けられたとの判断を行った場合には、ＣＰＵ５０１は、ステップＳ２１９の処理を行う。
【０３０７】
ステップＳ２１９では、ＣＰＵ５０１が、記憶装置（例えば、ＲＡＭ５０２やＨＤＤ５０４等）から変数xcoordinateの値を読み出し、ＣＰＵ５０１が演算装置により、（本発明実施形態においては、例えば）xcoordinate-5の演算を行い、その結果を変数xcoordinateに代入し、記憶装置（例えば、ＲＡＭ５０２やＨＤＤ５０４等）に記憶する。
（視標第二表示制御手段の一環である。）
（視標走査線設定手段の一環である。）
【０３０８】
ステップＳ２２０では、（記憶装置（例えば、ＲＡＭ５０２やＨＤＤ５０４等）に記憶された変数coun22の値をＣＰＵ５０１が読み出し、）coun22=0であり、且つカーソルキー右が押された瞬間が受け付けられた？に関する判断がＣＰＵ５０１により行われる。
（coun22=0である場合におけるカーソルキー右は、第三指示を受け付ける入力装置の、本発明実施形態における一例である。）
coun22=0であり、且つカーソルキー右が押された瞬間が受け付けられたとの判断が、ＣＰＵ５０１により行われなかった場合には、ＣＰＵ５０１は、ステップＳ２２２の処理に移行する。
【０３０９】
ステップＳ２２０において、ＣＰＵ５０１が、coun22=0であり、且つカーソルキー右が押された瞬間が受け付けられたとの判断を行った場合には、ＣＰＵ５０１は、ステップＳ２２１の処理を行う。
【０３１０】
ステップＳ２２１では、ＣＰＵ５０１が、記憶装置（例えば、ＲＡＭ５０２やＨＤＤ５０４等）から変数xcoordinateの値を読み出し、ＣＰＵ５０１が演算装置により、（本発明実施形態においては、例えば）xcoordinate+5の演算を行い、その結果を変数xcoordinateに代入し、記憶装置（例えば、ＲＡＭ５０２やＨＤＤ５０４等）に記憶する。
（視標第三表示制御手段の一環である。）
（視標走査線設定手段の一環である。）
【０３１１】
ステップＳ２２２では、（記憶装置（例えば、ＲＡＭ５０２やＨＤＤ５０４等）に記憶された変数coun22の値をＣＰＵ５０１が読み出し、）coun22=1であり、且つカーソルキー下が押された瞬間が受け付けられた？に関する判断がＣＰＵ５０１により行われる。
（coun22=1である場合におけるカーソルキー下は、第五指示を受け付ける入力装置の、本発明実施形態における一例である。）
coun22=1であり、且つカーソルキー下が押された瞬間が受け付けられたとの判断が、ＣＰＵ５０１により行われなかった場合には、ＣＰＵ５０１は、ステップＳ２２４の処理に移行する。
【０３１２】
ステップＳ２２２において、ＣＰＵ５０１が、coun22=1であり、且つカーソルキー下が押された瞬間が受け付けられたとの判断を行った場合には、ＣＰＵ５０１は、ステップＳ２２３の処理を行う。
【０３１３】
ステップＳ２２３では、ＣＰＵ５０１が、記憶装置（例えば、ＲＡＭ５０２やＨＤＤ５０４等）から変数ycoordinateの値を読み出し、ＣＰＵ５０１が演算装置により、（本発明実施形態においては、例えば）ycoordinate+5の演算を行い、その結果を変数ycoordinateに代入し、記憶装置（例えば、ＲＡＭ５０２やＨＤＤ５０４等）に記憶する。
（直交視標第五表示制御手段の一環である。）
（直交視標走査線設定手段の一環である。）
【０３１４】
ステップＳ２２４では、（記憶装置（例えば、ＲＡＭ５０２やＨＤＤ５０４等）に記憶された変数coun22の値をＣＰＵ５０１が読み出し、）coun22=1であり、且つカーソルキー上が押された瞬間が受け付けられた？に関する判断がＣＰＵ５０１により行われる。
（coun22=1である場合におけるカーソルキー上は、第六指示を受け付ける入力装置の、本発明実施形態における一例である。）
coun22=1であり、且つカーソルキー上が押された瞬間が受け付けられたとの判断が、ＣＰＵ５０１により行われなかった場合には、ＣＰＵ５０１は、ステップＳ２２６の処理に移行する。
【０３１５】
ステップＳ２２４において、ＣＰＵ５０１が、coun22=1であり、且つカーソルキー上が押された瞬間が受け付けられたとの判断を行った場合には、ＣＰＵ５０１は、ステップＳ２２５の処理を行う。
【０３１６】
ステップＳ２２５では、ＣＰＵ５０１が、記憶装置（例えば、ＲＡＭ５０２やＨＤＤ５０４等）から変数ycoordinateの値を読み出し、ＣＰＵ５０１が演算装置により、（本発明実施形態においては、例えば）ycoordinate-5の演算を行い、その結果を変数ycoordinateに代入し、記憶装置（例えば、ＲＡＭ５０２やＨＤＤ５０４等）に記憶する。
（直交視標第六表示制御手段の一環である。）
（直交視標走査線設定手段の一環である。）
【０３１７】
ステップＳ２２６では、（記憶装置（例えば、ＲＡＭ５０２やＨＤＤ５０４等）に記憶された変数coun22の値をＣＰＵ５０１が読み出し、）記憶装置（例えば、ＲＡＭ５０２やＨＤＤ５０４等）に記憶された変数xcoordinateの値をＣＰＵ５０１が読み出し、演算装置によりcoun22=0であり、且つxcoordinate>800？に関する判断を、ＣＰＵ５０１が行う。
ステップＳ２２６において、ＣＰＵ５０１が、coun22=0であり且つxcoordinate>800、でないと判断した場合には、ＣＰＵ５０１は、ステップＳ２２８へ移行して処理を続ける。
【０３１８】
ステップＳ２２６において、ＣＰＵ５０１が、coun22=0であり且つxcoordinate>800、であると判断した場合には、ＣＰＵ５０１はステップＳ２２７の処理を行う。
（走査続行手段の一環である。）
【０３１９】
ステップＳ２２７では、ＣＰＵ５０１が、記憶装置（例えば、ＲＡＭ５０２やＨＤＤ５０４等）から変数ycoordinateの値を読み出し、ＣＰＵ５０１が演算装置により、ycoordinate+15の演算を行い、その結果を変数ycoordinateに代入し、記憶装置（例えば、ＲＡＭ５０２やＨＤＤ５０４等）に記憶する。
ステップＳ２２７では、ＣＰＵ５０１が、変数xcoordinateの値を０に更新し、記憶装置（例えば、ＲＡＭ５０２やＨＤＤ５０４等）に記憶する。
（走査続行手段の一環である。）
（視標走査線設定手段の一環である。）
【０３２０】
ステップＳ２２８では、（記憶装置（例えば、ＲＡＭ５０２やＨＤＤ５０４等）に記憶された変数coun22の値をＣＰＵ５０１が読み出し、）記憶装置（例えば、ＲＡＭ５０２やＨＤＤ５０４等）に記憶された変数xcoordinateの値をＣＰＵ５０１が読み出し、演算装置によりcoun22=0であり、且つxcoordinate<0？に関する判断を、ＣＰＵ５０１が行う。
ステップＳ２２８において、ＣＰＵ５０１が、coun22=0であり且つxcoordinate<0、でないと判断した場合には、ＣＰＵ５０１は、ステップＳ２３０へ移行して処理を続ける。
【０３２１】
ステップＳ２２８において、ＣＰＵ５０１が、coun22=0であり、且つxcoordinate<0であると判断した場合には、ＣＰＵ５０１はステップＳ２２９の処理を行う。
【０３２２】
ステップＳ２２９では、ＣＰＵ５０１が、記憶装置（例えば、ＲＡＭ５０２やＨＤＤ５０４等）から変数ycoordinateの値を読み出し、ＣＰＵ５０１が演算装置により、ycoordinate-15の演算を行い、その結果を変数ycoordinateに代入し、記憶装置（例えば、ＲＡＭ５０２やＨＤＤ５０４等）に記憶する。
ステップＳ２２９では、ＣＰＵ５０１が、変数xcoordinateの値を800に更新し、記憶装置（例えば、ＲＡＭ５０２やＨＤＤ５０４等）に記憶する。
【０３２３】
ステップＳ２３０では、（記憶装置（例えば、ＲＡＭ５０２やＨＤＤ５０４等）に記憶された変数coun22の値をＣＰＵ５０１が読み出し、）記憶装置（例えば、ＲＡＭ５０２やＨＤＤ５０４等）に記憶された変数ycoordinateの値をＣＰＵ５０１が読み出し、演算装置によりcoun22=0であり、且つycoordinate>=500？に関する判断を、ＣＰＵ５０１が行う。
ステップＳ２３０において、ＣＰＵ５０１が、coun22=0であり且つycoordinate>=500、でないと判断した場合には、ＣＰＵ５０１は、ステップＳ２３３へ移行して処理を続ける。
【０３２４】
ステップＳ２３０において、ＣＰＵ５０１が、coun22=0であり且つycoordinate>=500、であると判断した場合には、ＣＰＵ５０１はステップＳ２３１の処理を行う。
（直交視標表示制御手段の一環である。）
【０３２５】
ステップＳ２３１では、ＣＰＵ５０１が、変数coun22の値を１に更新し、記憶装置（例えば、ＲＡＭ５０２やＨＤＤ５０４等）に記憶する。
【０３２６】
ステップＳ２３２では、ＣＰＵ５０１が、変数xcoordinateの値を０に更新し、記憶装置（例えば、ＲＡＭ５０２やＨＤＤ５０４等）に記憶する。
ステップＳ２３２では、ＣＰＵ５０１が、変数ycoordinateの値を500に更新し、記憶装置（例えば、ＲＡＭ５０２やＨＤＤ５０４等）に記憶する。
（直交視標走査線設定手段の一環である。）
（直交視標表示制御手段の一環である。）
【０３２７】
ステップＳ２３３では、（記憶装置（例えば、ＲＡＭ５０２やＨＤＤ５０４等）に記憶された変数coun22の値をＣＰＵ５０１が読み出し、）記憶装置（例えば、ＲＡＭ５０２やＨＤＤ５０４等）に記憶された変数ycoordinateの値をＣＰＵ５０１が読み出し、演算装置によりcoun22=1であり、且つycoordinate<0？に関する判断を、ＣＰＵ５０１が行う。
ステップＳ２３３において、ＣＰＵ５０１が、coun22=1であり且つycoordinate<0、でないと判断した場合には、ＣＰＵ５０１は、ステップＳ２３５へ移行して処理を続ける。
【０３２８】
ステップＳ２３３において、ＣＰＵ５０１が、coun22=1であり、且つycoordinate<0であると判断した場合には、ＣＰＵ５０１はステップＳ２３４の処理を行う。
（直交走査続行手段の一環である。）
【０３２９】
ステップＳ２３４では、ＣＰＵ５０１が、記憶装置（例えば、ＲＡＭ５０２やＨＤＤ５０４等）から変数xcoordinateの値を読み出し、ＣＰＵ５０１が演算装置により、xcoordinate+15の演算を行い、その結果を変数xcoordinateに代入し、記憶装置（例えば、ＲＡＭ５０２やＨＤＤ５０４等）に記憶する。
ステップＳ２３４は、ＣＰＵ５０１が、変数ycoordinateの値を500に更新し、記憶装置（例えば、ＲＡＭ５０２やＨＤＤ５０４等）に記憶する。
（直交走査続行手段の一環である。）
（直交視標走査線設定手段の一環である。）
【０３３０】
ステップＳ２３５では、（記憶装置（例えば、ＲＡＭ５０２やＨＤＤ５０４等）に記憶された変数coun22の値をＣＰＵ５０１が読み出し、）記憶装置（例えば、ＲＡＭ５０２やＨＤＤ５０４等）に記憶された変数ycoordinateの値をＣＰＵ５０１が読み出し、演算装置によりcoun22=1であり、且つycoordinate>500？に関する判断を、ＣＰＵ５０１が行う。
ステップＳ２３５において、ＣＰＵ５０１が、coun22=1であり且つycoordinate>500、でないと判断した場合には、ＣＰＵ５０１は、ステップＳ２３７へ移行して処理を続ける。
【０３３１】
ステップＳ２３５において、ＣＰＵ５０１が、coun22=1であり且つycoordinate>500、であると判断した場合には、ＣＰＵ５０１はステップＳ２３６の処理を行う。
【０３３２】
ステップＳ２３６では、ＣＰＵ５０１が、記憶装置（例えば、ＲＡＭ５０２やＨＤＤ５０４等）から変数xcoordinateの値を読み出し、ＣＰＵ５０１が演算装置により、xcoordinate-15の演算を行い、その結果を変数xcoordinateに代入し、記憶装置（例えば、ＲＡＭ５０２やＨＤＤ５０４等）に記憶する。
ステップＳ２３６では、ＣＰＵ５０１が、変数ycoordinateの値を０に更新し、記憶装置（例えば、ＲＡＭ５０２やＨＤＤ５０４等）に記憶する。
【０３３３】
ステップＳ２３７では、ＣＰＵ５０１がプログラム処理上、2ミリ秒待つ。
その後、ＣＰＵ５０１は、ステップＳ２０５に戻って処理を続ける。
【図面の簡単な説明】
【０３３４】
【図１】本発明、視野輪郭抽出装置の最良の実施形態の走査及び作動態様、及び視野輪郭記録態様の一例を示す図である。
【図２】本発明、視野輪郭抽出装置の最良の実施形態の走査及び作動態様、及び視野輪郭記録態様の一例を示す図である。
【図３】本発明、視野輪郭抽出装置の最良の実施形態の視野輪郭の抽出により生成される視野輪郭画像の態様の一例を示す図である。
【図４】本発明、視野輪郭抽出装置の最良の実施形態の視野輪郭の抽出により生成される視野輪郭画像の態様の一例を示す図である。
【図５】本発明、視野輪郭抽出装置の最良の実施形態の視野輪郭の抽出により生成される視野輪郭画像の態様の一例を示す図である。
【図６】本発明、視野輪郭抽出装置の最良の実施形態の視野輪郭の抽出により生成される視野輪郭画像の態様の一例を示す図である。
【図７】本発明、視野輪郭抽出装置における視野輪郭抽出処理、及び視野輪郭記録処理の最良の実施形態の一例を表す流れ図である。
【図８】本発明、視野輪郭抽出装置における視野輪郭抽出処理、及び視野輪郭記録処理の最良の実施形態の一例を表す流れ図の続きである。
【図９】本発明、視野輪郭抽出装置における視野輪郭抽出処理、及び視野輪郭記録処理の最良の実施形態の一例を表す流れ図である。
【図１０】本発明、視野輪郭抽出装置における視野輪郭抽出処理、及び視野輪郭記録処理の最良の実施形態の一例を表す流れ図の続きである。
【図１１】本発明、視野輪郭抽出装置における視野輪郭抽出処理、及び視野輪郭記録処理の最良の実施形態の一例を表す流れ図の続きである。
【図１２】本発明、視野輪郭抽出装置における視野輪郭抽出処理、及び視野輪郭記録処理の最良の実施形態の一例を表す流れ図の続きである。
【図１３】本発明、視野輪郭抽出装置の最良の実施形態の構成の一例を表す概略構成図である。
【図１４】本発明、視野輪郭抽出装置の最良の実施形態のＣＰＵのハードウェア構成の一例を表す図である。
【符号の説明】
【０３３５】
１  視野輪郭抽出画面
２  固視標  
Ｒ１  視標走査線
Ｒ１１、Ｒ１２  視標表示位置
ＲＥ１２  位置
Ｒ２  視標走査線
Ｒ２１、Ｒ２２、Ｒ２３、Ｒ２４、Ｒ２５、Ｒ２６、Ｒ２７、Ｒ２８、Ｒ２９  視標表示位置
ＲＥ２９  位置
Ｒ３  視標走査線
Ｒ３１、Ｒ３２、Ｒ３３、Ｒ３４、Ｒ３５、Ｒ３６、Ｒ３７、Ｒ３８、Ｒ３９  視標表示位置
ＲＥ３９  位置
Ｒ４  視標走査線
Ｒ４１、Ｒ４２、Ｒ４３、Ｒ４４、Ｒ４５、Ｒ４６、Ｒ４７、Ｒ４８、Ｒ４９、Ｒ４１０、Ｒ４１１、Ｒ４１２、Ｒ４１３、Ｒ４１４、Ｒ４１５  視標表示位置
ＲＥ４１５  位置
Ｒ５  視標走査線
Ｒ５１、Ｒ５２、Ｒ５３、Ｒ５４、Ｒ５５、Ｒ５６、Ｒ５７  視標表示位置
ＲＥ５７  位置
Ｒ６、Ｒ７、Ｒ８  視標走査線
Ｒ９  視標走査線
Ｒ９１、Ｒ９２、Ｒ９３、Ｒ９４、Ｒ９５、Ｒ９６  視標表示位置
ＲＥ９６  位置
Ｒ１０  視標走査線
Ｒ１０１、Ｒ１０２  視標表示位置
ＲＥ１０２  位置
３ａ  被験者視野における視標視覚認識不可能領域
ＶＲ１  直交視標走査線
ＶＲ１１、ＶＲ１２  直交視標表示位置
ＶＲＥ１２  位置
ＶＲ２  直交視標走査線
ＶＲ２１、ＶＲ２２、ＶＲ２３、ＶＲ２４、ＶＲ２５、ＶＲ２６  直交視標表示位置
ＶＲＥ２６  位置
ＶＲ３  直交視標走査線
ＶＲ３１、ＶＲ３２、ＶＲ３３、ＶＲ３４、ＶＲ３５  直交視標表示位置
ＶＲＥ３５  位置
ＶＲ４  直交視標走査線
ＶＲ４１、ＶＲ４２、ＶＲ４３、ＶＲ４４、ＶＲ４５、ＶＲ４６  直交視標表示位置
ＶＲＥ４６  位置
ＶＲ５  直交視標走査線
ＶＲ５１、ＶＲ５２、ＶＲ５３、ＶＲ５４、ＶＲ５５、ＶＲ５６  直交視標表示位置
ＶＲＥ５６  位置
ＶＲ６、ＶＲ７、ＶＲ８、ＶＲ９、ＶＲ１０、ＶＲ１１、ＶＲ１２、ＶＲ１３、ＶＲ１４、ＶＲ１５、ＶＲ１６、ＶＲ１７、ＶＲ１８  直交視標表示位置
ＶＲ１９  直交視標走査線
ＶＲ１９１、ＶＲ１９２、ＶＲ１９３、ＶＲ１９４、ＶＲ１９５、ＶＲ１９６  直交視標表示位置
ＶＲＥ１９６  位置
ＶＲ２０  直交視標走査線
ＶＲ２０１、ＶＲ２０２  直交視標表示位置
ＶＲＥ２０２  位置
３ｂ  直交視標による視野輪郭抽出時における被験者視野の視標視覚認識不可能領域
４  視野輪郭記録画面
５  視野輪郭記録画面の固視標
２３ｒ、２５ｒ，２８ｒ  視野輪郭位置
３３ｒ、３５ｒ、３８ｒ  視野輪郭位置
４３ｒ、４４ｒ、４７ｒ、４９ｒ、４１２ｒ、４１４ｒ  視野輪郭位置
５４ｒ、５６ｒ  視野輪郭位置
９４ｒ、９５ｒ  視野輪郭位置
２３ｖ、２５ｖ  視野輪郭位置
３４ｖ、３５ｖ  視野輪郭位置
４４ｖ、４５ｖ  視野輪郭位置
５４ｖ、５５ｖ  視野輪郭位置
１９３ｖ、１９５ｖ  視野輪郭位置
２０１  視野輪郭としての暗点
２０２  視野輪郭としての暗点と盲点の接続部分
２０３  視野輪郭としての盲点
２０４  視野視覚機能がわずかに低下している領域における視野輪郭
３０１  コンピュータシステム
３０２  本体
３０３  キーボード
３０４  ディスプレイ
３０５  プリンタ
３０６  マウス
３０７  スピーカ
３０８  走査速度調節つまみ
３０９  位置確定ボタン
５０１  ＣＰＵ
５０２  ＲＡＭ
５０３  ＲＯＭ
５０４  ＨＤＤ
５０５  バス
【図１】
2010057775.tif 000003
【図２】
2010057775.tif 000004
【図３】
2010057775.tif 000005
【図４】
2010057775.tif 000006
【図５】
2010057775.tif 000007
【図６】
2010057775.tif 000008
【図７】
2010057775.tif 000009
【図８】
2010057775.tif 000010
【図９】
2010057775.tif 000011
【図１０】
2010057775.tif 000012
【図１１】
2010057775.tif 000013
【図１２】
2010057775.tif 000014
【図１３】
2010057775.tif 000015
【図１４】
2010057775.tif 000016